(57)【要約】【課題】記録物の生産性向上、情報セキュリティーの向上、記録コストの低減を図ることとともに、転写性が良好な転写材、色材受容層付き画像支持体および記録物、並びにこれらの製造方法および製造装置等を提供する。【解決手段】色材受容層と基材シートとを備え、基材シートおよび前記色材受容層が順次積層された積層構造を有する転写材において、前記色材受容層が、少なくとも、無機微粒子、水溶性樹脂および重量平均分子量が１５，０００以下であるカチオン性樹脂を含有したものであり、且つ、転写材を転写する画像支持体のＳＰ値と、該画像支持体に当接する前記色材受容層のＳＰ値との差のＳＰ２が、０≦ＳＰ２≦１．０の関係を満たすように構成されている転写材。【選択図】なし【特許請求の範囲】
【請求項１】
色材受容層と、基材シートと、を備え、且つ、前記基材シートおよび前記色材受容層が順次積層された積層構造を有する転写材において、
前記色材受容層が、少なくとも、無機微粒子、水溶性樹脂および重量平均分子量が１５，０００以下であるカチオン性樹脂を含有したものであり、且つ、
転写材を転写する画像支持体のＳＰ値と、前記画像支持体に当接する前記色材受容層のＳＰ値との差のＳＰ２が、下記式（２）の関係を満たすように構成されていることを特徴とする転写材。
０≦ＳＰ２≦１．０      ：（２）
【請求項２】
前記基材シートのＳＰ値と、前記基材シートに当接する層のＳＰ値との差のＳＰ１が、下記式（１）の関係を満たす請求項１に記載の転写材。
１．１≦ＳＰ１≦３      ：（１）
【請求項３】
前記基材シートの厚さが、前記色材受容層の厚さの１．５倍以上５倍以下である請求項１に記載の転写材。
【請求項４】
前記カチオン性樹脂の融点が、６０℃以上１６０℃以下である請求項１に記載の転写材。
【請求項５】
前記カチオン性樹脂の重量平均分子量が、５，０００以下である請求項１に記載の転写材。
【請求項６】
前記カチオン性樹脂が、ポリアリルアミン系樹脂である請求項１に記載の転写材。
【請求項７】
画像が支持される画像支持体と、色材受容層と、を備え、
前記色材受容層が、請求項１に記載の転写材から基材シートが剥離された、少なくとも、無機微粒子、水溶性樹脂および重量平均分子量が１５，０００以下であるカチオン性樹脂を含有したものであり、前記画像支持体および前記色材受容層が順次積層された積層構造を有し、前記画像支持体のＳＰ値と、前記転写材の前記画像支持体に当接する層のＳＰ値との差ＳＰ２が、下記式（２）の関係を満たすことを特徴とする色材受容層付き画像支持体。
０≦ＳＰ２≦１．０      ：（２）
【請求項８】
画像支持体と、少なくとも、無機微粒子、水溶性樹脂および重量平均分子量が１５，０００以下であるカチオン性樹脂を含有した色材受容層と、を備えた色材受容層付き画像支持体の製造方法であって、
前記画像支持体に、請求項１に記載の転写材を構成する色材受容層を加熱圧着して積層する工程である工程１と、
工程１の後に、前記転写材から基材シートを剥離する工程である工程２と、を備え、
前記工程１において、前記画像支持体として、そのＳＰ値と、前記転写材の、前記画像支持体に当接する層のＳＰ値との差ＳＰ２が、下記式（２）の関係を満たすものを用いることを特徴とする色材受容層付き画像支持体の製造方法。
０≦ＳＰ２≦１．０      ：（２）
【請求項９】
前記工程１において、前記転写材として、前記色材受容層を外側、前記基材シートを内側としてロール状に巻かれたロール状転写材を用いる請求項８に記載の色材受容層付き画像支持体の製造方法。
【請求項１０】
前記工程１において、前記転写材として、シート状転写材を用いる請求項８に記載の色材受容層付き画像支持体の製造方法。
【請求項１１】
前記工程１において、前記画像支持体に、前記転写材を１２０℃以上１８０℃以下の温度で加熱圧着する請求項８に記載の色材受容層付き画像支持体の製造方法。
【請求項１２】
前記工程１を実施する前に、前記転写材を構成する色材受容層にプライマーシートを積層し、プライマー層を形成するための工程である工程３を更に備える請求項８に記載の色材受容層付き画像支持体の製造方法。
【請求項１３】
基材シートと色材受容層とを備えた請求項１に記載の転写材を搬送経路に送り出す供給部と、
画像支持体を搬送経路に送り出す画像支持体供給部と、
前記搬送経路に送り出された前記画像支持体に、前記転写材を構成する前記色材受容層を付着させる付着部と、
前記転写材から前記基材シートを剥離する剥離部と、を備え、
前記画像支持体として、そのＳＰ値と、前記転写材の、前記画像支持体に当接する層のＳＰ値との差ＳＰ２が、下記式（２）の関係を満たす画像支持体が用いられることを特徴とする色材受容層付き画像支持体の製造装置。
０≦ＳＰ２≦１．０      ：（２）
【請求項１４】
前記転写材が、前記色材受容層を外側、前記基材シートを内側としてロール状に巻かれたロール状転写材である請求項１３に記載の色材受容層付き画像支持体の製造装置。
【請求項１５】
前記転写材が、シート状転写材である請求項１３に記載の色材受容層付き画像支持体の製造装置。
【請求項１６】
更に、前記転写材にプレカット処理を行うプレカット処理部を備える請求項１３に記載の色材受容層付き画像支持体の製造装置。
【請求項１７】
画像が支持された画像支持体と、画像が記録された色材受容層と、を備え、
前記記録物が、請求項７に記載の色材受容層付き画像支持体を構成する色材受容層に画像が記録されたものであり、且つ、前記画像支持体および前記色材受容層が順次積層された積層構造を有することを特徴とする記録物。
【請求項１８】
前記画像が、顔料インクにより形成されたものである請求項１７に記載の記録物。
【請求項１９】
前記画像が、インクジェット方式により形成されたものである請求項１７に記載の記録物。
【請求項２０】
画像支持体と、画像が記録された色材受容層と、を備えた記録物の製造方法であって、
請求項７に記載の色材受容層付き画像支持体の前記色材受容層に画像を記録する工程である工程４を備えることを特徴とする記録物の製造方法。
【請求項２１】
前記工程４において、前記画像を顔料インクにより形成する請求項２０に記載の記録物の製造方法。
【請求項２２】
前記工程４において、前記画像を、インクジェット方式により記録する請求項２０に記載の記録物の製造方法。
【請求項２３】
請求項７に記載の色材受容層付き画像支持体に画像を記録するための記録物の製造装置であって、
前記色材受容層付き画像支持体を搬送する搬送手段と、
前記色材受容層付き画像支持体を構成する色材受容層に、色材を付与して画像を記録する記録部と、を備えることを特徴とする記録物の製造装置。
【請求項２４】
前記記録部が、インクジェット方式により画像を記録するものである請求項２３に記載の記録物の製造装置。
【請求項２５】
基材シートと、色材受容層と、更に透明シートとを備え、且つ、前記基材シート、前記透明シートおよび前記色材受容層が順次積層された積層構造を有し、前記色材受容層が、少なくとも、無機微粒子、水溶性樹脂および重量平均分子量が１５，０００以下であるカチオン性樹脂を含有したものであり、且つ、
転写材を転写する画像支持体のＳＰ値と、前記画像支持体に当接する前記色材受容層のＳＰ値との差のＳＰ２が、下記式（２）の関係を満たすように構成されていることを特徴とする転写材。
０≦ＳＰ２≦１．０      ：（２）
【請求項２６】
前記基材シートのＳＰ値と、前記基材シートに当接する層のＳＰ値との差ＳＰ１が、下記式（１）の関係を満たす請求項２５に記載の転写材。
１．１≦ＳＰ１≦３      ：（１）
【請求項２７】
前記基材シートの厚さが、前記色材受容層の厚さの１．５倍以上５倍以下である請求項２５に記載の転写材。
【請求項２８】
前記カチオン性樹脂の融点が、６０℃以上１６０℃以下である請求項２５に記載の転写材。
【請求項２９】
前記カチオン性樹脂の重量平均分子量が、５，０００以下である請求項２５に記載の転写材。
【請求項３０】
前記カチオン性樹脂が、ポリアリルアミン系樹脂である請求項２５に記載の転写材。
【請求項３１】
画像が支持された画像支持体と、画像が記録された記録媒体と、を備え、
前記記録媒体が、基材シートと、色材受容層と、更に透明シートとを備える請求項２５に記載の転写材を構成する色材受容層に画像が記録され、且つ、前記基材シートが剥離された構成のものであり、
前記画像支持体、前記色材受容層および前記透明シートが順次積層された積層構造を有し、前記画像支持体のＳＰ値と、前記転写材の、前記画像支持体に当接する層のＳＰ値との差ＳＰ２が、下記式（２）の関係を満たすことを特徴とする記録物。
０≦ＳＰ２≦１．０      ：（２）
【請求項３２】
前記転写材を構成する色材受容層に記録されている画像が、反転画像である請求項３１に記載の記録物。
【請求項３３】
前記画像が、顔料インクにより形成されたものである請求項３１に記載の記録物。
【請求項３４】
前記画像が、インクジェット方式により形成されたものである請求項３１に記載の記録物。
【請求項３５】
画像支持体と、画像が記録された記録媒体と、を備えた記録物の製造方法であって、
基材シートと、色材受容層と、更に透明シートとを備える請求項２５に記載の転写材を構成する色材受容層に画像を記録する工程である工程５と、
前記画像支持体として、そのＳＰ値と、前記転写材の、前記画像支持体に当接する層のＳＰ値との差ＳＰ２が、下記式（２）の関係を満たすものを用い、前記画像支持体に、前記転写材を構成する色材受容層と透明シートとを加熱圧着して積層する工程である工程６と、
前記転写材から前記基材シートを剥離する工程である工程７と、を備えることを特徴とする記録物の製造方法。
０≦ＳＰ２≦１．０      ：（２）
【請求項３６】
前記工程５において、前記転写材を構成する色材受容層に、反転画像を記録する請求項３５に記載の記録物の製造方法。
【請求項３７】
前記工程５において、前記画像を、顔料インクにより形成する請求項３５に記載の記録物の製造方法。
【請求項３８】
前記工程５において、前記画像を、インクジェット方式により記録する請求項３５に記載の記録物の製造方法。
【請求項３９】
前記工程５において、前記転写材として、前記色材受容層を外側、前記基材シートを内側としてロール状に巻かれたロール状転写材を用いる請求項３５に記載の記録物の製造方法。
【請求項４０】
前記工程５において、前記転写材として、シート状転写材を用いる請求項３５に記載の記録物の製造方法。
【請求項４１】
前記工程５と前記工程７との間に、前記転写材を構成する前記色材受容層にプライマーシートを積層し、プライマー層を形成する工程である工程８を更に備える請求項３５に記載の記録物の製造方法。
【請求項４２】
前記工程６において、前記画像支持体に、前記転写材を１２０℃以上１８０℃以下の温度で加熱圧着する請求項３５に記載の記録物の製造方法。
【請求項４３】
基材シートと、色材受容層と、更に透明シートとを備えた請求項２５に記載の転写材を搬送経路に送り出す供給部と、
前記搬送経路に送り出された前記転写材を構成する色材受容層に、色材を付与して画像を記録する記録部と、を備えることを特徴とする画像記録装置。
【請求項４４】
前記転写材が、前記色材受容層を外側、前記基材シートを内側としてロール状に巻かれたロール状転写材である請求項４３に記載の画像記録装置。
【請求項４５】
前記転写材が、シート状転写材である請求項４３に記載の画像記録装置。
【請求項４６】
前記記録部が、インクジェット方式により画像を記録するものである請求項４３に記載の画像記録装置。
【請求項４７】
更に、前記転写材を構成する前記色材受容層に付与された前記色材の中の水分を蒸発させるための乾燥部を備える請求項４３に記載の画像記録装置。
【請求項４８】
更に、前記色材受容層に前記画像を記録した転写材にプレカット処理を行うためのプレカット処理部を備える請求項４３に記載の画像記録装置。
【請求項４９】
請求項４３乃至４８のいずれか１項に記載の画像記録装置を有する、記録物の製造装置であって、
更に、画像支持体のＳＰ値と、転写材の前記画像支持体に当接する層のＳＰ値との差ＳＰ２が、下記式（２）の関係を満たす画像支持体と、
前記画像支持体を搬送経路に送り出すための画像支持体供給部と、
前記搬送経路に送り出された前記画像支持体に、前記転写材を付着させる付着部と、
付着させた転写材から基材シートを剥離する剥離部と、を備えることを特徴とする記録物の製造装置。
０≦ＳＰ２≦１．０      ：（２）
【発明の詳細な説明】
【技術分野】
【０００１】
本発明は、基材シートおよび色材受容層が順次積層された積層構造を有する転写材、前記転写材を用いた色材受容層付き画像支持体および記録物、並びにこれらの製造方法および製造装置に関する。
【背景技術】
【０００２】
従来、種々の熱転写記録方法が知られている。それらの中でも、基材シート上に着色転写層を形成した熱転写シートを用い、シートの背面からサーマルヘッドなどにより、形成すべき画像に沿う形状に加熱して、上記着色転写層を熱転写受像シートの表面に熱転写して、画像形成する熱転写方法が一般的である（特許文献１）。この熱転写方法は、マルチメディアに関連した様々なハードウエアおよびソフトウエアの発達により、コンピューターグラフィックス；衛星通信による静止画像；ＣＤ−ＲＯＭ等に記録されたデジタル画像；ビデオ等のアナログ画像；等の多種多様な画像のフルカラーハードコピーシステムとして、その市場を拡大している。
【０００３】
紙、樹脂製品、金属等の各種材質からなる対象物に画像を形成して記録物を得る場合、従来から、対象物に対して熱転写方式で画像を形成することが行われている。この熱転写方式は、着色転写層の構成によって、熱溶融転写方式と昇華転写方式とに大別される。両方式ともに、フルカラー画像の形成が可能であり、例えば、イエロー、マゼンタ、シアン、更に必要に応じて、ブラック等の三色ないし四色の熱転写シートを用意し、１枚の熱転写受像シートの表面に各色の画像を重ねて熱転写して、フルカラー画像を形成するものである。
【０００４】
熱溶融転写方式により記録物を製造する方法としては、例えば、基材上に剥離可能な受容層が設けられた転写材と、染料層を有する熱転写シートとを用い、染料層の染料を受容層に転写して転写材に画像を形成した後、その転写材を対象物に当接させた状態で加熱し、受容層を対象物に転写することで、記録物を製造する記録物製造方法が提案されている（特許文献２）。
【０００５】
また、昇華転写方式により記録物を製造する方法としては、昇華転写型の熱転写シートを用いて画像を形成する記録物製造方法が提案されている（特許文献３）。
【０００６】
昇華転写型の熱転写シートは、顔写真等の階調性画像を精密に形成することができる反面、通常の記録インクにより形成された画像とは異なり、耐候性、耐摩擦性、耐薬品性等の耐久性に欠けるという不具合がある。その解決策として、熱転写画像上に、熱転写性樹脂層を有する保護層熱転写フィルムを重ね合わせ、サーマルヘッドや加熱ロール等を用いて、透明性を有する熱転写性樹脂層を転写させ、記録した画像上に保護層を形成することが行われている（特許文献４）。
【０００７】
また、対象物に対して熱転写方式で画像を形成することに代えて、インクジェット方式で画像を形成する方法も提案されている。例えば、転写材の受容層にインクジェット方式で画像を印画し、この転写材と被転写体とを重ね合わせて加熱し、被転写体に受容層を転写する技術も提案されている（特許文献５）。
【先行技術文献】
【特許文献】
【０００８】
【特許文献１】特開昭６２−２３８７９１号公報
【特許文献２】特開２０００−２３８４３９号公報
【特許文献３】特開２００３−２１１７６１号公報
【特許文献４】特開２００８−０４４１３０号公報
【特許文献５】特表２００６−５１７８７１号公報
【発明の概要】
【発明が解決しようとする課題】
【０００９】
しかしながら、特許文献４に記載のような熱転写方式により画像を形成する方法は、被転写体の前進・後進を繰り返しながら、熱転写フィルム上にブラック、シアン、マゼンタ、イエローの順に各色の画像転写領域を順次転写して画像を形成し、更に、その後に透明保護層を形成するため、生産性の面で大きな課題があった。また、熱転写方式により画像を形成する方法では、記録情報が熱転写フィルム上に陰画として残ることになり、使用後の熱転写フィルムの廃棄には特別な配慮が必要となるなど、情報セキュリティーの面にも大きな課題が残されていた。更に、熱転写方式を採用した場合、形成する画像の大きさや位置に拘らず、対象物である記録面全面に対応した熱転写フィルムが必要であり、画像形成に寄与しない非記録部に関わる記録コストの割合が大きく、その経済性に関しても大きな課題があった。  
【００１０】
上記した熱転写方式と比較すると、インクジェット方式は高精細な印刷が可能で、フルカラーの印字を高速で行うことができるという利点があるものの、種々の対象物に画像を形成して記録物を得るためには対象物の上に色材受容層を形成する必要があるといった課題がある。特に、十分な画像濃度を実現するためには、多量のインクを色材受容層が吸収する必要があり、転写材上の色材受容層はやや厚くする必要がある。しかし、種々の対象物に色材受容層を設けることは容易ではなく、転写材と画像支持体を完全に転写（密着）させる際には、画像支持体と転写材に使用される材質等で密着性が低下するなど、剥離性及び密着性に課題があり、対象物の種類に応じて色材受容層の構成材料や製造方法等を厳密に制御することが必要であった。
【００１１】
そのような事情があるにも拘らず、前記した特許文献５には、色材受容層や対象物の構成について、具体的な説明がない。このため、転写に適した色材受容層を製造することができず、色材受容層を対象物に確実に転写させるのは困難であった。特に、インク受容層の表面にインクが存在する場合は転写時に画像支持体とインクおよび色材受容層とインクが接着しないため、転写性に課題があった。
【課題を解決するための手段】
【００１２】
即ち、本発明によれば、上記に挙げた課題解決に有用な、以下に示す、転写材、色材受容層付き画像支持体および記録物、並びにこれらの製造方法および製造装置が提供される。  
【００１３】
［１］第１の転写材：
色材受容層と、基材シートと、を備え、且つ、前記基材シートおよび前記色材受容層が順次積層された積層構造を有する転写材において、前記色材受容層が、少なくとも無機微粒子、水溶性樹脂およびカチオン性樹脂を含有し、前記カチオン性樹脂の重量平均分子量が１５，０００以下であり、且つ、
転写材を転写する画像支持体のＳＰ値と、前記画像支持体に当接する前記色材受容層のＳＰ値との差のＳＰ２が、下記式（２）の関係を満たすように構成されていことを特徴とする転写材を提供する。
０≦ＳＰ２≦１．０      ：（２）
【００１４】
より好ましくは、前記基材シートのＳＰ値と、前記基材シートに当接する層のＳＰ値との差ＳＰ１が、下記式（１）の関係を満たすことを特徴とする転写材を提供する。
１．１≦ＳＰ１≦３      ：（１）
【００１５】
［２］色材受容層付き画像支持体：
画像が支持される画像支持体と、色材受容層と、を備え、前記色材受容層が、前記［１］に記載の転写材から前記基材シートが剥離された少なくとも、無機微粒子、水溶性樹脂および重量平均分子量が１５，０００以下であるカチオン性樹脂を含有したものであり、前記画像支持体および前記色材受容層が順次積層された積層構造を有し、前記画像支持体のＳＰ値と、前記転写材の前記画像支持体に当接する層のＳＰ値との差ＳＰ２が、下記式（２）の関係を満たすことを特徴とする色材受容層付き画像支持体を提供する。
０≦ＳＰ２≦１．０      ：（２）
【００１６】
［３］色材受容層付き画像支持体の製造方法：
画像支持体と、少なくとも、無機微粒子、水溶性樹脂および重量平均分子量が１５，０００以下であるカチオン性樹脂を含有した色材受容層と、を備えた色材受容層付き画像支持体の製造方法であって、前記画像支持体に、前記［１］に記載の転写材を構成する色材受容層を加熱圧着して積層する工程である工程１と、工程１の後に、前記転写材から前記基材シートを剥離する工程である工程２と、を備え、前記工程１において、前記画像支持体のＳＰ値と、前記転写材の前記画像支持体に当接する層のＳＰ値との差ＳＰ２が、下記式（２）の関係を満たすものを用いることを特徴とする色材受容層付き画像支持体の製造方法を提供する。
０≦ＳＰ２≦１．０      ：（２）
【００１７】
［４］色材受容層付き画像支持体の製造装置：
前記基材シートと色材受容層とを備えた［１］に記載の転写材と、前記転写材を搬送経路に送り出す供給部と、画像支持体を搬送経路に送り出す画像支持体供給部と、前記搬送経路に送り出された前記画像支持体に、前記転写材を構成する前記色材受容層を付着させる付着部と、前記転写材から前記基材シートを剥離する剥離部と、を備え、前記画像支持体のＳＰ値と、前記転写材の前記画像支持体に当接する層のＳＰ値との差ＳＰ２が、下記式（２）の関係を満たす画像支持体が用いられていることを特徴とする色材受容層付き画像支持体の製造装置を提供する。
０≦ＳＰ２≦１．０      ：（２）
【００１８】
［５］第１の記録物：
画像が支持された画像支持体と、画像が記録された色材受容層と、を備え、前記色材受容層が、前記［２］に記載の色材受容層付き画像支持体を構成する色材受容層に画像が記録されたものであり、且つ、前記画像支持体および前記色材受容層が順次積層された積層構造を有することを特徴とする記録物を提供する。
【００１９】
［６］第１の記録物の製造方法：
画像支持体と、画像が記録された色材受容層と、を備えた記録物の製造方法であって、前記［２］に記載の色材受容層付き画像支持体の前記色材受容層に画像を記録する工程である工程４を備えることを特徴とする記録物の製造方法を提供する。
【００２０】
［７］第１の記録物の製造装置：
前記［２］に記載の色材受容層付き画像支持体に画像を記録するための記録物の製造装置であって、前記色材受容層付き画像支持体を搬送する搬送手段と、前記色材受容層付き画像支持体を構成する前記色材受容層に、色材を付与して画像を記録する記録部と、を備えることを特徴とする記録物の製造装置を提供する。
【００２１】
［８］第２の転写材：
基材シートと、色材受容層と、更に透明シートとを備え、且つ、前記基材シート、前記透明シートおよび前記色材受容層が順次積層された積層構造を有し、前記色材受容層が、少なくとも、無機微粒子、水溶性樹脂および重量平均分子量が１５，０００以下であるカチオン性樹脂を含有したものであり、且つ、転写材を転写する画像支持体のＳＰ値と、前記画像支持体に当接する前記色材受容層のＳＰ値との差のＳＰ２が、下記式（２）の関係を満たすように構成されていることを特徴とする転写材を提供する。
０≦ＳＰ２≦１．０      ：（２）
【００２２】
［９］第２の記録物：
画像が支持された画像支持体と、画像が記録された転写材と、を備え、前記転写材が、基材シートと、色材受容層と、更に透明シートとを備える前記［８］に記載の転写材を構成する色材受容層に画像が記録され、且つ、前記基材シートが剥離された構成のものであり、前記画像支持体、前記色材受容層および前記透明シートが順次積層された積層構造を有し、前記画像支持体のＳＰ値と、前記転写材の前記画像支持体に当接する層のＳＰ値との差ＳＰ２が、下記式（２）の関係を満たすことを特徴とする記録物を提供する。
０≦ＳＰ２≦１．０      ：（２）
【００２３】
［１０］第２の記録物の製造方法：
画像支持体と、画像が記録された記録媒体と、を備えた記録物の製造方法であって、基材シートと、色材受容層と、更に透明シートとを備える前記［８］に記載の転写材を構成する色材受容層に画像を記録する工程である工程５と、前記画像支持体のＳＰ値と、前記転写材の前記画像支持体に当接する層のＳＰ値との差ＳＰ２が、下記式（２）の関係を満たすものを用い、前記画像支持体に、前記転写材を構成する色材受容層と透明シートとを加熱圧着して積層する工程である工程６と、前記転写材から前記基材シートを剥離する工程である工程７と、を備えることを特徴とする記録物の製造方法を提供する。
０≦ＳＰ２≦１．０      ：（２）
【００２４】
［１１］第２の画像記録装置：
基材シートと、色材受容層と、更に透明シートとを備えた前記［８］に記載の転写材を搬送経路に送り出す供給部と、前記搬送経路に送り出された前記転写材を構成する前記色材受容層に、色材を付与して画像を記録する記録部と、を備えることを特徴とする画像記録装置を提供する。
【００２５】
［１２］第２の記録物の製造装置：
前記［１１］に記載の画像記録装置を有する、記録物の製造装置であって、更に、画像支持体のＳＰ値と、転写材の前記画像支持体に当接する層のＳＰ値との差ＳＰ２が、下記式（２）の関係を満たす画像支持体と、前記画像支持体を搬送経路に送り出すための画像支持体供給部と、前記搬送経路に送り出された前記画像支持体に、前記転写材を付着させる付着部と、前記転写材から前記基材シートを剥離する剥離部と、を備えることを特徴とする記録物の製造装置を提供する。
０≦ＳＰ２≦１．０      ：（２）
【発明の効果】
【００２６】
本発明によれば、前記課題を解決するためになされたものである。即ち、本発明は記録物の生産性向上、情報セキュリティーの向上、記録物の耐候性（擦過性、耐光性）の向上、記録コストの低減を図ることが可能な転写材、色材受容層付き画像支持体および記録物、並びにこれらの製造方法および製造装置等の提供が可能になる。
【図面の簡単な説明】
【００２７】
【図１】本発明の第１の記録物の一の実施形態を模式的に示す断面図である。
【図２】本発明の第１の転写材の一の実施形態を模式的に示す断面図である。
【図３】本発明の第１の転写材の別の実施形態を模式的に示す断面図である。
【図４】本発明の色材受容層付き画像支持体を模式的に示す断面図である。
【図５】本発明の第１の転写材を画像支持体に貼付した状態を示す図であり、記録媒体を厚さ方向に切断した断面を模式的に示す断面図である。
【図６】本発明の第１の転写材と画像支持体との積層体から分離爪により基材シートを剥離する工程を模式的に示す断面図である。
【図７】本発明の第１の転写材と画像支持体との積層体から剥離ロールにより基材シートを剥離する工程を模式的に示す断面図である。
【図８】画像支持体の両面に転写材を貼付した状態を模式的に示す上面図と側面図である。
【図９】隙間吸収型の色材受容層に顔料インクが定着した状態を模式的に示す断面図である。
【図１０】膨潤吸収型の色材受容層にインクが定着した後の色材受容層の膨潤状態を模式的に示す断面図である。
【図１１】隙間吸収型の色材受容層に染料インクが定着した後に染料インクがマイグレーションした状態を模式的に示す断面図である。
【図１２】本発明の記録物を製造する第１の製造装置の構成例を模式的に示す側面図である。
【図１３】第１の製造装置とコントローラとの接続状態を示すブロック図である。
【図１４】図１３に示した記録部の制御系の構成を示すブロック図である。
【図１５】第１の製造装置の動作フローを示すフローチャートである。
【図１６】図２に示す第１の転写材にプレカット処理を施した状態を模式的に示す断面図である。
【図１７】プレカット処理を経て得られた記録物の構成を模式的に示す断面図である。
【図１８】本発明の記録物を製造する第２の製造装置の構成例を模式的に示す側面図である。
【図１９】ロール状転写材の一の実施形態を模式的に示す斜視図である。
【図２０】転写材と画像支持体の加熱圧着を行う製造装置の一の実施形態を模式的に示す側面図である。
【図２１】ロール状転写材の別の実施形態を模式的に示す斜視図である。
【図２２】図２０に示す製造装置に図２１に示すロール状転写材を使用した例を模式的に示す側面図である。
【図２３】色材受容層付き画像支持体に印字を行うプリンタの別の例を示す斜視図である。
【図２４】色材受容層付き画像支持体に印字を行うプリンタの搬送機構を示す斜視図である。
【図２５】ラインヘッドプリンタの搬送機構の更に別の例を模式的に示す側面図である。
【図２６】転写材と画像支持体の加熱圧着を行う製造装置の別の実施形態を模式的に示す側面図である。
【図２７】色材受容層付き画像支持体に印字を行うプリンタの更に別の例を示す斜視図である。
【図２８】図２７に示すプリンタの記録ヘッドの例を示す斜視図である。
【図２９】記録物の製造方法の工程を模式的に示す工程図である。
【図３０】本発明の第２の記録物の一の実施形態を模式的に示す断面図である。
【図３１】本発明の第２の転写材の一の実施形態を模式的に示す断面図である。
【図３２】本発明の第２の転写材の別の実施形態を模式的に示す断面図である。
【図３３】本発明の第２の転写材を模式的に示す斜視図である。
【図３４】隙間吸収型の色材受容層に顔料インクが定着した状態を模式的に示す断面図である。
【図３５】膨潤吸収型の色材受容層にインクが定着した後の色材受容層の膨潤状態を模式的に示す断面図である。
【図３６】隙間吸収型の色材受容層に染料インクが定着した後に染料インクがマイグレーションした状態を模式的に示す断面図である。
【図３７】本発明の転写材にマーキングを印刷した状態を示す模式図である。
【図３８】本発明の転写材に貼り合わせガイドを印刷した状態を示す模式図である。
【図３９】本発明の第２の転写材の別の実施形態を模式的に示す断面図である。
【図４０】本発明の第２の転写材を画像支持体に貼付した状態を示す図であり、記録媒体を厚さ方向に切断した断面を模式的に示す断面図である。
【図４１】本発明の第２の転写材を画像支持体に貼付し、記録物を形成した状態を模式的に示す斜視図である。
【図４２】本発明の第２の転写材と画像支持体との積層体から分離爪により基材シートを剥離する工程を模式的に示す断面図である。
【図４３】本発明の第２の転写材と画像支持体との積層体から剥離ロールにより基材シートを剥離する工程を模式的に示す断面図である。
【図４４】本発明の第２の記録物を製造する第６の製造装置の構成例を模式的に示す側面図である。
【図４５】第６の製造装置とコントローラとの接続状態を示すブロック図である。
【図４６】図４５に示した記録部の制御系の構成を示すブロック図である。
【図４７】第６の製造装置の動作フローを示すフローチャートである。
【図４８】図３０に示す転写材にプレカット処理を施した状態を模式的に示す断面図である。
【図４９】プレカット処理を経て得られた記録物の構成を模式的に示す断面図である。
【図５０】従来のカット処理部分にインクが侵入した状態を模式的に示す断面図である。
【図５１】プレカット処理部分にインクが侵入した状態を模式的に示す断面図である。
【図５２】本発明の記録物を製造する第７の製造装置の構成例を模式的に示す側面図である。
【図５３】転写材に印字を行うプリンタの一の例を示す斜視図である。
【図５４】転写材に印字を行うプリンタの搬送機構を模式的に示す側面図である。
【図５５】ラインヘッドプリンタの搬送機構の一の例を模式的に示す側面図である。
【図５６】ラインヘッドプリンタの搬送機構の別の例を模式的に示す側面図である。
【図５７】転写材と画像支持体の加熱圧着を行う製造装置の別の実施形態を模式的に示す側面図である。
【図５８】第２の記録物の製造方法の工程を模式的に示す工程図である。
【発明を実施するための形態】
【００２８】
以下、本発明について図面を参照しながら詳細に説明する。但し、本発明は下記の実施形態に限定されず、その発明特定事項を有する全ての対象を含むものである。なお、同一構造の部材については図面において同一の符号を付し、その説明を省略する場合がある。
【００２９】
本発明者らは前記課題について鋭意検討を行った。その結果、本発明では、画像精度に優れ、しかもその生産性を飛躍的に向上せしめることが可能な、画像記録方法を実現した。
【００３０】
本発明では、インクジェット方式で好適に対応できる。インクジェット方式においては、十分な画像濃度を実現するためには、多量のインクを色材受容層が吸収する必要がある。このため、転写材を構成する色材受容層はやや厚くする必要があり、厚い色材受容層の転写剥離には転写不良等のインクジェット特有の課題も生ずる。
【００３１】
第１の本発明では、画像支持体に転写材の色材受容層を完全に転写させる必要があるが、ヒートローラ等で熱をかけて記録後の転写材と画像支持体を転写（密着）させる際に、画像支持体と転写材に使用される材質等で密着性が低下するなど剥離性及び密着性に課題が生じたり、加熱による細孔の変化によりインクの吸収性に課題が生じたりする場合がある。そこで、本発明では色材受容層中にカチオン性樹脂（以下、カチオン剤とも呼ぶ）を添加し、カチオン剤の分子量を１５０００以下に制御することで、その課題を克服した。より好ましくは、カチオン剤の融点、画像支持体と色材受容層のＳＰ値と基材シートと色材受容層のＳＰ値を制御することで、上記課題が更に解決できることを見出した。
【００３２】
図１は、第１の本発明の色材受容層付き画像支持体の一の実施形態を示す図であり、色材受容層付き画像支持体を厚さ方向に切断した断面を模式的に示す断面図である。本発明の色材受容層付き画像支持体は、図２に示す第１の転写材を画像支持体５５に加熱圧着させ、基材シート５０を剥離することによって得られる。本発明の工程を具体的に説明すると、図２９に示すように、まず、ヒートロールを用いて転写材と画像支持体を加熱圧着して、画像支持体５５に色材受容層５３と転写させる（工程１）。つぎに、剥離ロール８８を用いて転写材の基材シート５０を剥離する（工程２）。最後に、色材受容層付き画像支持体の色材受容層５３に画像７２を記録ヘッド６０７で印字を行う（工程４）により記録物を得ることができる。
【００３３】
また、第１の本発明においては、前記色材受容層が少なくとも無機微粒子、水溶性樹脂、カチオン性樹脂を含有し、前記カチオン性樹脂の平均分子量を１５，０００以下に制御することによって、画像支持体に対し、色材受容層を良好に転写することができる。更に好ましくは、転写材の基材シートのＳＰ値と、転写材の基材シートに当接する層のＳＰ値との差ＳＰ１、および画像支持体のＳＰ値と、転写材の画像支持体に当接する層のＳＰ値との差ＳＰ２を下記式（１）、（２）を満たすように制御することによって、画像支持体に対し、色材受容層を更に良好に転写することができる。
１．１≦ＳＰ１≦３      ：（１）
０≦ＳＰ２≦１．０      ：（２）
【００３４】
一方、第２の本発明では、画像支持体に、転写材の透明シートと色材受容層を完全に転写させる必要があるが、ヒートローラ等で熱をかけて記録後の転写材と画像支持体を転写（密着）させる際に、画像支持体と転写材に使用される材質等で密着性が低下するなど剥離性及び密着性に課題が生ずる場合がある。そこで、本発明では、色材受容層中にカチオン剤を添加し、カチオンの分子量を１５０００以下に制御すること、より好ましくは更にその融点を制御し、画像支持体と色材受容層のＳＰ値と基材シートと透明シートのＳＰ値を制御することで、上記課題を更に克服した。
【００３５】
第２の本発明においては、図４０に示すように、画像支持体５５に基材シート５０の表面に積層された透明シート５２と色材受容層５３とを転写する際、色材受容層５３と画像支持体５５の密着性が向上し、画像支持体５５に転写材を完全に転写させることができる。その後、転写材の基材シート５０を剥離することで、図３０に示すように、最表面層に、印字された色材受容層５３を保護する透明シート５２の保護層が形成できるため、耐擦過性や耐候性に優れた記録物を得ることが可能になる。本発明の工程を具体的に説明すると、図５８に示すように、まず転写材の色材受容層５３に記録ヘッド６０７で反転画像７２を記録する（工程５）。次に、ヒートローラ２１を用いて転写材と画像支持体を加熱圧着して、画像支持体５５に色材受容層５３を転写させる（工程６）。最後に剥離ロール８８を用いて基材シート５０を剥離する（工程７）ことで、記録物を得る。
【００３６】
図３１は、本発明の転写材の二の実施形態を示す図であり、転写材を厚さ方向に切断した断面を模式的に示す断面図である。本発明の第２の転写材は、図３１に示すように、基材シート５０と透明シート５２と色材受容層５３と、を備えた転写材である。
【００３７】
上記構成においては、第２の転写材は、後述する転写により、透明シートと色材受容層を画像支持体上に形成する際、前記色材受容層が少なくとも無機微粒子、水溶性樹脂、カチオン性樹脂を含有し、前記カチオン性樹脂の平均分子量が１５，０００以下であり、更に好ましい態様では、転写材の基材シートのＳＰ値と、転写材の基材シートに当接する層のＳＰ値との差ＳＰ１、および画像支持体のＳＰ値と、転写材の画像支持体に当接する層のＳＰ値との差ＳＰ２を下記式（１）、（２）を満たすように制御することによって、画像支持体に対し、透明シートと色材受容層を良好に転写することができる。
１．１≦ＳＰ１≦３      ：（１）
０≦ＳＰ２≦１．０      ：（２）
【００３８】
ここで、ＳＰ値について説明する。ＳＰ値は溶解度パラメーターを示し、ヒルデブラントパラメータとも呼ばれる。正則溶液論では溶媒−溶質間に作用する力は分子間力のみと仮定されるので溶解パラメーターは分子間力を表す尺度として使用される。実際の溶液は正則溶液とは限らないが、２つの成分のＳＰ値の差が小さいほど溶解度が大となることが経験的に知られている。
【００３９】
正則溶液理論では溶媒−溶質間に作用する力は分子間力のみとモデル化されているので、液体分子を凝集させる相互作用が分子間力のみであると考えることが出来る。液体の凝集エネルギーΔＥは蒸発エンタルピーとΔＨ＝ΔＥ＋ＰΔＶの関係にあることから、モル蒸発熱ΔＨとモル体積Ｖより、溶解パラメータ−を下記式で定義する。すなわち、１ｃｍ3の液体が蒸発するために必要な蒸発熱の平方根（ｃａｌ／ｃｍ3）1/2から計算される。
【００４０】
【数１】
2017030342.tif 000002
【００４１】
実際の溶液が正則溶液であることは稀であるが、溶媒−溶質分子間には水素結合など分子間力以外の力も作用し、２つの成分が混合するか相分離するかはそれらの成分の混合エンタルピーと混合エントロピーの差で熱力学的に決定される。しかし経験的に溶解パラメーターが近い物質は混ざりやすい傾向を持つ。そのためＳＰ値は溶質と溶媒の混ざりやすさを判断する目安ともなる。但し、本発明のようなプラスチックの基材では相溶性は使用する材質の極性によって左右され、極性が高いほど相溶性が高く、分子結合力を示すＣＤ（凝集エネルギー密度）の平方根であらわされるＳＰ値が近いほど相溶性が高い。
【００４２】
なお、本発明においては、ＳＰ値は下記一般式（４）で示される。代表的なＳＰ値を表１に示す。表１に示すＳＰ値は、「プラスチック加工技術ハンドブック」、１９９５年６月１２日、高分子学会編、日刊工業新聞社発行、１４７４頁、表３．２０に示される各種プラスチックのＳＰ値を転記したものである。
【００４３】
（ＳＰ）2＝ＣＥＯ＝ΔＥ／Ｖ＝（ΔＨ−ＲＴ）／Ｖ＝ｄ（ＣＥ）／Ｍ      （４）
［ΔＥ：蒸発エネルギー（ｋｃａｌ／ｍｏｌ）、Ｖ：モル体積（ｃｍ2／ｍｏｌ）、ΔＨ：蒸発エネルギー（ｋｃａｌ／ｍｏｌ）、Ｒ：ガス定数、Ｍ：グラム分子量（ｇ／ｍｏｌ）、Ｔ：絶対温度（Ｋ）、ｄ：密度（ｇ／ｃｍ3）、ＣＥ：凝集エネルギー（ｋｃａｌ／ｍｏｌ）］
【００４４】
【表１】
2017030342.tif 000003
【００４５】
ＳＰ値は値が近いものほど相溶性が高くなるため、高い接着性を示す。このため、第１の本発明においては、画像支持体のＳＰ値と、転写材の画像支持体に当接する層（図２の形態の場合は色材受容層）のＳＰ値との差ＳＰ２が、下記式（２）の関係を満たすようにすることによって画像支持体と色材受容層の相溶性が高くなり、画像支持体と色材受容層は高い接着性を示す。一方で、基材シートのＳＰ値と、転写材の基材シートに当接する層のＳＰ値との差ＳＰ１が、下記式（１）の関係を満たすようにすることで、色材受容層と基材シートの接着性は比較的弱い状態で積層されていることなる。この範囲にすることで、転写時においては基材シートを色材受容層から容易に剥離しやすい状況なり、一方で、色材受容層と画像支持体は接着性をより強固にすることができるため、転写時の転写性を高めることができる。
１．１≦ＳＰ１≦３      ：（１）
０≦ＳＰ２≦１．０      ：（２）
【００４６】
また、第２の本発明においては、画像支持体のＳＰ値と、転写材の画像支持体に当接する層（図３１の形態の場合は色材受容層）のＳＰ値との差ＳＰ２が、下記式（２）の関係を満たすようにすることによって画像支持体と色材受容層の相溶性が高くなり、画像支持体と色材受容層は高い接着性を示す。一方で、基材シートのＳＰ値と、転写材の基材シートに当接する層のＳＰ値との差ＳＰ１が、下記式（１）の関係を満たすようにすることで、透明シートと基材シートの接着性は比較的弱い状態で積層されていることなる。この範囲にすることで、転写時においては基材シートを透明シートから容易に剥離しやすい状況になり、一方で、色材受容層と画像支持体は接着性をより強固にすることができる。この結果、転写時の転写性を高めることができる。
１．１≦ＳＰ１≦３      ：（１）
０≦ＳＰ２≦１．０      ：（２）
【００４７】
［１］第１の転写材：
本発明の第１の転写材は、図２に示すように、色材を受容する色材受容層５３と、色材受容層５３を支持する基材シート５０と、を備えている。色材受容層転写材１は、画像支持体に色材受容層を転写する際の中間シートとして作用する。色材受容層転写材の色材受容層を画像支持体に転写することで、画像支持体に色材受容層が形成され、画像を形成することが可能となる。
【００４８】
［１−１］色材受容層：
色材受容層は、色材を受容する層である。そして、前記色材受容層は、少なくとも無機微粒子、水溶性樹脂および重量平均分子量が１５，０００以下のカチオン性樹脂を含有する。色材受容層の形態としては、水溶性高分子の網目構造中に色材（例えばインク等）を受容する膨潤吸収型と、無機微粒子により形成される空隙中に色材を受容する空隙吸収型が存在する。本発明の転写材は、少なくとも無機微粒子、水溶性樹脂および重量平均分子量が１５，０００以下のカチオン性樹脂を含有する組成物からなる空隙吸収型の色材受容層を備えている。空隙吸収型の色材受容層は、画像支持体に加熱圧着させても、無機微粒子によって形成される空隙の容量を維持することができ、色材を速やかに吸収すること（顔料インクの場合、色材は表面に色材受容層表面に定着し、溶媒および水成分は色材受容層内部に吸収される）ができる。また、色材受容層と画像支持体とが完全に密着しない不具合（転写不良）を抑制することができる。
【００４９】
［１−１−１］無機微粒子：
無機微粒子は、無機材料からなる微粒子である。無機微粒子は色材受容層に色材を受容する空隙を形成する機能を有する。
【００５０】
無機微粒子を構成する無機材料の種類は特に限定されない。但し、インク吸収能が高く、発色性に優れ、高品位の画像が形成可能な無機材料であることが好ましい。例えば、炭酸カルシウム、炭酸マグネシウム、カオリン、クレー、タルク、ハイドロタルサイト、珪酸アルミニウム、珪酸カルシウム、珪酸マグネシウム、ケイソウ土、アルミナ、コロイダルアルミナ、水酸化アルミニウム、ベーマイト構造のアルミナ水和物、擬ベーマイト構造のアルミナ水和物、リトポン（硫酸バリウムと硫化亜鉛の混合物）、ゼオライト等を挙げることができる。
【００５１】
これらの無機材料からなる無機微粒子の中でも、アルミナおよびアルミナ水和物からなる群より選択される少なくとも１種の物質からなるアルミナ微粒子が好ましい。アルミナ水和物としては、ベーマイト構造のアルミナ水和物、擬ベーマイト構造のアルミナ水和物などを挙げることができる。アルミナ、ベーマイト構造のアルミナ水和物、擬ベーマイト構造のアルミナ水和物は、色材受容層の透明性および画像の記録濃度を向上させることができる点において好ましい。
【００５２】
ベーマイト構造のアルミナ水和物は、長鎖のアルミニウムアルコキシドに対して酸を添加して加水分解・解膠を行うことによって得ることができる（特開昭５６−１２０５０８号公報参照）。解膠には有機酸、無機酸のいずれを用いてもよい。但し、硝酸を用いることが好ましい。硝酸を用いることにより、加水分解の反応効率を向上させることができ、形状が制御されたアルミナ水和物を得ることができ、分散性が良好な分散液を得ることができる。
【００５３】
無機微粒子は、その平均粒子径が１２０ｎｍ以上２５０ｎｍ以下であることが好ましい。前記平均粒子径を１２０ｎｍ以上、好ましくは１４０ｎｍ以上とすることで、色材受容層のインク吸収性を向上させることができ、記録後の画像におけるインクの滲みやビーディングを抑制することができる。一方、前記平均粒子径を２５０ｎｍ以下、好ましくは２２０ｎｍ以下とすることで、無機微粒子による光散乱を抑制し、色材受容層の光沢性および透明性を向上させることができる。また、色材受容層の単位面積当たりの無機微粒子数を増加させることができるため、インク吸収性を向上させることができる。従って、画像の記録濃度を向上させることができ、記録後の画像のくすみを抑制することができる。
【００５４】
無機微粒子は、公知の無機微粒子をそのまま用いてもよいし、粉砕分散機などを用いて公知の無機微粒子の平均粒子径、多分散指数を調整したものを用いてもよい。粉砕分散機の種類は特に限定されない。例えば、高圧ホモジナイザー、超音波ホモジナイザー、湿式メディア型粉砕機（サンドミル、ボールミル）、連続式高速撹拌型分散機、超音波分散機などの従来公知の粉砕分散機を用いることができる。
【００５５】
粉砕分散機をより具体的に例示すると、以下全て商品名で、マントンゴーリンホモジナイザー、ソノレータ（以上、同栄商事製）；マイクロフルイタイザー（みずほ工業製）；ナノマイザー（月島機械製）；アルティマイザー（伊藤忠産機製）；パールミル、グレンミル、トルネード（以上、浅田鉄鋼製）；ビスコミル（アイメックス製）；マイティーミル、ＲＳミル、ＳΓミル（以上、井上製作所製）；荏原マイルダー（荏原製作所製）；ファインフローミル、キャビトロン（以上、太平洋機工製）；などを挙げることができる。
【００５６】
また、無機微粒子は、前記平均粒子径の範囲を満たし、且つ、多分散指数（μ／＜Γ＞2）が０．０１以上０．２０以下であることが好ましく、更に好ましくは、０．０１以上０．１８以下とすることが好ましい。上記の範囲に設定することで粒子の大きさを一定に保つことが可能になるため、色材受容層の光沢性および透明性を向上させることができる。従って、画像の記録濃度を向上させることができ、記録後の画像のくすみを抑制することができる。
【００５７】
なお、本明細書にいう平均粒子径および多分散指数は動的光散乱法によって測定された値を、「高分子の構造（２）散乱実験と形態観察  第１章  光散乱」（共立出版  高分子学会編）、或いはＪ．Ｃｈｅｍ．Ｐｈｙｓ．，７０（Ｂ），１５  Ａｐｌ．，３９６５（１９７９）に記載のキュムラント法により解析することで求めることができる。動的光散乱の理論によれば、異なる粒径を持つ微粒子が混在している場合、散乱光からの時間相関関数の減衰に分布を有する。この時間相関関数をキュムラント法により解析することで、減衰速度の平均（＜Γ＞）と分散（μ）が求まる。減衰速度（Γ）は粒子の拡散係数と散乱ベクトルの関数で表わされるため、ストークス−アインシュタイン式を用いて、流体力学的平均粒径を求めることができる。従って、減衰速度の分散（μ）を平均の二乗（＜Γ＞2）で除した多分散指数（μ／＜Γ＞2）は、粒径の散らばりの度合いを表わしており、値が０に近づく程、粒径の分布は狭くなることを意味する。本発明で定義される平均粒子径及び多分散指数は、例えば、レーザー粒径解析装置ＰＡＲＩＩＩ（大塚電子製）等を用いて容易に測定することができる。
【００５８】
前記無機微粒子は１種を単独で、或いは２種以上を混合して用いることができる。「２種以上」とは、材質自体が異なるものの他、平均粒子径、多分散指数等の特性が異なるものも含まれる。
【００５９】
［１−１−２］水溶性樹脂：
水溶性樹脂は、２５℃において、水と完全に混和するか、水に対する溶解度が１（ｇ／１００ｇ）以上の樹脂である。水溶性樹脂は、無機微粒子を結着するバインダーとして機能する。
【００６０】
水溶性樹脂としては、例えば、澱粉、ゼラチン、カゼインおよびこれらの変性物；
メチルセルロース、カルボキシメチルセルロース、ヒドロキシエチルセルロースなどのセルロース誘導体；  ポリビニルアルコール（完全けん化、部分ケン化、低けん化など）またはこれらの変性物（カチオン変性物、アニオン変性物、シラノール変性物など）；尿素系樹脂、メラミン系樹脂、エポキシ系樹脂、エピクロルヒドリン系樹脂、ポリウレタン系樹脂、ポリエチレンイミン系樹脂、ポリアミド系樹脂、ポリビニルピロリドン系樹脂、ポリビニルブチラール系樹脂、ポリ（メタ）アクリル酸またはその共重合体樹脂、アクリルアミド系樹脂、無水マレイン酸系共重合体樹脂、ポリエステル系樹脂などの樹脂；などを挙げることができる。
【００６１】
前記水溶性樹脂の中でも、ポリビニルアルコール、特にポリ酢酸ビニルを加水分解（けん化）することにより得られる、けん化ポリビニルアルコールが好ましい。ポリビニルアルコールのＳＰ値は後述するＰＶＣやＰＥＴ−ＧのＳＰ値と値が近い。従って、ポリビニルアルコールは、画像支持体としてＰＶＣやＰＥＴ−Ｇを使用した場合に、画像支持体と色材受容層との密着性（転写性能）を向上させることができ、特に好ましく用いられる。
【００６２】
色材受容層は、けん化度７０ｍｏｌ％以上１００ｍｏｌ％以下のポリビニルアルコールを含有する組成物からなることが好ましい。けん化度とは、ポリビニルアルコールの酢酸基と水酸基の合計モル数に対する水酸基のモル数の百分率を意味する。
【００６３】
前記けん化度を７０ｍｏｌ％以上、好ましくは８６ｍｏｌ％以上とすることで、色材受容層が過度に硬くならず、色材受容層に十分な粘弾性を付与することができる。従って、基材シートから色材受容層を剥離させ易い状態とすることができる。また、無機微粒子とポリビニルアルコールを含む塗工液の粘度を低下させることができる。従って、基材シートに対して前記塗工液を塗工し易くなり、転写材の生産性を向上させることできる。一方、けん化度を１００ｍｏｌ％以下、好ましくは９０ｍｏｌ％以下とすることで、色材受容層に適度な親水性を付与することができ、インクの吸収性が良好となる。従って、色材受容層に高品位の画像を記録することが可能となる。
【００６４】
前記けん化度の範囲を満たす、けん化ポリビニルアルコールとしては、完全けん化ポリビニルアルコール（けん化度９８ｍｏｌ％以上９９ｍｏｌ％以下）、部分けん化ポリビニルアルコール（けん化度８７ｍｏｌ％以上８９ｍｏｌ％以下）、低けん化ポリビニルアルコール（けん化度７８ｍｏｌ％以上８２ｍｏｌ％以下）などを挙げることができる。中でも、部分けん化ポリビニルアルコールが好ましい。
【００６５】
色材受容層は、重量平均重合度が２，０００以上５，０００以下のポリビニルアルコールを含有する組成物からなることが好ましい。
【００６６】
重量平均重合度を２，０００以上、更に好ましくは３，０００以上とすることで、ポリビニルアルコールが適度な粘度を有するようになり、色材受容層に十分な粘弾性を付与することができる。従って、基材シートから色材受容層を剥離させ易い状態とすることができる。一方、重量平均重合度を５，０００以下、好ましくは４，５００以下とすることで、無機微粒子とポリビニルアルコールを含む塗工液の粘度を低下させることができる。従って、基材シートに対して前記塗工液を塗工し易くなり、転写材の生産性を向上させることができる。また、色材受容層の細孔が埋まることを防止し、細孔の開口状態を良好に保つことができ、インクの吸収性が良好となる。従って、色材受容層に高品位の画像を記録することが可能となる。
【００６７】
重量平均重合度の値は、ＪＩＳ−Ｋ−６７２６に記載の方法に準拠して算出された値である。
【００６８】
前記水溶性樹脂は、１種を単独で、或いは２種以上を混合して用いることができる。「２種以上」とは、けん化度、重量平均重合度などの特性が異なるものも含まれる。
【００６９】
水溶性樹脂の量は、無機微粒子１００質量部に対し、３．３質量部以上２０質量部以下とすることが好ましい。水溶性樹脂の量を３．３質量部以上、好ましくは５質量部以上とすることで、色材受容層のひび割れや粉落ちが発生し難くなる。一方、水溶性樹脂の量を２０質量部以下、好ましくは１５質量部以下とすることで、画像支持体に加熱圧着させる際の熱や圧力によっても空隙容量を維持することができ、インクの吸収性が良好となる。
【００７０】
［１−１−３］カチオン性樹脂：
本発明で使用するカチオン性樹脂は、分子中にカチオン性の原子団（例えば、４級アンモニウム等）を有する樹脂である。また、前記カチオン性樹脂の重量平均分子量は１５，０００以下である。また、本発明で使用するカチオン性樹脂のＳＰ値は、画像支持体を構成する樹脂のＳＰ値と近いを示すだけでなく、画像支持体に転写材を加熱圧着させる際の熱で容易に溶融し、また、静電気的な結合も促進するため、画像支持体と色材受容層との接着性を更に強固なものとし、画像支持体と色材受容層との密着性（転写性能）を向上させることができる。すなわち、カチオン性樹脂は一般的にマイナスに帯電しているインクと静電気的に結合するため、色材受容層中にインクを定着させることができるが、この機能に加え、本発明で使用する１５，０００以下の重量平均分子量を持つカチオン性樹脂は、（１）画像支持体のＳＰ値に近い値となるようなものを選択しているため、画像支持体と親和性が高く、転写時の画像支持体と色材容層との接着性を向上させることができる。また、本発明で使用するカチオン性樹脂は、（２）融点が低く、転写時の熱で容易に溶融するので、画像支持体と色材受容層との接着性をさらに強くする。さらに、本発明で使用するカチオン性樹脂は、（３）分子量が小さいため、色材受容層への添加量が少なくても、色材受容層中に多くの分子を添加できる。よって、一般的にマイナスに帯電している画像支持体と静電気的に結合できるカチオン基を、色材受容層の表面に介在させることができ、結果として、画像支持体と接着性を向上させることができる。したがって、本発明で使用するカチオン性樹脂は、上記３つの効果により、色材受容層の画像支持体への転写性能を高める役目を果たしている。
【００７１】
このようなカチオン性樹脂としては、例えばポリアリルアミン（例えば、アリルアミン系重合物、ジアリルアミン系重合物等）およびウレタン系重合物から選択される少なくとも１種の重合物を用いることが好ましい。これらの中でも、特に後述する平均分子量が５，０００以下のポリアリルアミンは、（１）融点が８０℃付近と低く、画像支持体に転写材を加熱圧着させる際に容易に溶融すること；（２）分子構造が小さいために、色材受容層表面において単位面積当たりのカチオン基を多く存在させることができ、画像支持体に対する静電気的な結合を促進することができること；等の理由から、特に好ましく用いることができる。
【００７２】
なお、ポリアリルアミンは、下記一般式（５）で示される少なくとも１種のポリアリルアミンであることが好ましい。
【００７３】
【化１】
2017030342.tif 000004
【００７４】
（式中、Ｒ3、Ｒ4、Ｒ5は、水素原子、置換基を有してもよいアルキル基、アルケニル基、アルカノール基、アリルアルキル基、アリルアルケニル基を示す。また、Ｒ3、Ｒ4、Ｒ5はそれぞれ同一であっても異なっていてもよい。Ｘ-は、無機系、有機系の陰イオンを示す。ｎは重合度を示す整数である。）
【００７５】
前記カチオン性樹脂の重量平均分子量は、１５，０００以下であり、好ましくは１，０００以上１５，０００以下、より好ましくは１，０００以上１０，０００以下、更に好ましくは１，０００以上５，０００以下である。平均分子量を前記範囲内とすることで塗工液の安定性を向上させることができることに加えて、色材受容層の空隙が減少し難く、色材の吸収性を維持することができる。更に、前記カチオン性樹脂の分子量５，０００以下とすると、画像支持体と接する色材受容層の表面にカチオン基（即ち、静電気的な結合を行う吸着サイト）をより多く分布させることができるため、画像支持体と色材受容層との密着性（転写性能）を更に向上させることができる。なお、平均分子量が１５０００より大きくなると画像支持体と接する色材受容層の表面にカチオン基（則ち、静電気的な結合を行う吸着サイト）が少なくなるため、画像支持体との密着性（転写性能）が低下する。一方、重量平均分子量が１０００より小さくなると、印刷時のインク溶媒とともに色材受容層内部にカチオン性樹脂が移動してしまい色材受容層の表面に分布するカチオン基の量が少なくなるため、好ましくない。
【００７６】
前記カチオン性樹脂の使用量は無機微粒子（アルミナ水和物等）に対して０．０１質量％以上５質量％以下とすることが好ましく、０．０１質量％以上３質量％以下とすることが好ましい。前記カチオン性樹脂の使用量が前記範囲を超えると、前記無機微粒子の分散液や前記分散液にバインダーを添加した塗工液の粘度が高くなり、前記分散液または前記塗工液の保存性や塗工性が低下する場合がある。
【００７７】
カチオン性樹脂の融点は、６０℃以上１６０℃以下であることが好ましい。カチオン性樹脂の融点を前記範囲内とすることで、画像支持体に対して転写材を加熱圧着させる際にカチオン性樹脂を溶融させることができ、画像支持体と色材受容層との密着性（転写性能）を向上させることができる。
【００７８】
［１−１−４］その他の添加物
色材受容層には、色材受容層の膜強度を調整し、または画像支持体と色材受容層との密着性（転写性能）を向上させる目的で、熱融着性樹脂を含有させることが好ましい。熱融着性樹脂としては後述するプライマー層に含有させる樹脂と同様の樹脂を用いることができる。熱融着性樹脂を色材受容層に含有させることにより、プライマー層を設けなくても画像支持体と色材受容層との密着性（転写性能）を向上させることができ、また、色材受容層からの基材シートの剥離性を向上させることができる。但し、熱融着性樹脂を過剰に加えると、転写の際の熱や圧力により過剰の樹脂が色材受容層の細孔を埋めてしまい、色材の吸収性、ひいては画像品位が低下する場合がある。
【００７９】
［１−１−５］厚さ：
色材受容層の厚さは、特に限定されない。但し、色材受容層の厚さが１０μｍ以上４０μｍ以下であることが好ましい。色材受容層の厚さを１０μｍ以上、好ましくは１５μｍ以上とすることで、インクの吸収性を確保することができる。また、インクの吸収性およびインクの定着性が良好となる。一方、色材受容層の厚さを４０μｍ以下、より好ましくは２０μ以下とすることで、画像支持体に加熱圧着させる際にも熱伝導を良好にできるため、画像支持体と色材受容層との密着性（転写性能）を向上させることができる。また、後述するように画像支持体としてプラスチックカードを用いた場合に、記録物全体の厚さをＪＩＳ６３０１に記載される総厚み０．８４ｍｍ以下に抑制することが容易になるため好ましい。
【００８０】
［１−１−６］空隙容量：
本発明においては、色材受容層が、空隙吸収型のインク受容層（以下、色材受容層をインク受容層と呼ぶ場合がある）であり、その空隙容量が３０ｍｌ／ｍ2以上であることが好ましい。また、画像支持体に加熱圧着させた後（転写後）においても、空隙容量が３０ｍｌ／ｍ2以上に維持されていることが好ましい。転写時の熱や圧力によって、色材受容層中の水溶性樹脂やカチオン性樹脂が皮膜化し、空隙容量が小さくなり、インクの吸収性が低下する場合がある。しかし、本発明においては、水溶性樹脂やカチオン性樹脂を用い、更に、後述する転写温度を１２０℃以上１８０℃以下に制御することで、転写後の空隙容量を上記範囲に維持することができ、インクの吸収性を良好にすることができる。
【００８１】
なお、空隙容量はＪ．ＴＡＰＰＩ紙パルプ試験方法（ブリストー法）に記載された方法により、動的浸透性試験機（例えば、商品名「Ｂ３４１０００−７０２」、東洋精機製等）を用いて測定することができる。測定に使用する液体としては蒸留水にＢＫインクを０．１６％混合したものを用い、吸収時間２秒の時（紙の移動速度：ｖ＝０．５ｍｍ／Ｓ）の空隙容量を測定した。空隙容量の算出は下記式（６）により行った。条件としては、ヘッドボックスへの液体添加量を４０μｌ、スリット長さを１５．００ｍｍとした。
Ｖ＝４０＊１０００／（１５＊Ａ）      ：（６）
［Ｖ＝空隙容量（ｍｌ／ｍ2）、Ａ＝転移跡の長さ（トレース長）（ｍｍ）］
【００８２】
［１−２］基材シート：
本発明の第１の転写材は、図２に示すように、基材シート５０を備えている。基材シート（「剥離ライナー」、「セパレータ」とも称される。）は、後述する離型層または色材受容層の支持体となるシート体である。
【００８３】
基材シートの材質、形態等については、基材シートのＳＰ値と色材受容層のＳＰ値との差ＳＰ１を前記式（１）が成立する材料である限り、特に限定されない。このような基材シートとしては、樹脂フィルム等を挙げることができる。
【００８４】
例えば、ポリエステル（ＰＥＴなど）、ナイロン（脂肪族ポリアミド）、ポリイミド、酢酸セルロース、セロハン、ポリエチレン、ポリプロピレン、ポリスチレン、ポリカーボネート、ポリビニルアルコール、ポリ塩化ビニル、ポリ塩化ビニリデン、塩化ゴム、フッ素樹脂、アイオノマー等の樹脂からなる樹脂フィルム；などが好ましい。これらの中でも、耐熱性に優れるＰＥＴフィルムが好ましい。色材受容層を構成する水溶性樹脂としてポリビニルアルコールを用い、且つ、基材シートとしてＰＥＴフィルムを用いると、ＰＥＴのＳＰ値とポリビニルアルコールやカチオン性樹脂のＳＰ値が比較的離れており、ＳＰ１の値を大きくすることができるため好ましい。樹脂フィルムは１種を単独で、或いは２種以上を複合または積層して用いることができる。
【００８５】
基材シートの厚さは材料強度等を考慮して適宜決定すればよく、特に限定されない。但し、基材シートの厚さが５μｍ以上２００μｍ以下であることが好ましい。基材シートの厚さを５μｍ以上、好ましくは１０μｍ以上とすることで、色材受容層を積層した際に、その積層体のカールを防止することができる。転写材をロール状とする場合は、転写材の製造装置上での搬送性を向上させるために、転写材の厚さが１５μｍ以上であることが好ましい。転写材をカットシート状とする場合はカットシートのカールを防止する観点から、転写材の厚さが３０μｍ以上であることが好ましい。一方、基材シートの厚さを２００μｍ以下、好ましくは６０μｍ以下、更に好ましくは５０μｍ以下とすることで、転写材を画像支持体に加熱圧着させる場合の熱伝達性を良好にすることができる。特に、転写材の形態が後述するロール状である場合は、その搬送性を向上させるために厚さが１５μｍ以上であることが好ましい。一方、転写材の形態が後述するカットシート状である場合は、加熱圧着時のカールを防止する観点から、厚さが３０μｍ以上であることが好ましい。
【００８６】
［１−３］離型層：
本発明の第１の転写材は、図３に示すように、離型層５１を備えていてもよい。離型層は、離型剤を含有する組成物からなる層で、基材シート５０と色材受容層５３の間に設けられる。離型層５１を備えることによって、色材受容層５３から基材シート５０を容易に剥離することができる。なお、本発明において離型層を形成する場合は、基材シートは離型層を含むものとする。すなわち、基材シートのＳＰ値と、基材シートに当接する層のＳＰ値と、の差のＳＰ１は、離型層ＳＰ値と色材受容層のＳＰ値との差となる。
【００８７】
離型剤の種類は特に限定されず、離型性に優れ、ヒートローラやサーマル式のインクジェット記録ヘッドが発生する熱で容易に溶融しない材料であることが好ましい。例えば、シリコーンワックスなどのワックス類に代表されるシリコーンワックス、シリコーン樹脂などのシリコーン系材料；フッ素樹脂などのフッ素系材料；は、離型性に優れる点において好ましい。
【００８８】
離型層の厚さは、剥離性などを考慮して適宜決定すればよく、特に限定されない。但し、離型層の厚さが、乾燥状態で０．１μｍ以上１０μｍ以下であることが好ましい。離型層の厚さを０．１μｍ以上、好ましくは１μｍ以上とすることで、基材シートと透明シートとの融着を抑制することができる。一方、離型層の厚さを１０μｍ以下、好ましくは５μｍ以下とすることで、後述するように画像支持体としてプラスチックカードを用いた場合に、記録物全体の厚さをＪＩＳ６３０１に記載される総厚み０．８４ｍｍ以下に抑制することができる。
【００８９】
［１−４］積層構造：
本発明の第１の転写材は、図２に示すように、基材シート５０および色材受容層５３が順次積層された積層構造を有している。「基材シートおよび色材受容層が順次積層」とは、基材シート、色材受容層の間に他の層が介在するか否かに拘わらず、基材シート、色材受容層がその順序に従って積層されていることを意味する。即ち、図３に示す転写材１のように、基材シート５０と色材受容層５３との間に、離型層５１が存在する構造も、「基材シートおよび色材受容層が順次積層」された積層構造に含まれる。
【００９０】
但し、本発明の第１の転写材は、図２に示すように、基材シート５０、色材受容層５３が相互に当接された積層構造を有することが好ましい。即ち、基材シート５０と色材受容層５３の間に、他の層（シートも含む。）が介在していない構造が好ましい。記録物の対象物となるクレジットカードなどは厚さの制限が厳格であるため、積層される層やシートの数を減じ、記録物を薄厚化することが望ましいからである。特に、色材受容層に含まれるポリビニルアルコールやカチオン性樹脂により色材受容層のＳＰ値を精密に調整すれば、画像支持体と色材受容層との接着性を制御することができる。このような構成によれば、転写材ひいては記録物を薄厚化することができるという利点がある。
【００９１】
［１−５］製造方法：
本発明の第１の転写材は、例えば、基材シートに、無機微粒子、水溶性樹脂およびカチオン性樹脂を含有する塗工液を塗工することにより製造することができる。なお、以下の記載においては、転写材の項などで既に説明した事項については割愛し、製造方法固有の事項のみ説明する。
【００９２】
［１−５−１］塗工液：
色材受容層は、少なくとも無機微粒子、水溶性樹脂およびカチオン性樹脂を、適当な媒体と混合して塗工液を調製し、これを基材シートの表面に塗布し、乾燥させて色材受容層を形成することで得られる。
【００９３】
塗工液の媒体としては、水性媒体を用いることが好ましい。水性媒体としては、水；水と水溶性有機溶剤との混合溶媒；などを挙げることができる。水溶性有機溶剤としては、例えば、メタノール、エタノール、プロパノールなどのアルコール類；エチレングリコールモノメチルエーテル、エチレングリコールジメチルエーテルなどの多価アルコールの低級アルキルエーテル類；アセトン、メチルエチルケトンなどのケトン類；テトラヒドロフランなどのエーテル類；などを挙げることができる。
【００９４】
前記塗工液としては、熱融着性樹脂を更に含有する塗工液を用いることが好ましい。前記熱融着性樹脂としては、後述するプライマー層の項で例示する材料、特にガラス転移温度が６０℃以上１６０℃以下の熱可塑性樹脂を用いることが好ましい。また、塗工液の濡れ性を向上させ、結着性を高めるために、ポリオレフィン樹脂などを含有させることが好ましい。中でもポリエチレンを含有させることが好ましい。ポリエチレンとしては、低密度ポリエチレン（ＬＤＰＥ）、高密度ポリエチレン（ＨＤＰＥ）などを挙げることができる。但し、直鎖状低密度ポリエチレン（ＬＬＤＰＥ）、ポリプロピレンなども用いることができる。
【００９５】
塗工液には、本発明の効果を妨げない限り、各種添加剤を含有させることができる。反転画像を記録するインクとして染料インクを用いる場合には、染料固着剤を含有させることが好ましい。染料固着剤は染料分子のアニオン性基と結合して塩を形成し、染料を水に対して不溶化させることで、マイグレーションを防止することができる。
【００９６】
その他の添加剤としては、例えば界面活性剤、顔料分散剤、増粘剤、消泡剤、インク定着剤、ドット調整剤、着色剤、蛍光増白剤、酸化防止剤、紫外線吸収剤、防腐剤、ｐＨ調整剤などを挙げることができる。  
【００９７】
塗工液中の無機微粒子の濃度は塗工液の塗工性などを考慮して適宜決定すればよく、特に限定されない。但し、塗工液の全質量に対し、１０質量％以上３０質量％以下とすることが好ましい。
【００９８】
［１−５−２］塗工：
色材受容層の形成は、例えば、基材シートの表面に、前記塗工液を塗工することにより行う。塗工後は必要により塗工液の乾燥を行う。これにより、図２に示すような、基材シート５０および色材受容層５３が順次積層された積層構造を有する転写材１を得ることができる。
【００９９】
塗工方法としては、従来公知の塗工方法を用いることができる。例えば、ブレードコーティング法、エアーナイフコーティング法、カーテンコーティング法、スロットダイコーティング法、バーコーティング法、グラビアコーティング法、ロールコーティング法などを挙げることができる。
【０１００】
塗工液の塗工量は、固形分換算で１０ｇ／ｍ2以上４０ｇ／ｍ2以下とすることが好ましい。塗工量を１０ｇ／ｍ2以上、好ましくは１５ｇ／ｍ2以上とすることで、インク中の水分吸収性に優れた色材受容層を形成することができる。従って、記録された画像中のインクが流れたり、画像が滲んだりする不具合を抑制することができる。一方、塗工量を４０ｇ／ｍ2以下、より好ましくは２０ｇ／ｍ2以下とすることで、塗工層を乾燥させる際に転写材にカールが発生し難くなる。また、色材受容層の厚さを薄くすることにより、最終的に形成される記録物の厚さを薄厚化することができる。画像支持体がクレジットカードなどのプラスチックカードである場合には、日本工業規格（ＪＩＳ−Ｘ−６３０５）により厚さが厳格に規定されているため、前記塗工量とすることが有効である。
【０１０１】
［１−６］プライマー層：
本発明においては、図４に示すように、第１の転写材の色材受容層５３の表面にプライマー層５６を更に備えていてもよい。転写材が、プライマー層を備える場合には、基材シート、インク受容層、プライマー層が順次積層された積層構造を有する。プライマー層５６は、接着性を有する層であり、色材受容層の表面に配置される。この場合、画像支持体と接する層はプライマー層となる。プライマー層を備えることで、画像支持体５５と転写材との密着性、接着強度を向上させることができ、前記接着強度の不足により画像支持体から転写材が剥離する不具合を抑制することができる。プライマー層を設けることにより、プライマー層のＳＰ値と画像支持体のＳＰ値との差ＳＰ２を、前記一般式（２）の範囲に制御することができ、密着性、接着強度を向上させることができるため、画像支持体から色材受容層が剥離する不具合を抑制することができる。特に、本発明においては、画像支持体としてＰＶＣやＰＥＴ−Ｇ以外のＰＥＴ基材を用いる場合、プライマー層を設けることは有効である。
【０１０２】
プライマー層の構成材料は特に限定されない。但し、加熱により接着性を発現する材料、例えば熱可塑性の合成樹脂、天然樹脂、ゴム、ワックスなどから構成されていることが好ましい。より具体的には、エチルセルロース、セルロースアセテートプロピオネートなどのセルロース誘導体；ポリスチレン、ポリα−メチルスチレンなどのスチレン系樹脂；  ポリメタクリル酸メチル、ポリアクリル酸エチルなどのアクリル系樹脂；ポリ塩化ビニル、ポリ酢酸ビニル、塩化ビニル−酢酸ビニル共重合体、ポリビニルブチラール、ポリビニルアセタールなどのビニル系樹脂；ポリエステル、ポリアミド、エポキシ樹脂、ポリウレタン、アイオノマー、エチレンアクリル酸共重合体、エチレン−アクリル酸エステル共重合体などの、その他の合成樹脂；ロジン、ロジン変性マレイン酸樹脂、エステルガムなどの粘着性付与剤；ポリイソブチレンゴム（ブチルゴム）、スチレン−ブタジエンゴム、ブタジエン−アクリロニトリルゴム、ポリ塩素化オレフィンなどの合成ゴム；などを挙げることができる。
【０１０３】
プライマー層が熱可塑性樹脂で構成されている場合、その熱可塑性樹脂のガラス転移温度は、６０℃以上１６０℃以下であることが好ましい。前記ガラス転移温度を６０℃以上、好ましくは７０℃以上とすることで、装置内部の雰囲気温度によってプライマー層が溶融することが少なく、厳格な温度管理が不要で、転写材のハンドリングを容易にすることができる。一方、前記ガラス転移温度を１６０℃以下、好ましくは１４０℃以下、更に好ましくは１００℃以下とすることで、プライマー層が接着性を発揮する温度まで加熱しても色材受容層と画像支持体との接着性が良好となる。また、記録物のカールを抑制することができる。
【０１０４】
ガラス転移点が６０℃以上１６０℃以下の熱可塑性樹脂としては、例えばポリアミド、アクリル樹脂、塩化ビニル樹脂、塩化ビニル−酢酸ビニル共重合体、ポリエステルなどを挙げることができる。これらの樹脂は熱時接着性が良好である点において好ましい。
【０１０５】
プライマー層は、前記材料の１種を単独で、或いは２種以上を混合して用いることができる。また、プライマー層の厚さは、構成材料の種類、要求される接着性能、塗工性などを考慮して適宜設定すればよく、特に限定されない。但し、プライマー層の厚さが０．５μｍ以上１０μｍ以下であることが好ましい。プライマー層の厚さを０．５μｍ以上、好ましくは１．０μｍ以上とすることで、紙ベース支持体のような表面が粗い画像支持体を用いた場合でも良好な接着性を得ることができる。一方、プライマー層の厚さを１０μｍ以下、好ましくは５μｍ以下とすることで、後述するように画像支持体としてプラスチックカードを用いた場合に、記録物全体の厚さをＪＩＳ６３０１に記載される総厚み０．８４ｍｍ以下に抑制するという効果を得ることができる。
【０１０６】
プライマー層の形成方法は、特に限定されない。但し、プライマー層の項で例示した材料、特にガラス転移温度が６０℃以上１６０℃以下の熱可塑性樹脂からなるシートを転写材に対して積層して積層体とし、前記積層体を加熱圧着させることにより、プライマー層を支持する基材を引き剥がすことにより、プライマー層を形成することが好ましい。加熱圧着の方法としては、ヒートローラを用いて前記積層体を全面的に加熱する方法、サーマルヘッドを用いて前記積層体の特定部分を選択的に加熱する方法などを挙げることができる。
【０１０７】
［１−７］転写材の形状と厚さ：
本発明においては、後述する画像記録装置や記録物の製造装置の構造に合わせて、転写材をロール状またはシート状（カットシート状）としてもよい。ロール状とする場合には、前記色材受容層を外側にしても内側にしてもよいが、後述する画像記録装置の搬送機構に最適化させるためには、前記色材受容層を外側、前記基材シートを内側としてロール状に巻かれたロール状転写材とすることが好ましい。
【０１０８】
本発明においては、基材シートの厚さが、色材受容層の厚さの１．５倍以上５倍以下であることが好ましい。１．５倍以上とすることでシート状（カットシート状）の転写材のカールを防止することができ、画像記録装置や記録物の製造装置における転写材の搬送性を良好にすることができる。一方、５倍以下とすることで、画像支持体に転写材を加熱圧着させる際の熱伝達性を良好にすることができる。
【０１０９】
本発明の第１の転写材は、熱時剥離型であってもよいし、冷時剥離型であってもよい。熱時剥離型とは、画像支持体と転写材を加熱圧着させた後、両部材の積層体の温度が高い状態のまま基材シートを剥離することが最適な転写材である。一方、冷時剥離型とは、画像支持体と転写材を加熱圧着させた後、両部材の積層体の温度が低下した状態で基材シートを剥離することが最適な転写材である。
【０１１０】
熱時剥離型の転写材は、画像支持体に加熱圧着させた後、すぐに基材シートを剥離することができるため、生産性の面で優れている。例えば、ロール状転写材を用い、基材シートの剥離をロールＴｏロールで行うことにより生産性を向上させることができる。一方、冷時剥離型の転写材は、画像支持体と転写材を加熱圧着させた後、両部材の積層体の温度が低下してからも基材シートの剥離が可能である。従って、シート状（カットシート状）の転写材を用いる場合等には、画像支持体と転写材を加熱圧着させた後、基材シートを剥離する際のハンドリングが容易になるため好ましい。
【０１１１】
［１−８］プレカット処理：
本発明の転写材を製造する際には、前記色材受容層を形成した後、前記色材受容層の側から、前記色材受容層に切り込みを入れるプレカット処理を行ってもよい。プレカット処理は、画像支持体がＩＣチップや磁気ストライプを備えている場合であっても、転写材と画像支持体とを接着した後に、前記切り込みを起点にして色材受容層を綺麗に切断することができる。
【０１１２】
［２］色材受容層付き画像支持体の形成方法：
本発明の色材受容層付き画像支持体は、図１に示すように、画像支持体５５と色材受容層５３と、を備えた画像記録媒体であり（以下、画像記録媒体と呼ぶ場合もある）、図２に示す第１の転写材を画像支持体５５に加熱圧着し、基材シート５０を剥離することによって容易に得ることができる。
【０１１３】
［２−１］画像支持体：
画像支持体は、転写材の画像が支持される対象物で、一般的にマイナスに帯電している。画像支持体の構成は特に限定されない。樹脂を構成材料とする画像支持体（樹脂ベース支持体）、紙を構成材料とする画像支持体（紙ベース支持体）などを挙げることができる。樹脂べース支持体としては、例えばクレジットカード、ＩＣカードなどの樹脂製カード；などを挙げることができる。紙ベース支持体としては、例えばパスポートなどの紙製冊子；紙製カード；などを挙げることができる。
【０１１４】
［２−１−１］樹脂ベース支持体：
樹脂ベース支持体を構成する樹脂は、画像支持体の用途に応じて適宜選択すればよく、特に限定されない。例えば、
ポリエチレンテレフタレート、ポリブチレンテレフタレート、ポリエチレンテレフタレート／イソフタレート共重合体などのポリエステル樹脂；ポリエチレン、ポリプロピレン、ポリメチルペンテンなどのポリオレフィン樹脂；ポリフッ化ビニル、ポリフッ化ビニリデン、ポリ４フッ化エチレン、エチレン−４フッ化エチレン共重合体などのポリフッ化エチレン系樹脂；ナイロン６、ナイロン６，６などの脂肪族ポリアミド樹脂；
ポリ塩化ビニル、塩化ビニル／酢酸ビニル共重合体、エチレン／酢酸ビニル共重合体、エチレン／ビニルアルコール共重合体、ポリビニルアルコール、ビニロンなどのビニル重合体樹脂；三酢酸セルロース、セロハンなどのセルロース系樹脂；ポリメタアクリル酸メチル、ポリメタアクリル酸エチル、ポリアクリル酸エチル、ポリアクリル酸ブチルなどのアクリル系樹脂；ポリスチレン、ポリカーボネート、ポリアリレート、ポリイミドなどの、その他の合成樹脂；を挙げることができる。
【０１１５】
樹脂ベース支持体を構成する樹脂は、例えば、脂肪族ポリエステル、ポリカーボネート、ポリ乳酸、ポリビニルアルコール、セルロースアセテート、ポリカプロラクトンなどの生分解性樹脂であってもよい。また、樹脂ベース支持体は、樹脂を主たる構成材料としているものであればよく、例えば金属箔などの樹脂以外の材料を含むものであってもよい。
【０１１６】
［２−１−２］紙ベース支持体：
紙ベース支持体を構成する紙の種類も特に限定されない。例えば、コンデンサーペーパー、グラシン紙、硫酸紙、サイズ度の高い紙、合成紙（ポリオレフィン系、ポリスチレン系）、上質紙、アート紙、コート紙、キャストコート紙、壁紙、裏打用紙、合成樹脂またはエマルジョン含浸紙、合成ゴムラテックス含浸紙、合成樹脂内添紙、板紙、セルロース繊維紙などが挙げられる。
【０１１７】
［２−１−３］その他：
樹脂ベース支持体および紙ベース支持体は、必要に応じて、エンボス、サイン、ＩＣメモリ（ＩＣチップ）、光メモリ、磁気記録層、偽変造防止用記録層（パール顔料層、透かし記録層、マイクロ文字など）、エンボス記録層、ＩＣチップ隠蔽層などを備えていてもよい。
【０１１８】
また、樹脂ベース支持体および紙ベース支持体は、前記の材質からなる単層体として構成してもよいし、材質や厚さの異なるシートやフィルムを２層以上貼り合わせた複層体として構成してもよい。
【０１１９】
更に、画像支持体の全体の厚さは、１８０μｍ以上８００μｍ以下であることが好ましい。画像支持体の厚さを１８０μｍ以上、好ましくは５００μｍ以上、更に好ましくは６５０μｍ以上とすることが好ましい。一方、画像支持体の厚さを８００μｍ以下、好ましくは７７０μｍ以下とすることが好ましい。後述するように画像支持体としてプラスチックカードを用いた場合に、記録物全体の厚さをＪＩＳ６３０１に記載される総厚み０．６８ｍｍ以上０．８４ｍｍ以下に制御することができる。
【０１２０】
［２−２］色材受容層付き画像支持体の製造方法：
［２−２−１］加熱圧着：
まず、図５に示すように、画像支持体５５と、第１の転写材とを、画像支持体５５、色材受容層５３および基材シート５０が順次積層されるように当接させた状態で加熱圧着する。これにより、前記画像支持体、前記色材受容層および前記基材シートが順次積層された積層構造を有する色材受容層付き画像支持体を得る。なお、プライマー層を有する場合は、画像支持体、プライマー層、色材受容層および基材シートが順次積層されるように当接させた状態で加熱圧着する。
【０１２１】
前記加熱圧着の温度は６０℃以上１６０℃以下に制御することが好ましい。加熱圧着の温度を６０℃以上とすることにより、色材受容層中のカチオン性樹脂、水溶性樹脂などの樹脂やプライマー層（或いはアンカー層）に含まれる熱可塑性樹脂を接着に十分な程度に溶融し、画像支持体と転写材とを圧着させることができる。一方、加熱圧着の温度を１６０℃以下とすることにより、画像支持体と転写材を加熱圧着させる際に、インク受容層の細孔を必要以上につぶすことなく細孔を維持することができるため、インクの吸収性が低下することがない。
【０１２２】
加熱圧着の方法は特に限定されない。例えば、画像支持体に対して転写材を積層して積層体とし、前記積層体を一対のヒートローラ間に挟み込み、加熱圧着する方法などを挙げることができる。この際、ヒートローラの表面温度は、１００℃以上１８０℃以下とすることが好ましい。これにより、前記積層体の搬送速度が速く加熱時間が十分にとれない場合でも、前記積層体を６０℃以上１６０℃以下に加熱することができる。
【０１２３】
このとき、図１２に示すような製造装置を用いる場合、画像支持体側に接するヒートローラ２２は、シリコーンローラを使用することが好ましい。この構成することで、シリコーンローラはＳＰ値が８．７付近になるため、基材シート側からの色材受容層を加熱するヒートローラ２１の熱圧着によっても、ヒートローラ２２へ色材受容層が付着しにくくなり、色材受容層の転写を防止することができる。
【０１２４】
［２−２−２］基材シートの剥離：
前記のようにして得られた色材受容層付き画像支持体は、最後に、図６および図７に示すように基材シート５０を剥離することにより、画像支持体５５および色材受容層５３が順次積層された構造の色材受容層付き画像支持体が得られる。この色材受容層付き画像支持体においては、色材受容層５３が最上層に位置し、その色材受容層５３に画像を記録することができる。なお、プライマー層を用いる場合は、画像支持体５５は、プライマー層を介して色材受容層５３に十分に密着固定される。
【０１２５】
基材シートを剥離する際、転写材が熱時剥離である場合は加熱圧着後、温度が下がらないうちに直ちに剥離を行うことが好ましい。このような熱時剥離タイプの場合は、図６に示す分離爪８６による剥離機構や、図７に示す剥離ロール８８によって剥離することが好ましく、転写工程における転写材の供給を、「ロールｔｏロール」で行う場合に生産性の面で適している。
【０１２６】
一方、転写材が冷時剥離型の場合は、温度が下がっても剥離することができる。このような場合は、ロールやピール機構による剥離だけでなく、手動で剥離することも可能になるため、特にカットシート状に加工したのも用いる場合に、好適に使用できる。なお、ロールｔｏロール剥離を行う際の、剥離角度θはθが０〜１６５°であり、更に好ましくは０〜９０°である。この剥離角度θに設定することにより、プリンタ走行中に、プレカット処理部５にて転写材１のプレカット処理により分離されたパッチ部分が不用意に剥がれたり、めくれたりすることを防止することができる。図７において剥離角度θは、図に示す角度であるが、これに限定されない。
【０１２７】
なお、加熱圧着、剥離工程においては、公知の２本ロールタイプ、および４本ロールタイプのラミネート機をしようしてもよい。４本ロールタイプは２本ロールタイプに比べて、加熱圧着時の熱が伝わりやすく、転写剥離工程が容易に行うことができるため、好ましく使用される。
【０１２８】
［２−２−３］両面同時剥離：
なお、画像支持体の両面に同時に色材受容層を転写する場合は、図８に示すように、上面転写材９２と下面転写材９４のフィルム位置をずらすことが好ましい。この構成とすることで、熱ローラ転写におけるＳＰ値が同じである色材受容層同士の接着を防止することができ、表裏同時転写が可能となる。また、ピール部９０により基材シートを容易に引き剥がすことができる。
【０１２９】
［３］記録物の製造：
本発明の第１の記録物は、上記で説明した色材受容層付き画像支持体の最上層に位置する色材受容層に画像を形成することで得ることができる。
【０１３０】
［３−１］色材：
本発明の記録物においては、前記画像が、染料インクにより形成された画像であってもよいし、顔料インクにより形成された画像であってもよい。染料インクの場合は、インクが色材受容層の内部まで浸透するため、耐擦過性に優れる。
【０１３１】
上記内容について更に詳細に説明する。顔料インクは、図９に示すように、空隙吸収型の色材受容層６４においては、顔料インク中の顔料成分６３は粒子径が大きいため、色材受容層６４を形成する無機微粒子６５で構成される細孔の内部まで浸透せずに、色材受容層６４の記録表面で定着する。更に、空隙吸収型の色材受容層６４は、膨潤型の色材受容層とは異なり、色材受容層６４が膨潤することなく平滑に保たれる。一方、膨潤吸収型の色材受容層の場合は、図１０に示すように、インク中の水分により色材受容層６７が膨潤して、色材受容層６７の表面６６に凹凸が発生する。
【０１３２】
また、空隙吸収型の色材受容層６４においては、顔料インク中の顔料成分６３は色材受容層６４の表面で定着する一方でインク中の水分および溶媒成分６２は、色材受容層６４の内部まで浸透し、表面の顔料成分６３と分離（固液分離）する。これにより、残存水分および溶媒成分６２は色材受容層６４の内部にとどまるため、顔料成分６３は、再度、残存水分および溶媒成分６２が接触することがないため、インクの移動（マイグレーション）を防止することができる。一方で染料インクは、図１１に示すように、残存水分の影響により染料成分６８が染料成分６９のように移動（マイグレーション）してしまうため、にじみが発生する。
【０１３３】
また、顔料インク中の顔料成分としては、カルボニル基、カルボキシル基、ヒドロキシル基、又は、スルホン基のうち、少なくとも１種の官能基又はその塩を結合された自己分散顔料や、顔料粒子の周りを樹脂で被覆した樹脂分散型の顔料を用いることができる。中でも顔料粒子の周りを樹脂で被覆した樹脂分散型の顔料は、印字後の擦過性が向上するため好ましい。また、樹脂分散型顔料を用いることによって、インク媒体を分離した後の顔料粒子同士の結着力を高めることができ、色材受容層表面に顔料膜を形成できる。このとき、顔料膜の表面上の水分は少量となる。これは、顔料膜が色材受容層中の下層の水分をほぼ遮断し、更に下層からの水分補給もほぼ遮断するからである。このため、樹脂分散型の顔料成分は、インクの高速定着、高速記録に適しており、好ましい。
【０１３４】
顔料粒子の周りを被覆する樹脂としては、酸価１００ｍｇＫＯＨ／ｇ以上１６０ｍｇＫＯＨ／ｇ以下である（メタ）アクリル酸エステル系共重合体が好ましい。前記酸価を１００ｍｇＫＯＨ／ｇ以上とすると、サーマル方式でインクを吐出するインクジェット記録方式において吐出安定性が向上する。一方、前記酸価を１６０ｍｇＫＯＨ／ｇ以下とすると、顔料粒子に対して相対的に疎水性を有するようになりインクの定着性および耐滲み性が良好となる。従って、インクの高速定着、高速記録に適する。
【０１３５】
ここで酸価とは、１ｇの樹脂を中和するのに必要となるＫＯＨの量（ｍｇ）であり、その親水性を示す指標となり得るものである。なお、この場合の酸価は、樹脂分散剤を構成する各モノマーの組成比から計算により求めることもできるが、具体的な顔料分散体の酸価の測定方法としては、電位差滴定により酸価を求める、Ｔｉｔｒｉｎｏ（Ｍｅｔｒｏｈｍ製）等を使用して測定することができる。
【０１３６】
前記の顔料インクは、いわゆる水性顔料インクである。水性顔料インクは、水溶性媒体に顔料を分散させたものである。また、顔料−樹脂分散と呼ばれるタイプであり、表面に対してランダム構造である（メタ）アクリル酸エステル系共重合物を吸着させて水性媒体中に分散させたものである。製法は、常法によるものであり、例えば、特許４９５６９１７に開示されている方法で得ることができる。
【０１３７】
［３−１−１］顔料：
顔料としては、例えば、カーボンブラックや有機顔料等が挙げられる。各種顔料の１種、或いは２種以上を組み合わせて用いることができる。カーボンブラックの具体例は、ファーネスブラック、ランプブラック、アセチレンブラック、チャンネルブラック等のカーボンブラック顔料で、例えば、商品名としてレイヴァン（アディティア・ビルラ製）、ブラックパールズ（Ｂｌａｃｋ  Ｐｅａｒｌｓ）Ｌ、リーガル（Ｒｅｇａｌ）、モウグル（Ｍｏｇｕｌ）Ｌ、モナク（Ｍｏｎａｒｃｈ）、ヴァルカン（Ｖａｌｃａｎ）（以上キャボット製）、カラーブラック（Ｃｏｌｏｒ  Ｂｌａｃｋ）、プリンテックス（Ｐｒｉｎｔｅｘ）、スペシャルブラック（Ｓｐｅｃｉａｌ  Ｂｌａｃｋ）（以上エボニック製）、三菱カ−ボンブラック（三菱化学製）等の冠称を有するものを使用することができる。勿論、これらに限定されるものではなく、従来公知のカーボンブラックを使用することも可能である。物性的には、一次粒子径が１０ｎｍ以上４０ｎｍ以下、ＢＥＴ法による比表面積が５０〜４００ｍ2／ｇ以下、吸油量４０〜２００ｍｌ／１００ｇ以下、揮発分が０．５〜１０％、ｐＨが２〜９であるカーボンブラックであることが好ましい。なお、ＤＢＰ吸収量は、ＪＩＳ  Ｋ６２２１  Ａ法によって測定される。
【０１３８】
有機顔料の具体例は、トルイジンレッド、トルイジンマルーン、ハンザエロー、ベンジジンエロー、ピラゾロンレッド等の不溶性アゾ顔料；リトールレッド、ヘリオボルドー、ピグメントスカーレット、パーマネントレッド２Ｂ等の溶性アゾ顔料；アリザリン、インダントロン、チオインジゴマルーン等の建染染料からの誘導体；フタロシアニンブルー、フタロシアニングリーン等のフタロシアニン系顔料；キナクリドンレッド、キナクリドンマゼンタ等のキナクリドン系顔料；ペリレンレッド、ペリレンスカーレット等のペリレン系顔料；イソインドリノンエロー、イソインドリノンオレンジ等のイソインドリノン系顔料；ベンズイミダゾロンエロー、ベンズイミダゾロンオレンジ、ベンズイミダゾロンレッド等のイミダゾロン系顔料；ピランスロンレッド、ピランスロンオレンジ等のピランスロン系顔料；チオインジゴ系顔料；縮合アゾ系顔料；チオインジゴ系顔料；その他、フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等の顔料が例示できる。
【０１３９】
また、有機顔料をカラーインデックス（Ｃ．Ｉ．）ナンバーにて示すと、以下のものが例示できる。勿論、下記以外でも従来公知の有機顔料が使用可能である。
【０１４０】
Ｃ．Ｉ．ピグメントイエロー１２、１３、１４、１７、２０、２４、７４、８３、８６、９３、１０９、１１０、１１７、１２０、１２５、１２８、１３７、１３８、１４７、１４８、１５１、１５３、１５４、１６６、１６８；
Ｃ．Ｉ．ピグメントオレンジ１６、３６、４３、５１、５５、５９、６１；
Ｃ．Ｉ．ピグメントレッド９、４８、４９、５２、５３、５７、９７、１２２、１２３、１４９、１６８、１７５、１７６、１７７、１８０、１９２、２１５、２１６、２１７、２２０、２２３、２２４、２２６、２２７、２２８、２３８、２４０；
Ｃ．Ｉ．ピグメントバイオレット１９、２３、２９、３０、３７、４０、５０；
Ｃ．Ｉ．ピグメントブルー１５、１５：１、１５：３、１５：４、１５：６、２２、６０、６４；
Ｃ．Ｉ．ピグメントグリーン７、３６；
Ｃ．Ｉ．ピグメントブラウン２３、２５、２６；
【０１４１】
［３−１−２］樹脂：
前記顔料分散体で使用する樹脂としては疎水性の顔料を水系液媒体中に良好に分散させる分散機能を有するものであることが好ましく、ランダムコポリマーが使用される。ランダムコポリマー以外、例えばブロックコポリマー等は、顔料の親水性が高くなるものが多く、印字画像の耐水性が劣るものが多いため好ましくない。
【０１４２】
上記ランダムコポリマーの例としては、（メタ）アクリル酸エステル系共重合物が好ましく用いられる。前記（メタ）アクリル酸エステル系共重合物は、（メタ）アクリル酸、（メタ）アクリル酸エステル及びそれらと共重合可能なモノエチレン性不飽和単量体を共重合させることにより得ることができる。（メタ）アクリル酸としては、アクリル酸又はメタクリル酸が挙げられ、なかでも電気的中性状態とアニオン状態の共存範囲を広く制御出来ることを考慮すると（メタ）アクリル酸が好ましく用いられる。
【０１４３】
（メタ）アクリル酸エステルとしては、例えば、（メタ）アクリル酸メチル、（メタ）アクリル酸ｎ−ブチル、（メタ）アクリル酸２−エチルヘキシル、（メタ）アクリル酸ｎ−オクチル、（メタ）アクリル酸ドデシル、（メタ）アクリル酸オクタデシル、（メタ）アクリル酸シクロヘキシル、（メタ）アクリル酸イソボルニル等のアルキル（メタ）アクリレート、（メタ）アクリル酸２−ヒドロキシエチル、（メタ）アクリル酸２−ヒドロキシプロピル、（メタ）アクリル酸３−ヒドロキシプロピル等のヒドロキシアルキル（メタ）アクリレート、ジエチレングリコールモノ（メタ）アクリレート、トリエチレングリコールモノ（メタ）アクリレート、ポリエチレングリコールモノ（メタ）アクリレート、プロピレングリコールモノ（メタ）アクリレート、ジプロピレングリコールモノ（メタ）アクリレート、トリプロピレングリコールモノ（メタ）アクリレート、テトラメチレンエーテルグルコールモノ（メタ）アクリレート、ポリエチレンオキシド−ポリプロピレンオキシドのランダムポリマーグリコール又は同ブロックポリマーグリコールのモノ（メタ）アクリレート、ポリエチレンオキシド−ポリテトラメチレンエーテルのランダムポリマーグリコール又は同ブロックポリマーグリコールのモノ（メタ）アクリレート等のアルキレングリコールモノ（メタ）アクリレート、（メタ）アクリル酸グリシジル、（メタ）アクリル酸ベンジル等が挙げられる。
【０１４４】
前記（メタ）アクリル酸エステル系共重合物は、前記した（メタ）アクリル酸、（メタ）アクリル酸エステル、モノエチレン性不飽和単量体の他に、スチレン系単量体も含めることができる。ここでスチレン系単量体としては、例えば、スチレン、α−メチルスチレン、ｏ−メチルスチレン、ｍ−メチルスチレン、ｐ−メチルスチレン、ｐ−ｔ−ブチルスチレン、４−メトキシスチレン、４−クロロスチレン等が挙げられる。即ち、上記した（メタ）アクリル酸エステル共重合物は、スチレン系単量体を有するスチレン−（メタ）アクリル酸系共重合体であることが好ましい。
【０１４５】
（メタ）アクリル酸エステル系共重合物の重量平均分子量は、スチレン換算で重量平均分子量（Ｍｗ）が６，０００〜１２，０００の範囲にあることが好ましく、７，０００〜９，０００の範囲にあることがより好ましい。上記の範囲にすることで、顔料分散体の分散安定性を高め、粘度が低く設定でき、ヒーター部分でのコゲーションを抑え長期間安定した印字を行わせることができる。重量平均分子量が６，０００より小さいと水性顔料分散体自体の分散安定性が低下するため好ましくない。また、１２，０００より大きいと水性顔料分散体の粘度が高くなるだけでなく、分散性が低下する傾向が認められる。更にヒーター部分に対するコゲーションがひどくなり、サーマル方式インクジェットプリンタのノズル先端からインク液滴の不吐出を引き起こす原因となるので好ましくない。
【０１４６】
［３−１−３］顔料分散体：
前記顔料分散体は顔料が（メタ）アクリル酸エステル系共重合物で被覆されることにより調製される。  
【０１４７】
前記顔料分散体の平均粒子径は、液中での動的光散乱法により求められる値が、７０ｎｍ以上１５０ｎｍ以下であることが好ましく、８０ｎｍ以上１２０ｎｍ以下であることが好ましい。粒子径が１５０ｎｍを超えるとインクの沈降が促進されるため、長期間での分散安定性がそこなわれるため好ましくない。一方、粒子径が７０ｎｍより小さくなると、画像を形成するのに十分な発色性や得られた画像に対して十分な耐候性を得ることができなくなるため好ましくない。
【０１４８】
具体的な平均粒子径の測定方法としては、例えば、レーザ光の散乱を利用した、ＦＰＡＲ−１０００（大塚電子製、キュムラント法解析）、ナノトラックＵＰＡ  １５０ＥＸ（日機装製、５０％の積算値の値とする）等を使用して測定できる。
【０１４９】
上述した顔料分散体のインク中への添加量は、インク全量に対して０．５質量％以上１０質量％以下、より好ましくは１．０質量％以上８．０質量％以下、更に好ましくは１．５質量％以上６．０質量％以下であることが好ましい。顔料濃度が０．５質量％より小さくなると画像を形成するのに十分な発色性を得ることができず、また１０．０％質量を超えると、水性顔料インクの粘度が上昇してしまい、吐出が困難になるため好ましくない。
【０１５０】
前記水性顔料分散体においては、顔料と（メタ）アクリル酸エステル系共重合物との割合は、分散体の分散性を保ち、更に顔料インクの粘度を低く保つ観点から、質量換算で顔料１部に対して、（メタ）アクリル酸エステル系共重合物が０．２〜１．０部の範囲にあることが好ましい。
【０１５１】
顔料を（メタ）アクリル酸エステル系共重合物で被覆する際には、酸析工程を組み込むことが好ましい。酸析とは、顔料と塩基性物質の水溶液に溶解している（メタ）アクリル酸エステル系共重合物とを含有する液媒体に酸性物質を加えて酸性化することにより、（メタ）アクリル酸エステル系共重合物中のアニオン性基を中和される前の官能基に戻して、該重合物を析出させることである。
【０１５２】
この様な酸析工程としては、前記した分散工程と必要に応じて実施される蒸留工程を経て得られた水性分散体に塩酸、硫酸、酢酸等の酸を加えて酸性化し、塩基と塩を形成することによって溶解状態にある（メタ）アクリル酸エステル系共重合物を顔料粒子表面に析出させる工程である。この工程を実施することにより、顔料と（メタ）アクリル酸エステル系共重合物との相互作用をより高めることができる。その結果、前記した様なマイクロカプセル型複合粒子が水性分媒中に分散している形態を取らせることができ、水性顔料分散体として、分散到達レベル、分散所要時間および分散安定性等の物性面や耐溶剤性等の使用適性面で、より優れた効果を存分に発揮させることができる。
【０１５３】
こうして相互作用を高めて得られた析出物を濾別する濾過工程を実施し、より好ましくはその析出物を前記濾過工程終了後、洗浄する洗浄工程を実施して、顔料分散体中に吸着せずに存在するフリーポリマーを除去して、再度塩基性物質と共に水性媒体中に分散させる再分散工程を実施することで、分散安定性により優れた水性顔料分散体を得ることができる。
【０１５４】
［３−１−４］水溶性化合物：
前記顔料インクは、少なくとも水溶性化合物に、顔料分散体を分散させたものである。本発明の水溶性化合物の種類は特に限定されないが、前記水溶性化合物が、水溶性有機溶媒および２５℃で固体の水溶性化合物の群から選択される少なくとも１種であることが好ましい。
【０１５５】
ここにいう「水溶性化合物」とは、水と自由に混和するか、或いは水に対する溶解度（２５℃）が２０ｇ／１００ｇ以上の化合物を意味する。水溶性有機溶媒および２５℃で固体の水溶性化合物の群から選択される少なくとも１種である。前記水溶性化合物を含有させることで、水の蒸発を防止し、乾燥によるインクの固着を防止することができる。
【０１５６】
水溶性化合物としては、例えば以下に掲げるようなアルコール類、多価アルコール類、グリコールエーテル類、カルボン酸アミド類、複素環類、ケトン類、アルカノールアミン類：等、各種水溶性有機溶媒を用いることができる。また、尿素、エチレン尿素、トリメチロールプロパン等のような２５℃で固体の水溶性化合物を用いることもできる。
【０１５７】
（１）アルコール類：
メタノール、エタノール、ｎ−プロピルアルコール、イソプロピルアルコール、ｎ−ブチルアルコール、ｓｅｃ−ブチルアルコール、イソブチルアルコール、ｔｅｒｔ−ブチルアルコール、ｎ−ペンチルアルコール等の炭素数１〜５の鎖式アルコール類；
（２）多価アルコール類：
エチレングリコール（エタンジオール）、プロパンジオール（１，２−、１，３−）、ブタンジオール（１，２−、１，３−、１，４−）、１，５−ペンタンジオール、１，２−ヘキサンジオール等のアルカンジオール類；ジエチレングリコール、トリエチレングリコール、テトラエチレングリコール、ジプロピレングリコール、トリプロピレングリコール、ポリエチレングリコール、ポリプロピレングリコール等のアルカンジオールの縮合体；
グリセリン、トリメチロールプロパン、１，２，６−ヘキサントリオール、チオジグリコール等のアルカンジオール類以外の多価アルコール類；
（３）グリコールエーテル類：
エチレングリコールのモノメチルエーテル；ジエチレングリコールのモノメチルエーテル、モノエチルエーテル；トリエチレングリコールのモノメチルエーテル、モノエチルエーテル、モノブチルエーテル、ジメチルエーテル、ジエチルエーテル；テトラエチレングリコールのジメチルエーテル、ジエチルエーテル；
（４）カルボン酸アミド類：
Ｎ，Ｎ−ジメチルホルムアミド、Ｎ，Ｎ−ジメチルアセトアミド；
（５）複素環類：
テトラヒドロフラン、ジオキサン等の環状エーテル類；２−ピロリドン、Ｎ−メチル−２−ピロリドン、Ｎ−メチルモルホリン等の含窒素複素環類；
スルホラン等の含硫黄複素環類；
（６）尿素類：
尿素、エチレン尿素、１，３−ジメチル−２−イミダゾリジノン（Ｎ，Ｎ≡−ジメチルエチレン尿素）等の尿素類；
（７）ケトン類：
アセトン、メチルエチルケトン等のケトン；
４−ヒドロキシ−４−メチル−２−ペンタノン（ジアセトンアルコール）等のケトアルコール；
（８）アルカノールアミン類：
モノエタノールアミン、ジエタノールアミン、トリエタノールアミン；
（９）その他：
ジメチルスルホキシド、ビスヒドロキシエチルスルホン等の含硫黄化合物；
【０１５８】
前記水溶性有機溶媒の中では、多価アルコール類が好ましく、グリセリンが更に好ましい。グリセリンは揮発し難く、インクの固着を防止する効果に優れる点において好ましい。また、前記水溶性有機溶媒は、１種を単独で用いてもよいし、２種以上を混合して用いてもよい。例えばグリセリンと、グリセリン以外の多価アルコールおよび含窒素複素環類を併用することも好ましい。この際、グリセリン以外の多価アルコールとしてはトリエチレングリコール等を、含窒素複素環類としては２−ピロリドン等を用いることができる。このような混合溶媒はインクの増粘を防止する効果が高い点において好ましい。
【０１５９】
前記水溶性有機溶媒の含有率は特に限定されない。但し、水性媒体の蒸発を防止し、乾燥によるインクの固着を防止する効果を得るために、インク全質量に対して５質量％以上とすることが好ましく、より好ましくは１０質量％以上、更に好ましくは１５質量％以上とすることが好ましい。一方、高い駆動周波数にも対応可能とし、また、カビの発生を防止する観点から、インク全質量に対して５０質量％以下とすることが好ましく、より好ましくは４０質量％以下、更に好ましくは３０質量％以下とすることが好ましい。
【０１６０】
２５℃で固体の水溶性化合物としては、尿素、エチレン尿素等を用いることが好ましく、エチレン尿素を用いることが好ましい。２５℃で固体の水溶性化合物の含有率は特に限定されない。但し、水性媒体の蒸発を防止し、乾燥によるインクの固着を防止する効果を得るために、インク全質量に対して５質量％以上とすることが好ましく、９質量％以上とすることが更に好ましい。一方、過剰の添加による不具合を防止するため、インク全質量に対して４０質量％以下とすることが好ましく、３０質量％以下とすることが更に好ましく、１５質量％以下とすることが特に好ましい。
【０１６１】
［３−１−５］界面活性剤：
本発明においては、後述するインクの表面張力をコントロールして、画像記録媒体におけるインクのにじみ度合いや浸透性を任意にコントロールやヘッド内でのインクの濡れ性の向上、インクのヒーター面上でのコゲーションを防止し、吐出を向上さたりする目的で必要に応じて、前述のインクに界面活性剤を含有してもよい。このような界面活性剤としては、特に限定はされないが、以下に挙げることができる。なお、前記界面活性剤は単独で使用しても複数を併用して使用してもよい。
【０１６２】
〔ノニオン性界面活性剤〕
ポリオキシエチレンアルキルエーテル、ポリオキシエチレン脂肪酸エステル、ポリオキシエチレンアルキルフェニルエーテル、ポリオキシエチレン・ポリオキシプロピレンブロック共重合体等。脂肪酸ジエタノールアミド、アセチレングリコールエチレンオキサイド付加物、アセチレングリコール系界面活性剤等。
【０１６３】
〔アニオン性界面活性剤〕
ポリオキシエチレンアルキルエーテル硫酸エステル塩、ポリオキシエチレンアルキルエーテルスルフォン酸塩、ポリオキシエチレンアルキルフェニルエーテル硫酸エステル塩、ポリオキシエチレンアルキルフェニルエーテルスルフォン酸塩等。アルファスルホ脂肪酸エステル塩、アルキルベンゼンスルフォン酸塩、アルキルフェノールスルフォン酸塩、アルキルナフタリンスルフォン酸塩、アルキルテトラリンスルフォン酸塩、ジアルキルスルホコハク酸塩等。
【０１６４】
〔カチオン性界面活性剤〕
アルキルトリメチルアンモニウム塩、ジアルキルジメチルアンモニウムクロリド等。
【０１６５】
〔両性界面活性剤〕
アルキルカルボキシベタイン等。
【０１６６】
その中でも、アセチレングリコール系界面活性剤やポリオキシエチレンアルキルエーテル等は、インクの吐出安定性を向上させることができるため、特に好ましく使用される。
【０１６７】
アセチレングリコール系界面活性剤としては、下記一般式（７）に示す化合物（２，４，７，９−テトラメチル−５−デシン−４，７−ジオールのエチレンオキサイド付加物）を用いる。
【０１６８】
【化２】
2017030342.tif 000005
【０１６９】
（一般式（７）中、Ｕ、Ｖはそれぞれ独立に１以上の整数であり、Ｕ＋Ｖは０乃至２０の整数である）
【０１７０】
［３−１−６］水：
水としては、脱イオン水（イオン交換水）を用いることが好ましい。水の含有率は特に限定されない。ただし、インクの全質量に対し、３０質量％以上９０質量％以下であることが好ましく、より好ましくは４０質量％以上８５質量％以下であることが好ましく、更に好ましくは５０質量％以上８０質量％以下であることが特に好ましい。１０質量％以上とすることにより、顔料および水溶性化合物を水和させることができ、顔料や水溶性化合物の凝集を防止することができる。一方、９０質量％以下とすることにより、相対的に水溶性有機化合物の量が増え、水性媒体中の揮発成分（水等）が揮発してしまった場合でも、顔料の分散状態を維持することができ、顔料の析出や固化を防止することができる。
【０１７１】
［３−１−７］他の添加剤：
前記インクは、目的に応じて、界面活性剤以外の添加剤を含有していてもよい。そのような添加剤としては、例えばｐＨ調整剤、防錆剤、防腐剤、防黴剤、酸化防止剤、還元防止剤、塩等を挙げることができる。
【０１７２】
［３−１−８］粘度：
インクの粘度ηは、１．５ｍＰａ・ｓ以上５．０ｍＰａ・ｓ以下であることが好ましく、より好ましくは、１．６ｍＰａ・ｓ以上３．５ｍＰａ・ｓ以下、更に好ましくは１．７ｍＰａ・ｓ以上３．０ｍＰａ・ｓ以下にすることが好ましい。粘度を１．５ｍＰａ・ｓ以上とすることにより、良好なインク滴を形成することができる。一方、５．０ｍＰａ・ｓ以下とすることにより、インクの流動性が向上し、ノズルへのインク供給性、ひいてはインクの吐出安定性が向上する。
【０１７３】
インクの粘度は、ＪＩＳ  Ｚ  ８８０３に準拠して、温度２５℃の条件下、Ｅ型粘度計（例えば、東機産業製「ＲＥ−８０Ｌ粘度計」等）を用い、測定した値を意味するものとする。インクの粘度は、界面活性剤の種類や量の他、水溶性有機溶媒の種類や量等により調整することができる。
【０１７４】
［３−１−９］表面張力：
インクの表面張力γは、２５ｍＮ／ｍ以上４５ｍＮ／ｍ以下であることが好ましい。表面張力を２５ｍＮ／ｍ以上とすることにより、インク吐出口のメニスカスを維持することができ、インクがインク吐出口から流出してしまう不具合を防止することができる。また表面張力を４５ｍＮ／ｍ以下とすることにより、インクの画像記録媒体への吸収速度を最適にすることができ、インクの吸収不足による定着不良をという不具合を防止することができる。
【０１７５】
インクの表面張力は、温度２５℃、自動表面張力計（例えば、協和界面科学製「ＣＢＶＰ−Ｚ型」等）を用い、白金プレートを用いたプレート法により測定した値を意味するものとする。インクの表面張力は、界面活性剤の添加量、水溶性有機溶剤の種類及び含有量等により調整することができる。
【０１７６】
［３−１−１０］ｐＨ：
インクのｐＨは、７．５以上１０．０以下であることが好ましく、より好ましくは８．５以上９．５以下にすることが好ましい。ｐＨを７．５未満では顔料粒子の分散安定性が悪くなり、顔料の粒子の凝集が起こりやすくなるため好ましくない。一方、ｐＨは１０．０を超えると、インクのｐＨが高すぎてしまい、使用する装置の部材によっては、インクと接することによってケミカルアタックを引き起こし、これにより有機物や無機物がインク中に溶出することによって、結果として吐出不良を引き起こすため好ましくない。インクの粘度は、温度２５℃の条件下、ｐＨメーター（例えば、ＨＯＲＩＢＡ（製）Ｄ−５１等）を用い、測定した値を意味するものとする。
【０１７７】
［３−２］画像の記録：
次いで、色材受容層付き画像支持体の最上層に位置する色材受容層に画像記録する。画像記録はインクジェット記録方式により行うことができる。
【０１７８】
［３−２−１］インクジェット記録方式：
インクジェット記録方式とは、記録ヘッドに形成された複数のノズルから転写材に対してインク（インク滴）を吐出して画像を記録する方式である。インクジェット記録方式の種類は特に限定されない。但し、駆動パルスに応じた熱エネルギーをノズル内のインクに付与して膜沸騰により気泡を形成させ、この気泡によってノズルからインク滴を吐出させるサーマルインクジェット記録方式が、高品位で高解像度の画像を高速で記録することができる点において好ましい。
【０１７９】
インクジェット記録方式は、インクジェット記録装置（インクジェットプリンタ）により実施することができる。インクジェットプリンタは、画像記録時に記録ヘッドと色材受容層付き画像支持体が接触しないので、極めて安定した画像記録を行うことができる点において好ましい。インクジェットプリンタの種類は特に限定されない。但し、インク吐出口およびインク流路などからなるノズルを複数集積したマルチノズルヘッドを色材受容層付き画像支持体の搬送方向と直交するように多数配列させたラインヘッドを備えたフルライン型のインクジェットプリンタを用いることが好ましい。フルライン型のインクジェットプリンタは色材受容層付き画像支持体の搬送に合わせて複数のノズルのインク吐出口から同時にインクを吐出させて画像の記録を行う。このため、高品位で高解像度の画像を高速で記録することができる点において好ましい。
【０１８０】
特に本発明においては、フルラインヘッドはノズル列として複数のノズル流路が連通した共通液室と、該共通液室と連通した開口部と、該開口部と連通したメイン液体供給室と、該メイン液体供給室と連通する液体供給路と、該液体供給路と連通する液体供給室と、該液体供給室を、液体供給の際の流れに沿って上流側より第一液体供給室と、第二液体供給室とに分離するように配設された供給フィルターと、前記メイン液体供給室の一部に設けられた気液分離部と、該気液分離部と連通する空気室と、を備え、前記ノズル流路と、前記共通液室と、前記開口部と、前記メイン液体供給室と、前記液体供給路と、前記液体供給室と、前記供給フィルターと、前記気液分離部と、前記空気室とが、前記ノズル流路の配列方向と前記液体の吐出方向を含む平面に対して、平行平面上に配置され、前記メイン液体供給室と、前記液体供給路と、前記供給フィルターと、前記気液分離部と、前記空気室とが、各々積層することなく配置されているものが好ましく、前述した樹脂分散型の顔料インクに適している。すなわち、気液分離部を有するヘッドにおいては、ノズルから発生する泡を効果的に除去できるが、一方でインクが増粘しやすくなりリフィル性能が低下するなど、高速印字においてはインク物性に厳密な調整が必要であるが、前述した樹脂分散型の顔料インクはこれを容易にすることができる。
【０１８１】
記録ヘッドのインクの吐出量としては、２０ｐｌ以下であることが好ましい。インクの吐出量を２０ｐｌ以下、好ましくは１０ｐｌ以下、更に好ましくは５ｐｌ以下とすることにより、後述するラミネート工程で保護層を形成する場合に、インク成分の急激な蒸発が抑制され、画像支持体と転写材との密着強度の低下、色材受容層における気泡残りなどの不具合を防止することができる。また、吐出量を小さくするほど、色材受容層でのインクの広がりを抑えることができ、稠密で十分な濃度の画像を記録することができる。更には、画像層（インク層）の厚さを抑えることが可能となる。
【０１８２】
また、本発明においては記録ヘッドを記録面に対して相対的に移動走査させつつ順次記録媒体を搬送する、シリアルヘッド型のインクジェットプリンタを用いてもよい。シリアルヘッドのプリンタは、熱転写方式のプリンタの記録速度に比べて十分な優位性があり、また液滴を小さくできるので高品位な画像を容易に作製することができる。
【０１８３】
［７−１］第１の製造装置：
図１２は、本発明の記録物を製造する製造装置の第１の構成例（以下、「第１の製造装置」ともいう。）を模式的に示す側面図である。
【０１８４】
［７−１−１］主要な構成：
第１の製造装置は、画像支持体供給部１２、転写材供給部、プレカット部９４、受容層転写部９１、剥離部９２、カール矯正部１５０、記録部６、反転装置１５２、排出部２６等を備えている。
【０１８５】
画像支持体供給部１２は、画像支持体５５を搬送経路へ送り出す。転写材供給部はロール状で、且つ、色材受容層が外側となるように巻かれたロール状の第１の転写材９０を搬送経路へ送り出す。プレカット部９４はインク受容層のプレカット処理を行う。受容層転写部９１は画像支持体５５の表面に転写材を転写する。剥離部９２は転写材の基材シートを剥離して色材受容層付き画像支持体を得る。カール矯正部１５０は画像支持体のカールを矯正する。記録部６は色材転写層付き画像支持体に色材、水、不揮発性の有機溶媒などを含有する水系インクを直接吐出して、画像を記録する。反転装置１５２は両面印刷を行う際に色材受容層付き画像支持体を反転させる。排出部２６は画像が記録された記録物を排出して集積する。
【０１８６】
［７−１−２］動作：
供給部はインク受容層が外表に巻かれたロール状の第１の転写材を回転させ、送り出す。転写材の搬送が開始されると、センサー３１で転写材の位置検出を行い、プレカット処理部５で色材受容層のプレカット処理を行う。
【０１８７】
一方、画像支持体供給部１２は、予備加熱部９３に画像支持体５５を１枚ずつ供給する。予備加熱部では、転写材との密着性を向上させるため、画像支持体の加熱を行う。更に、レジストガイド１４が画像支持体と転写材の位置合わせを行う。その後、画像支持体が色材受容層付の転写材の上に積層される。
【０１８８】
画像支持体は付着部へ供給される。付着部は一対のヒートローラ２１、２２を備えている。一対のヒートローラ２１、２２の間を通過する際に、画像支持体に、プレカット処理された転写材が積層されることで、画像支持体と転写材とが加熱圧着される。これと同時に、剥離部９２で転写材を構成している基材シートが剥離ロール９５により剥離され、基材シートは巻取りロール９６に巻き取られる。この際、転写材はガイドロールにより支持されている。このような動作を経て、色材受容層付きの画像支持体を得ることができる。色材受容層付き画像記録媒体は、カール矯正部１５０でカール矯正が行われ、記録部６で色材受容層に画像が記録され、記録物が排出部２６に排出される。
【０１８９】
なお、両面印刷を行う際は、反転装置１５２によって画像支持体を反転させ、この画像支持体をレジストガイド１４までバックフィードさせる。その後、表面印刷と同様の工程を経て裏面印刷を行う。このような動作を経て、記録物を得ることができる。
【０１９０】
［７−１−３］第１の製造装置とコントローラとの接続：
図１３に示すように、製造装置２５（画像形成記録装置）は、ネットワーク４７を経由してコントローラ４１に接続される。但し、この製造装置２５は、ネットワーク４７を介さずに、シリアル・ポート、パラレル・ポート、またはＵＳＢポート等を介してコントローラ４１に接続することも可能である。製造装置２５は、カット処理部、付着部、剥離部、カール矯正部、記録部、画像反転部などを備える。ＣＰＵは記録部６に備えられ、カット処理部、付着部、剥離部、カール矯正部、記録部、ラミネート部、画像反転部などが記録部６に接続され、ＣＰＵが動作を制御するように構成されている。
【０１９１】
ネットワーク４７は、インターネット、ローカルエリアネットワーク（ＬＡＮ）等のネットワークであり、有線、無線を問わない。コントローラ４１は、製造装置２５を制御するためのコンピュータである。コントローラ４１は、制御部４４、表示部４５、入出力部４６、記憶部４２、通信部４３がシステム・バス４８を介して互いに接続される。また、コントローラ４１にはデジタルカメラや、画像データ等を読み込むためのドライブ装置等が接続される場合もある。更に、コントローラ４１には製版装置等が接続されることもある。
【０１９２】
制御部４４は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有する。ＣＰＵは、記録部、ＲＯＭ等に格納されるプログラムをＲＡＭ上のワークメモリ領域に呼び出して実行し、演算処理、動作制御を行い、システム全体を制御する。ＲＯＭは、不揮発性メモリであり、プログラム、データ等を恒久的に保持する。また、ＲＡＭは、揮発性メモリであり、プログラム、データ等を一時的に保持する。
【０１９３】
表示部４５は、ＣＲＴモニタ、液晶パネル等のディスプレイ装置、ディスプレイ装置と連携してコンピュータのビデオ機能を実現するための論理回路等（ビデオアダプタ等）の表示装置等である。
【０１９４】
入出力部４６は、データの入出力を行う部分である。データの入力を行うものとしては、例えば、キーボード、マウス等のポインティングデバイス、テンキー等があり、これらの入出力部を介して、コントローラ４１に対して、操作指示、動作指示、データ入力、維持管理等を行うことができる。また、不図示のスキャナやドライブ装置等と接続され、これらの外部装置からの入力データを制御部４４に転送したり、データを外部装置に出力したりする。
【０１９５】
記憶部４２は、データを記憶する装置であり、磁気ディスク、メモリ、光ディスク装置等がある。記憶部４２には、制御部４４が実行するプログラム、プログラム実行に必要なデータ、ＯＳ（Ｏｐｅｒａｔｉｎｇ  Ｓｙｓｔｅｍ）等が格納される。また製造装置２５の記録部６で記録されるパターンを格納することもできる。通信部４３は、コントローラ４１とネットワーク４７間の通信を媒介する通信インターフェースであり、通信制御装置、通信ポート等を有する。なお、パーソナルコンピュータ等をコントローラ４１の代りに用いることも可能である。
【０１９６】
［７−１−４］制御系：
図１４は、図１３に示す記録部６に設けられた制御系の構成を示すブロック図である。ホストＰＣ１２０から送信された記録データやコマンドはインターフェイスコントローラ１０２を介してＣＰＵ１００に受信される。ＣＰＵ１００は、記録部の記録データの受信、記録動作、ロ−ル紙Ｐのハンドリング等、全般的な制御を司る演算処理装置である。ＣＰＵ１００は、受信したコマンドを解析した後、記録データの各色成分のイメージデータをイメージメモリ１０６にビットマップ展開する。記録前の動作処理としては、出力ポート１１４、モータ駆動部１１６を介してキャッピングモータ１２２とヘッドアップダウンモータ１１８を駆動し、各々の記録ヘッド２２Ｋ、２２Ｃ、２２Ｍ、２２Ｙをキャッピング位置（待機位置）から離して記録位置（画像形成位置）に移動させる。
【０１９７】
続いて、一定速度で搬送される転写材にインクを吐出し始めるタイミング（記録タイミング）を決定するためのセンサ部３１（先端検出センサ）で転写材の位置を検出する。その後、転写材の搬送に同期して、ＣＰＵ１００はイメージメモリ１０６から対応する色の記録データを順次に読み出し、この読み出したデータを各々の記録ヘッド２２Ｋ、２２Ｃ、２２Ｍ、２２Ｙに記録ヘッド制御回路１１２を介して転送する。これにより、記録ヘッドの各ノズルに設けられた吐出エネルギー発生素子が記録データに従って駆動され、駆動された吐出エネルギー発生素子によってノズルからインク滴が吐出される。吐出されたインク滴は、記録ヘッドに対向する位置にある転写材の色材受容層（インク受容部）へと着弾し、ドットを形成する。このドットの集合によって所望の画像が形成される。
【０１９８】
なお、上記のようなＣＰＵ１００の動作はプログラムＲＯＭ１０４に記憶された処理プログラムに基づいて実行される。プログラムＲＯＭ１０４には、制御フローに対応する処理プログラム及びテーブルなどが記憶されている。また、作業用のメモリとしてワークＲＡＭ１０８が使用される。
【０１９９】
［７−１−５］第１の製造装置の動作フロー：
次に、図１２に示す第１の製造装置２５の動作フローを、図１５のフローチャートに従って説明する。このフローチャートは図１４に示すＣＰＵ１００により実行される。
【０２００】
記録部のＣＰＵは、コントローラよりネットワークまたは各種ポートを介して記録データが送信されたか否かを判断し（Ｓ１０１）、記録データが送信されていると判断されると（Ｓ１０１のＹＥＳ）、供給部からの未記録の転写材の供給を開始させ（Ｓ１０２）センサー部で転写材の検知を行い、センサー部が転写材を検出していなければ（ＯＦＦであれば（Ｓ１０３のＹＥＳ））、記録部に搬送され、画像支持体との位置合わせを行い、ヒートローラによる加熱圧着を開始する（Ｓ１１５）。以上の動作は、いずれもセンサ部が転写材を検出した時点を基準としており、互いに同期をとりながら行われる。
【０２０１】
一方、前述のようにＣＰＵに記録データが送信されると（Ｓ１０７のＹＥＳ）、画像支持体供給部から転写部（プライマー転写部）へと画像支持体が供給される（Ｓ１０８）。その後、転写部での転写性能を向上させるため、予備加熱部によるプレ加熱処理を行い（Ｓ１１０）、レジストガイドにおいて画像支持体と転写材との位置合わせを開始し（Ｓ１１１）、転写材との位置合わせが完了した時点で（Ｓ１１３）、先のステップへと進む。このとき、Ｓ１１３のステップはＹＥＳとなり、画像支持体上に転写材が載り、付着部において転写材と画像支持体とをプライマーを介して互いに接着させる（Ｓ１１５）。この後、下流側へと搬送されるのに伴って、プレカット処理部でプレカットされた部分を基点に、転写材の基材シートが剥離され、色材受容層付き画像支持体が形成される。その後、記録部において、色材受容層付き画像支持体への記録動作（Ｓ１０４）を開始する（Ｓ１０４）。この後、記録動作が終了すると（Ｓ１０５のＹＥＳ）、記録物（最終記録物）を排出部に積載させる（Ｓ１１６）。
【０２０２】
［７−１−６］第１の製造装置により実行される処理：
［７−１−６−１］転写材のプレカット処理：
第１の転写材は、必要に応じて図１６示すように色材受容層５３に切込み５４を形成しておくカット処理（以下、プレカット処理という）が施されている。このため、プライマー層または画像支持体に色材受容層を付着させた場合、プレカット処理により形成された切込みを境界にして、色材受容層が綺麗に切断されるため、図１７に示すように、画像記録される部分の（画像記録領域）色材受容層５３のみ画像支持体５５に転写される。
【０２０３】
また、プレカット処理を施し、切込みを形成することにより、シャープで正確なエッジ形状を得ることができる。これにより、画像支持体の、例えばサインパネル、ＩＣチップ、磁気ストライプの部分や、画像支持体に予め記録されているロゴ、ホログラム等の意匠デザインの部分の位置と、上記の部分的に抜けている部分の位置を合わせて、そのパッチを画像支持体へ付着させることができる。これにより、サインパネルやＩＣチップ、磁気ストライプ等の部分では、その部分の後処理における性能の低下を防止することができる。また、ロゴ、ホログラム等の意匠デザイン部分では、その個所に画像が形成されると、透明性が損なわれ（不透明性が増加し）、品位の低下が生じるために、画像形成部から外す必要があるが、これを正確に行うことができる。なお、上記のサインパネル部分は、ボールペン等の筆記具で手書きしたり、スタンプインキでナンバリングしたり、朱肉やスタンプインキで捺印したりする部分である。
【０２０４】
第１の製造装置においては、インクジェット方式による記録を行うため、色材受容層がインクを吸収する必要があり、吸収性を確保するために色材受容層の厚みを厚くする必要がある。特に色材受容層が空隙吸収型で形成され、色材受容層中に接着性を有する樹脂等が含有されていなかったり、その塗工量が２５ｇ／ｍ2以上となったりした場合には、色材受容層の厚みにより、画像形成領域が不用意に画像支持体から剥がれてしまうことがある。このため、画像形成領域の剥がれを防止するために、プレカット処理を行うことが好ましい。
【０２０５】
プライマーの転写は、図１８に示したように、画像支持体５５を１枚ずつ転写部１３内に供給し、供給ロール１５（プライマー供給ロール）からサーマルヘッド３０と画像支持体５５の間を通り、ガイドロール１６を経由して巻上げロール１７（プライマー巻上げロール）側に巻き取られて搬送される。サーマルヘッド３０は、プライマーの厚みや材質等で変わる熱容量に応じてエネルギーが印加され、発熱し、プライマーを画像支持体５５に移行させて接着層を形成する。サーマルヘッド３０の選択的加熱により、ＩＣ部など表面コートを行いたくない特殊な部分へのプライマー転写を行わない、選択的なプライマー転写が可能となるが、全面へのプライマー層の付与が前提となる装置では、安価なヒートローラなどの加熱手段によるプライマー転写を行うことも可能である。
【０２０６】
［７−１−６−２］転写工程（色材受容層の転写）：
画像支持体５５は、２本のヒートローラ２１、２２から構成される付着部に移動する。この付着部では、基材シートはヒートローラ２１と画像支持体の間に供給され加熱圧着されることで基材シートの色材受容層と画像支持体５５が接着する。
【０２０７】
また、転写時の温度は、転写時の温度をプライマーの接着が発現するプライマーのＴｇ以上、または色材受容層のバインダー成分Ｔｇ以上の範囲で行うものとする。転写時における色材受容層への加熱は、プラスチックカードなどの厚めの画像支持体側からでなく、主として転写材の基材シート側からの熱伝達によって行われるが、付着工程時の色材受容層の最大到達温度が画像支持体が溶融しない温度（変形しない）を超えないように制御すれば良い。また搬送速度等が速く熱源による加熱時間が十分に取れない場合は熱源と受容部との温度差が生じる場合もあることから、ヒートローラの表面温度は、１００℃〜１８０℃など、通常時より高くなるように制御してもよく、密着性・箔切れ性に考慮して更に高い温度となるように制御しても良い。
【０２０８】
［７−１−６−３］プレ加熱：
図１２に示すように、記録された第１の転写材と位置を合わせて付着させる場合は、画像支持体とを含むカード等の表面を、転写材を付着させる前に予備加熱部１９で適度に加熱しておけば、転写材上のインク受容層の加熱による過度な温度上昇を制御できる。
【０２０９】
［７−１−６−４］剥離処理：
図に示すように、剥離部１５１では、画像支持体に付着されている転写材の基材シートの部分を剥離し、剥離した基材シートを巻とりロール９６に巻き取る。これにより、図１７に示すような画像支持体５５の上に色材受容層５３が付着された状態の色材受容層付き画像支持体が構成される。つまり、色材受容層付き画像支持体の最上層に色材受容層５３が位置し、画像を記録することができるようになる。なお、プレカット処理を行った場合には、色材受容層の一部は剥離されて巻取りロール２４側に巻き取られ、色材受容層付き画像支持体は記録部６に搬送される。
【０２１０】
［７−１−６−５］カール矯正：
図１２に示すように、画像支持体は、カール矯正部１５０で矯正され、画像支持体のカールをフラットに矯正する。矯正は画像支持体があたたかいうちに、加熱プレートと支持プレートで挟み込むことにより矯正することができる。
【０２１１】
［７−１−６−６］記録処理：
記録ヘッドに形成された複数のノズルから色材受容層付き画像支持体にインク（インク滴）を吐出して画像を形成するインクジェット方式画像形成装置（インクジェットプリンタ）が広く使用されている。ノズルからインク滴を吐出させる技術として、駆動パルスに応じた熱エネルギーをノズル内のインクに供給して膜沸騰による気泡を形成させ、この気泡によってノズルからインク滴を吐出させる技術が知られている。形成する画像に応じた多数のインク滴がノズルから色材受容層付き画像支持体に吐出されることにより色材受容層付き画像支持体の色材受容層に画像が形成される。
【０２１２】
インクジェットプリンタには、画像記録速度を向上させるために、インク吐出口及びインク流路等からなるノズルを複数集積したマルチノズルヘッドを色材受容層付き画像支持体の搬送方向に直交させて多数配列させたラインヘッドを用いる、フルライン型のものがある。このフルライン型のプリンタでは、色材受容層付き画像支持体の搬送に合わせて複数のノズルのインク吐出口から同時にインクを吐出させて画像の記録を行う。このため、上記のフルライン型のインクジェットプリンタによれば、画像品位で高解像度の画像を高速で形成するという現在のプリンタに対する要求を満足させることができる。また、インクジェットプリンタは、画像記録時に記録ヘッドと色材受容層付き画像支持体とが非接触であるので、非常に安定した画像記録を行うことができるという利点も有している。
【０２１３】
記録部６は、Ｋ、Ｃ、Ｍ、Ｙからなる４つの記録ヘッドを主な構成要素としている。４個の記録ヘッドは、画像データに応じてインクを吐出し、色材受容層付き画像支持体に設けた色材受容層にインク滴を吐出して画像を形成する。
【０２１４】
［７−１−６−９］画像反転装置：
両面印字を行う際は、図１２に示すように、製造装置２５が画像反転部１５２を備えることが好ましい。剥離後の記録物は反転装置により反転され、裏面印字を行うために、反転された記録物はレジストガイド１４までフィードバックされる。その後、表面の印字と同様の処理を行い、裏面に画像を形成される。
【０２１５】
［７−２］第２の製造装置：
第２の製造装置は、ロール状で、且つ、色材受容層が外表に巻かれた転写材９０を供給部から供給し、その第１の転写材上にプライマー層を転写する機構を備える。これにより画像支持体と転写材の接着性を上げることができ、効率的に転写材を転写させることができる。
【０２１６】
上記第１の製造装置との主な相違点は、図１８に示したように、プライマー層を転写する転写部１３を転写材１の搬送経路上に備えた点である。第１の製造装置との共通部分は、第１の製造装置と同じ装置及び同じ制御系構成を有しているので説明は省略する。
【０２１７】
プライマーの転写は、図１８に示すように転写材を１枚ずつプライマー転写部１３内に供給する際に、プライマーシートを供給ロール１５（プライマー供給ロール）からサーマルヘッド３０と転写材の間を通り、ガイドロール１６を経由して巻上げロール１７（プライマー巻上げロール）側に巻き取るように搬送する。サーマルヘッド３０はプライマーの厚みや材質等で変わる熱容量に応じてエネルギーが印加され、発熱し、プライマーを画像支持体１１に移行させて接着層を形成する。サーマルヘッド３０の選択的加熱により、ＩＣ部など表面コートを行いたくない特殊な部分へのプライマー転写を行わない、選択的なプライマー転写が可能となるが、全面へのプライマー層の付与が前提となる装置では、安価なヒートローラなどの加熱手段によるプライマー転写を行うことも可能である。
【０２１８】
［７−３］第３の製造装置：
第３の製造装置は、転写部とプリンタ部が分離独立したものである。第３の製造装置は、図１９に示すような色材受容層５３が外側となるように巻かれたロール状の転写材を、「ロールｔｏロール」の公知のラミネーターに搭載して、転写材を画像支持体に転写させ、転写材から基材シートを剥離することにより色材受容層付き画像支持体を得る。その後、ラインヘッドを搭載したプリンタ部に搭載して印字を行い、記録物を得る。
【０２１９】
更に、必要に応じて、公知のラミネーターを用いて、ロール状の転写材を、図２０に示したラミネート機の巻きだしロール２０１にセットする。画像支持体が供給部２０６より搬送されると、ロール状に加工された転写材は巻きだしロール２０１より転写部２０３へ搬送される。このとき、センサー２０８はマーキングを検知し、画像支持体との位置合わせを行い、転写材は転写ロール２０４と画像支持体の間に搬送され、転写ロール２０４により加熱圧着される。その後、剥離ロール２０７により転写材の基材を引き剥がすことにより、画像記録媒体を形成する。
【０２２０】
図２３に示すのはラインヘッド型のプリンター４０１であり、図２４および図２５は、図２３に示すプリンター４０１の搬送機構４０２を更に具体的に示した図である。図２５に示すように、供給部にセットされた色材受容層付き画像支持体は、搬送ベルト４１０によって印字ヘッド３１１に搬送され、画像が記録され、排出部４１４から記録物として排出される。
【０２２１】
なお、図２１に示すような、転写材１が基材シート５０を外側に、且つ、色材受容層を内側にした内巻きのロール状である場合には、図２２に示すような搬送パスで、巻きだしロール２１０より転写材を送り出すことにより、色材受容層付き画像支持体を得る。上述の内巻きのロールはインク受容層表面にゴミ付着を防止する効果がある。
【０２２２】
［７−４］第４の製造装置：
第４の製造装置は、転写部とプリンタ部が分離独立したものである。第４の製造装置は転写材をカットシート状に加工し、公知のラミネーターに搭載して、転写材を画像支持体に転写させ、基材シートを剥離することにより色材受容層付き画像支持体を得る。その後、色材受容層付き画像支持体を、ラインヘッドプリンタにセットして、画像記録を行い、記録物を得る。
【０２２３】
具体的には、図２６に示すように、画像支持体に対し、シート状の転写材を手動で位置合わせし、転写ロール２０４に搬送して、画像支持体と転写材を加熱圧着した後、排出部２０５に排出し、基材シートを手動で引き剥がして色材受容層付き画像支持体を得る。その後、図２３に示すプリンタ４０１で、色材受容層に画像記録を行い、記録物を得る  
【０２２４】
［７−５］第５の製造装置：
第５の製造装置は、転写部とプリンタ部が分離独立したものである。第５の製造装置は転写材をカットシート状に加工し、カットシートを公知のラミネーターに搭載して、転写材を転写させ、基材シートを剥離することにより色材受容層付き画像支持体を得る。その後、色材受容層付き画像支持体をシリアルプリンターに搭載して画像記録を行い、記録物を得る。シリアル型のインクジェットプリンタを、図１２に示す製造装置のような一体型の製造装置に組み込んでしまうと、ヘッドは、付着部２９と記録部６の間で速度差を生じる場合があり、速度差を吸収および調節するためのたるみ部を設ける必要がある。従って、シリアル型のインクジェットプリンタを用いる場合は、プリンタ部と転写部が独立した分離型とすることが好ましい。
【０２２５】
具体的には、図２６に示すように、シート状の転写材１を画像支持体５５に手動で位置合わせを行った後、転写ロール２０４に搬送して、転写材１と画像支持体５５を加熱圧着させた後、排出部２０５に排出する。その後、基材シートを手動で引き剥がして色材受容層付き画像支持体を得る。図２７は色材受容層付き画像支持体に画像記録を行うシリアルプリンタ５０１である。シリアルプリンタ５０１においては、供給部５１３に色材受容層付き画像支持体をセットすると、搬送ロール５１０によって印字ヘッド５０２に搬送され、記録物が排出される。印字ヘッド５０２は、図２８に示すような構造となっており、ノズル５１１よりインクを吐出して画像記録を行う。このとき、印字ヘッド５０２を記録面に対して相対的に移動走査させつつ順次、色材受容層付き画像支持体の搬送を行い、印字ヘッド５０２はシャフト５０１に固定され、搬送される色材受容層付き画像支持体と直角の方向（図中の矢印ａ、ｂの方向）に走査させて、ノズルよりインクを吐出することにより画像記録を行う。
【０２２６】
以上説明したように、上記製造装置によれば、色材受容層と画像支持体との密着性が向上し、色材受容層を画像支持体上に容易に設けることができる。これにより、画像精度に優れ、生産性を飛躍的に向上せしめることが可能な記録物の製造方法を提供することができる。
【０２２７】
［８］第２の転写材：
本発明の第２の転写材は、図３１に示すように、色材を受容する色材受容層５３と透明シート５２と、色材受容層５３および透明シート５２を支持する基材シート５０と、を備えている。
【０２２８】
［８−１］色材受容層：
色材受容層については、前述した第１の転写材の説明の［１−１］で記載したものと同等のものを使用できる。空隙吸収型の色材受容層は、無機微粒子によって形成される空隙によって色材を速やかに吸収することができる。従って、透明シートを、基材と色材受容層との間に設ける第２の転写材の場合においては、転写材を画像支持体に加熱圧着させる際に、色材が急激に突沸することが少なく、転写材と画像支持体とが完全に密着しない不具合（密着性不良）や、転写材と画像支持体との間に気泡が残る不具合（気泡残り）を抑制することができる。
【０２２９】
色材受容層を形成する際に、無機微粒子の平均粒子径や水溶性樹脂の重量平均重合度および、けん化度を精密に制御することが好ましい。これにより、色材受容層の透明性（透過性）や色材受容層と透明シートとの密着強度を向上させることができる。これにより、透明シートの側からの画像の視認性を向上させることができる。従って、色材として、色材受容層に浸透し難い顔料インクを使用した場合でも、インク密度を増加させ、或いは多量のインクを受容させるために色材受容層の厚さを増大させる必要がない。このため、転写材、ひいては記録物の全体厚さを薄厚化することができる。
【０２３０】
［８−１−１］無機微粒子：
無機微粒子については、前述した第１の転写材の説明の［１−１−１］で記載したものと同等のものを使用できる。
【０２３１】
透明シートを、基材シートと色材受容層との間に設ける第２の転写材の場合においては、使用する無機微粒子は、その平均粒子径が１２０ｎｍ以上２００ｎｍ以下であることが好ましい。前記平均粒子径を１２０ｎｍ以上、好ましくは１４０ｎｍ以上とすることで、色材受容層のインク吸収性を向上させることができ、記録後の画像におけるインクの滲みやビーディングを抑制することができる。一方、前記平均粒子径を２００ｎｍ以下、好ましくは１７０ｎｍ以下とすることで、無機微粒子による光散乱を抑制し、色材受容層の光沢性および透明性を向上させることができる。また、色材受容層の単位面積当たりの無機微粒子数を増加させることができるため、インク吸収性を向上させることができる。従って、画像の記録濃度を向上させることができ、記録後の画像のくすみを抑制することができる。
【０２３２】
［８−１−２］水溶性樹脂：
水溶性樹脂については、前述した［１−１−２］で記載したものと同等のものを使用できる。
【０２３３】
［８−１−３］カチオン性樹脂：
カチオン性樹脂については、前述した［１−１−３］で記載したものと同等のものを使用できる。なお、透明シートを基材と色材受容層との間に設ける第２の転写材の場合においては、［１−１−３］で記述した機能に加え、後述する樹脂分散顔料との接着性を高めることができる。すなわち、樹脂分散顔料の分散樹脂のＳP値は、本発明で使用するカチオン性樹脂のＳＰ値と近いため、転写時の熱でカチオン性樹脂および分散樹脂が溶融すると両者の相溶性が高まり、樹脂分散顔料は色材受容層に強固に接着される。これにより、色材受容層の画像支持体への転写性能が向上する。
【０２３４】
［８−１−４］その他の添加物：
その他添加物については、前述した［１−１−４］で記載したものと同等のものを使用できる。
【０２３５】
［８−１−５］厚さ：
厚さについては、前述した［１−１−５］で記載したものと同等のものを使用できる。なお、透明シートを基材と色材受容層との間に設ける場合においては、インクの吸収性の向上や密着性（転写性能）だけでなく、色材受容層の透明性を向上させることができる。
【０２３６】
［８−１−６］その他：
色材受容層は、後述する画像とは異なる補助的な画像が予め形成（プレプリント）されているものであってもよい。
【０２３７】
［８−２］透明シート：
本発明の第２の転写材は、図３１に示すように、透明シート５２を備えている。透明シートは、ＪＩＳ  Ｋ７３７５に準拠して測定される全光線透過率が５０％以上、好ましくは９０％以上のシートを意味する。従って、透明シートには、無色透明シートの他、半透明シート、着色透明シートなども含まれる。
【０２３８】
透明シート５２の種類は特に限定されない。但し、耐候性、耐摩擦性、耐薬品性などの耐久性に優れ、色材受容層との相溶性が高い材質からなるシート、フィルムであることが好ましい。更に、透明シートが基材シートに当接する場合は、基材シートのＳＰ値と透明シートのＳＰ値との差ＳＰ１が１．１以上の材料を選択することが好ましい。具体的な材質としては、例えば、樹脂フィルムなどを挙げることができる。
【０２３９】
また、本発明の第２の転写材を画像支持体に加熱圧着させ、基材シートを剥離すると、透明シートを介して色材受容層に記録された画像を本来の画像として視認することが可能となる。また、転写材を画像支持体に加熱圧着させた場合に、透明シートが色材受容層に記録された画像の保護層として機能する。
【０２４０】
なお、色材受容層に画像を記録するインクとして染料インクを用いる場合には、紫外線による染料の分解（光劣化）を防止するために、前記透明シートが、ＵＶカット剤を含有するものであることが好ましい。ＵＶカット剤としては、例えばベンゾトリアゾール系化合物、ベンゾフェノン系化合物などの紫外線吸収剤；酸化チタン、酸化亜鉛などの紫外線散乱剤；などを挙げることができる。
【０２４１】
［８−３］基材シート：
本発明の第２の転写材は、図３１に示すように、基材シート５０を備えている。基材シート（「剥離ライナー」、「セパレータ」とも称される。）は、後述する離型層または色材受容層の支持体となるシート体である。なお、基材シートについては、前述した［１−２］で記載したものと同等のものを使用できる。
【０２４２】
［８−４］離型層：
本発明の第２の転写材は、図３２に示すように、離型層５１を備えていてもよい。離型層は、離型剤を含有する組成物からなる層で、基材シート５０と透明シート５２の間に設けられる。離型層５１を備えることによって、透明シート５２から基材シート５０を容易に剥離することができる。なお、本発明において離型層を形成する場合は、基材シートは離型層を含むものとする。すなわち、基材シートのＳＰ値と、基材シートに当接する層のＳＰ値と、の差のＳＰ１は、離型層ＳＰ値と色材受容層のＳＰ値との差となる。離型層については、前述した［１−３］で記載したものと同等のものを使用できる。
【０２４３】
なお、透明シートの表面に艶消し（マット）加工を行いたい場合には、離型層に各種粒子を含有させるか、離型層の透明シートに当接する側の表面をマット処理しておくことが好ましい。マット加工は透明シートの光沢感を適度に制御することができる点において有用な方法である。
【０２４４】
［８−５］アンカー層：
本発明の第２の転写材は、図３２に示すようにアンカー層５９を更に備えていてもよい。
【０２４５】
アンカー層５９は透明シート５２と色材受容層５３との間に配置される。アンカー層を備えることで、透明シートと色材受容層との密着性、接着強度を向上させることができ、前記接着強度の不足により透明シートから色材受容層が剥離する不具合を抑制することができる。
【０２４６】
また、表面改質処理として、色材受容層を塗工する透明シート５２の表面に、予めコロナ放電処理やプラズマ放電処理を行ったり、ＩＰＡやアセトン等の有機溶剤を塗工することによって透明シート５２の表面をあらすことによって、塗れ性を改良し密着性を向上させることができる。上記のようなアンカー層の形成や表面処理を行うことによって、色材受容層５３と透明シート５２との結着性を高めることができ、膜強度を上げ、透明シート５２の剥がれを防止することができる。
【０２４７】
このような、アンカー層５９としては、結着性を高めるものとして、前述したプライマー層を構成するものと同等のものが使用できる。例えば、熱可塑性の合成樹脂、天然樹脂、ゴム、ワックス等を用いて形成することができる。より具体的には、エチルセルロース、セルロースアセテートプロピオネート等のセルロース誘導体、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、アイオノマー、エチレンアクリル酸共重合体、エチレン−アクリル酸エステル共重合体等の合成樹脂、粘着性付与剤としてのロジン、ロジン変性マレイン酸樹脂、エステルガム、ポリイソブチレンゴム、ブチルゴム、スチレンブタジエンゴム、ブタジエンアクリロニトリルゴム、ポリアミド樹脂、ポリ塩素化オレフィン等の天然樹脂や合成ゴムの誘導体等が挙げられる。
【０２４８】
また、塗工液の濡れ性を向上させたり、結着性を高めたりするものとしては、ポリオレフィン樹脂なども好ましく用いられ、中でもポリエチレンは特に好ましく用いられる。ポリエチレンは、主として低密度のポリエチレン（ＬＤＰＥ）または高密度のポリエチレン（ＨＤＰＥ）であるが、他のＬＬＤＰＥやポリプロピレン等も一部使用することができる。
【０２４９】
上記、アンカー層５９は、後述する転写材の付着工程でのヒートローラでの熱処理により、アンカー層５９が溶融することが好ましい。アンカー層５９の溶融により、色材受容層５３のおよび透明シート５２表面の凹凸の影響を受けることなく、色材受容層５３と透明シート５２の結着性をより強固なものとすることができる。熱処理は、熱によりアンカー層を溶融させることによって接着性を発現させる一方で、インクの蒸発が起こらない範囲で用いることが好ましい。従って、ガラス転移温度（Ｔｇ）が６０℃〜１６０℃、更に好ましくは７０〜１４０℃、特に好ましくは７０〜１００℃の熱可塑性樹脂から形成することが好ましい。上記の温度範囲は、付着部２９において転写材１から印加される熱によっても色材受容層内部のインクの内圧が上がることから、インクに沸騰が起こらないため、好ましく使用される。一方、１６０℃以上では、急激な熱によりインクが沸騰してしまい、良好な接着が行われなくなるので好ましくない。
【０２５０】
［８−６］ホログラム層：
本発明の第２の転写材は、図３２に示す転写材１のように、ホログラム層５８を更に備えていてもよい。ホログラム層５８は、三次元像が記録された層であり、透明シート５２と色材受容層５３との間に配置される。ホログラム層を備えることで、記録物（クレジットカードなど）の偽造を防止する効果が付与される。ホログラム層の構成は特に限定されず、従来公知の構成を採用することができる。例えば、レリーフホログラムなどを挙げることができる。
【０２５１】
アンカー層５９を設ける場合は、図３２に示すようにアンカー層５９と透明シート５２の間にホログラム層５８を設けることができる。ホログラム層５８は、一般に樹脂の層で構成されるが、この層自体は単一構造でもよく、また多層構造でもよい。そして、ホログラム形成層は、平面型ホログラムでも体積型ホログラムでもよく、平面型ホログラムの場合、なかでもレリーフホログラムが量産性およびコストの面から好ましい。
【０２５２】
その他、フレネルホログラム、フラウンホーファーホログラム、レンズレスフーリエ変換ホログラム、イメージホログラム等のレーザー再生ホログラム、および、レインボーホログラム等の白色光再生ホログラム、更にそれらの原理を利用したカラーホログラム、コンピュータホログラム、ホログラムディスプレイ、マルチプレックスホログラム、ホログラフィックステレオグラム、ホログラフィック回折格子等を用いることができる。
【０２５３】
干渉縞を記録するためのホログラム形成用感光材料としては、銀塩、重クロム酸ゼラチン、サーモプラスチックス、ジアゾ系感光材料フォトレジスト、強誘電体、フォトクロミックス材料、カルコゲンガラス等が使用できる。また、ホログラム形成層の材質として、ポリ塩化ビニル、アクリル樹脂（例、ポリメチルメタアクリレート）、ポリスチレン、ポリカーボネート等の熱可塑性樹脂、そして、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂を硬化させたもの、或いは、上記熱可塑性樹脂と熱硬化性樹脂の混合物が使用可能である。
【０２５４】
更に、ホログラム層５８の材質として、ラジカル重合性不飽和基を有する熱成形性物質が使用可能である。ホログラム層５８は、従来既知の方法によって形成することができる。例えば、透明型ホログラムがレリーフホログラムである場合、干渉縞が凹凸の形で記録されたホログラム原版をプレス型として用いる。そして、このホログラム原版上にホログラム形成用樹脂シートを置き、加熱ロールなどの手段によって両者を加熱圧着し、ホログラム形成用樹脂シート表面にホログラム原版の凹凸模様を複製する方法によってレリーフ形成面を有するホログラム形成層を得ることができる。
【０２５５】
［８−７］積層構造：
本発明の第２の転写材は、図３１に示すように、基材シート５０、透明シート５２および色材受容層５３が順次積層された積層構造を有している。「基材シート、透明シートおよび色材受容層が順次積層」とは、基材シート、透明シート、色材受容層の間に他の層が介在するか否かに拘わらず、基材シート、透明シート、色材受容層が、その順序に従って積層されていることを意味する。即ち、図３２に示す転写材１のように、透明シート５２と色材受容層５３との間に、アンカー層５９やホログラム層５８が存在する構造も、「基材シート、透明シートおよび色材受容層が順次積層」された積層構造に含まれる。
【０２５６】
但し、本発明の第２の転写材は、図３１に示すように、基材シート５０、透明シート５２、色材受容層５３が相互に当接された積層構造を有することが好ましい。即ち、基材シート５０と透明シート５２、透明シート５２と色材受容層５３の間に、他の層（シートも含む。）が介在していない構造が好ましい。記録物の対象物となるクレジットカードなどは厚さの制限が厳格であるため、積層される層やシートの数を減じ、記録物を薄厚化することが望ましいからである。特に、色材受容層に含まれるポリビニルアルコールの重量平均重合度、けん化度を精密に調整すれば、透明シートと色材受容層との接着強度が顕著に向上し、必ずしも離型層やアンカー層を形成する必要がなくなる。このような構成によれば、転写材ひいては記録物を薄厚化することができるという利点がある。
【０２５７】
本発明の第２の転写材が、図３２に示すように、離型層５１、アンカー層５９、ホログラム層５８を更に備える場合には、色材受容層５３、アンカー層５９、ホログラム層５８、透明シート５２、離型層５１および基材シート５０が順次積層された積層構造を有することが好ましい。
【０２５８】
［８−８］転写材の形状と厚さ：
本発明の第２の転写材の形状および厚さについては、前述した［１−７］で記載したものと同等のものを使用できる。
【０２５９】
［８−９］製造方法：
本発明の第２の転写材は、例えば、基材シートおよび透明シートが順次積層された積層体に、無機微粒子、水溶性樹脂およびカチオン性樹脂を含有する塗工液を塗工することにより製造することができる。なお、以下の記載においては、転写材の項などで既に説明した事項については割愛し、製造方法固有の事項のみ説明する。
【０２６０】
［８−９−１］透明シート：
透明シートとしては、予め表面改質が行われたものを用いてもよい。透明シートの表面を粗面化する表面改質を行うことにより、透明シートの濡れ性が向上し、色材受容層やアンカー層との密着性を向上させることができる場合がある。表面改質の方法は特に限定されない。例えば、透明シートの表面に、予めコロナ放電処理やプラズマ放電処理を行う方法；透明シートの表面にＩＰＡやアセトン等の有機溶剤を塗工する方法；などを挙げることができる。これらの表面処理は、色材受容層と透明シートとの結着性が高まり、強度が向上し、透明シートから色材受容層が剥離する不具合を防止することができる。
【０２６１】
そして、透明シートは、他の層やシートとの積層体とした状態で用いてもよい。例えば、アンカー層、透明シート、離型剤を含有する組成物からなる離型層、基材シートが順次積層された積層シートを用いることが好ましい。
【０２６２】
離型層は、基材シートを構成する樹脂フィルムなどに、離型層を構成する樹脂やワックスを含有する塗工液を塗工し、乾燥することにより形成することができる。塗工方法としては、従来公知の塗工方法、例えばグラビア記録法、スクリーン記録法、グラビア版を用いたリバースロールコーティング法などの塗工方法を挙げることができる。
【０２６３】
［８−９−２］塗工液：
色材受容層は、少なくとも無機微粒子、水溶性樹脂およびカチオン性樹脂を、適当な媒体と混合して塗工液を調製し、これを透明シートの表面に塗布し、乾燥させて色材受容層を形成することで得られる。
【０２６４】
塗工液の媒体およびその他添加剤、塗工液中の無機微粒子の濃度ついては、前述した［１−５］で記載したものと同等のものを使用できる。
【０２６５】
［８−９−３］塗工：
色材受容層の形成は、例えば基材シートおよび透明シートの積層体を構成する透明シートの表面に、前記塗工液を塗工することにより行う。塗工後は必要により塗工液の乾燥を行う。これにより、図３１に示すような、基材シート５０、透明シート５２および色材受容層５３が順次積層された積層構造を有する転写材１を得ることができる。
【０２６６】
アンカー層、前記透明シート、前記離型層、および前記基材シートが順次積層された積層シートを用いる場合には、前記積層シートを構成する前記アンカー層の表面に、前記塗工液を塗工すればよい。これにより、図３２に示すような、色材受容層５３、アンカー層５９、透明シート５２、離型層５１および基材シート５０が順次積層された積層構造を有する本発明の第２の転写材を得ることができる。
【０２６７】
塗工方法および塗工液の塗工量ついては、前述した［１−５］で記載したものと同等のものを使用できる。
【０２６８】
［８−１０］画像：
図３３は、本発明の第２の転写材を模式的に示す斜視図である。本発明の転写材は、色材受容層に画像が形成されていることが好ましい。特に図３３に示す転写材１のように、色材受容層５３に、色材受容層５３の側から見ると鏡像となり、透明シート５２の側から見ると正像となる反転画像７２が記録されていることが好ましい。
【０２６９】
本発明の第２の転写材においては、図３３に示す転写材１のように、反転画像７２は、色材受容層５３の透明シート５２が積層されていない面に記録されたものである。特にインクジェット記録方式により記録されたものは従来の熱転写方式と比較して、記録物の生産性および情報セキュリティーを向上させることができ、記録コストの低減を図ることが可能となる。
【０２７０】
本発明の第２の転写材においては、前記画像が、染料インクにより形成された画像であってもよいし、顔料インクにより形成された画像であってもよい。但し、前記画像が、顔料インクにより形成された画像であることが好ましい。顔料インクにより反転画像を形成することで、色材受容層の表面にインク中の水分や溶媒が残存し難くなり（即ち、乾燥が容易となり）、前記水分や前記溶媒に起因する画像支持体と転写材（具体的には、色材受容層）との接着不良やマイグレーション（インクの移動）を有効に防止することができる。更に、顔料インクにより反転画像を形成することで、反転画像の耐光性を向上させることができる。
【０２７１】
上記内容について更に詳細に説明する。顔料インクは、図３４に示すように、空隙吸収型の色材受容層６４においては、顔料インク中の顔料成分６３は粒子径が大きいため、色材受容層６４を形成する無機微粒子６５で構成される細孔の内部まで浸透せずに、色材受容層６４の記録表面で定着する。更に、空隙吸収型の色材受容層６４は、膨潤型の色材受容層とは異なり、色材受容層６４が膨潤することなく平滑に保たれる。一方、膨潤吸収型の色材受容層の場合は、図３５に示すように、インク中の水分により色材受容層６７が膨潤して、色材受容層６７の表面に凹凸が発生するため、画像支持体に対する接着性を低下させてしまう。また、インク中の残存水分や溶媒は色材受容層６７の表面６６に残るため、付着工程における残存水分および溶媒の蒸発により、画像支持体と色材受容層のとの密着性が不足する可能性があるため、好ましくない。
【０２７２】
また、空隙吸収型の色材受容層６４においては、顔料インク中の顔料成分６３は色材受容層６４の表面で定着する一方でインク中の水分および溶媒成分６２は、色材受容層６４の内部まで浸透し、表面の顔料成分６３と分離（固液分離）する。これにより、転写時には、顔料表面は乾燥した状態になるため、水分の蒸発による接着不良を防止し接着性を向上することができる。また、残存水分および溶媒成分６２は色材受容層６４の内部にとどまるため、顔料成分６３は、再度、残存水分および溶媒成分６２が接触することがないため、インクの移動（マイグレーション）を防止することができる。一方で染料インクは、図３６に示すように、残存水分の影響により染料成分６８が染料成分６９のように移動（マイグレーション）してしまうため、にじみが発生する。
【０２７３】
顔料インクついては、前述した［３−１］で記載したものと同等のものを使用できる。なお、本発明においては、転写材の色材受容層にカチオン性樹脂が含有されているため、一般的にマイナス帯電している顔料粒子は、カチオン性樹脂との静電気的に結合し、色材受容層と顔料インクとの接着性を強固にしている。しかしながら、自己分散顔料を用いた場合、自己分散顔料が色材受容層の表面を覆うと、色材受容層や画像支持体との接着性が低下し、転写性能が低下する場合がある。そこで、本発明では、樹脂分散顔料を用いる。樹脂分散顔料は顔料粒子の周りを樹脂で被覆しているため、自己分散顔料に比べて転写性能を向上させるため好ましい。顔料インクとして樹脂分散型顔料を使用した場合には、その分散樹脂と色材受容層中のカチオン性樹脂のＳＰ値を近い値にすることができる。こうすることで、樹脂分散型顔料の色材受容層への接着性が向上する。前記樹脂としては、（メタ）アクリル酸エステル共重合体等のアクリル樹脂を用いることが好ましい。アクリル樹脂のＳＰ値は、色材受容層中のポリビニルアルコールやカチオン性樹脂、プライマー樹脂、画像支持体のＰＶＣ、ＰＥＴ−ＧなどのＳＰ値と値が近いことから、印刷後に印字表面が顔料膜で覆われても、画像支持体や色材受容層との結着性も高めることが可能になる。よって、透明シートを、基材と色材受容層との間に設ける態様とした場合においては、画像支持体に対する色材受容層の転写性能を向上させることができる。
【０２７４】
［８−１１］画像の記録：
次いで、前記した第２の転写材における前記色材受容層の前記透明シートが積層されていない面に、画像記録する。特に、前記色材受容層の側から見ると鏡像となり、前記透明シートの側から見ると正像となる反転画像を、記録する。これにより、図３３に示すように、転写材１の色材受容層５３に反転画像７２が記録される。
【０２７５】
画像の記録ついては、前述した［３−２］で記載したものと同等のものを使用できる。
【０２７６】
透明シートを基材と色材受容層との間に設ける場合においては、記録ヘッドのインクの吐出量としては、２０ｐｌ以下であることが好ましい。インクの吐出量を２０ｐｌ以下、好ましくは１０ｐｌ以下、更に好ましくは５ｐｌ以下とすることにより、インクの吸収性の向上や高速記録だけでなく、画像支持体との加熱圧着工程においてインクの水分量を適切なレベルにコントロールすることができるため、色材受容層の転写性を高めることができる。
【０２７７】
また、画像の印字は、画像支持体よりも大きなサイズで印字することが好ましい。このようにすることで、ふち無し印字が可能になり、良好な画像を得ることができる。特にインクジェットを用いる場合、画像支持体に直接ふち無し印字を行うとエッジ部分にインクが吸収されエッジ部分の画像品位が悪化するが、本発明においては、インクジェット方式によってもエッジ部の良好な印刷が可能となる。
【０２７８】
［８−１１−１］マーキング処理：
また、画像を印字する際に、図３７に示すように後述する転写工程での自動ラミネート機の位置合わせ用に、画像形成領域１６１や印字領域１６０の外側に、位置あわせ用のマーキング１６２を印刷することができる。このマーキングを、後述する透過および反射型のセンサーで読み取ることにより、転写時の貼り合わせ位置を正確に行うことができる。また、図３８に示すように、転写材がカットシート形状である場合は、画像形成領域１６１の外側に、マーキング１６２に加えて、貼り合わせガイド１６３を印字すると、転写時の貼り合わせの位置調整を容易に行うことができる。
【０２７９】
［８−１１−２］インクの乾燥：
本発明においては、前記画像を形成しているインクジェット記録用のインクの水分量を、前記インクの総打ち込み量に対して７０質量％以下となるまで乾燥することが好ましい。インクの水分量を７０％質量％以下、好ましくは５０質量％以下とすることにより、インク成分の急激な蒸発が抑制され、画像支持体と転写材との密着強度の低下、色材受容層における気泡残りなどの不具合を防止することができる。なお、ここにいう水分量とは、色材を除く水および不揮発性溶媒などの総量を意味するものとする。インクの総打ち込み量は、記録ヘッドのインク吐出量により調整することができる。水分量の制御を容易に行えるように、予め画像記録時のドット数を間引くなどして、打ち込み量を制限してもよい。前記乾燥は、ハロゲンヒータなどのヒータ（熱源）、ファンなどの排気装置などにより行うことができる。但し、ヒータ等の特別な乾燥手段を設けずに、十分な長さの搬送路を搬送させることによって、自然乾燥を促してもよい。
【０２８０】
［８−１２］プライマー層：
本発明においては、図３９に示すように、印字後の転写材１の色材受容層５３の表面にプライマー層５６を更に備えていることが好ましい。プライマー層５６は、接着性を有する層であり、色材受容層の表面に配置される。この場合、画像支持体と接する層はプライマー層となる。プライマー層を備えることで、画像支持体と転写材との密着性、接着強度を向上させることができ、前記接着強度の不足により画像支持体から転写材が剥離する不具合を抑制することができる。プライマー層を設けることにより、プライマー層のＳＰ値と画像支持体のＳＰ値との差ＳＰ２を、前記一般式（２）の範囲に制御することができ、密着性、接着強度を向上させることができるため、画像支持体から色材受容層が剥離する不具合を抑制することができる。特に、本発明においては、画像支持体としてＰＶＣやＰＥＴ−Ｇ以外のＰＥＴ基材を用いる場合、プライマー層を設けることは有効である。
【０２８１】
プライマー層ついては、前述した［１−６］で記載したものと同等のものを使用できる。
【０２８２】
［１０］第２の記録物：
本発明の第２の記録物は、図３０に示す記録物７３のように、画像が支持される画像支持体５５と、画像が記録された記録媒体と、を備える。そして、記録媒体が、本発明の第２の転写材の色材受容層５３に画像が記録され、基材シートが剥離されたものである。更に、画像支持体５５、色材受容層５３および透明シート５２が順次積層された積層構造を有しており、画像支持体５５のＳＰ値と、転写材の画像支持体５５に当接する層（図１に示す例では色材受容層５３）のＳＰ値との差ＳＰ２が、下記式（２）の関係を満たすことを特徴とする。
０≦ＳＰ２≦１．０      ：（２）
【０２８３】
［９−１］記録物の製造方法（工程２、工程３）：
図４０は、本発明の第２の転写材を画像支持体５５に貼付した積層体８４を模式的に示す断面図であり、図４１は、図４０に示す積層体８４から基材シート５０を剥離して記録物７３を得る工程を模式的に示す斜視図である。
【０２８４】
本発明の第２の転写材は、図４０に示すように、色材受容層５３を画像支持体５５と対向させるように画像支持体５５に貼付して用いる。これにより、画像支持体５５、色材受容層５３および透明シート５２が順次積層された積層体８４が形成される。これにより、転写材の色材受容層５３に記録された反転画像が画像支持体５５に貼付される。
【０２８５】
その後、図４１に示すように積層体から基材シート５０を剥離することにより記録物７３を得ることができる。
【０２８６】
［９−２］画像支持体：
画像支持体ついては、前述した［２−１］で記載したものと同等のものを使用できる。
【０２８７】
［９−３］積層構造：
本発明の第２の転写材を利用して得られる記録物は、図３０、図４１に示す記録物７３のように、画像支持体５５、色材受容層５３および透明シート５２が順次積層された積層構造を有している。
【０２８８】
［９−４］転写材と画像支持体との加熱圧着：
前記画像支持体と、前記した第２の転写材とを、前記画像支持体、前記色材受容層および前記透明シートが順次積層されるように当接させた状態で加熱圧着する。これにより、前記画像支持体、前記色材受容層および前記透明シートが順次積層された積層構造を有する記録物を得る。
【０２８９】
加熱圧着の温度および加熱圧着の方法ついては、前述した［２−２−１］で記載したものと同等のものを使用できる。
【０２９０】
［９−５］基材シートおよび離型層の剥離：
前記のようにして得られた第２の記録物は、最後に、図４１に示すように基材シート５０を剥離することにより、画像支持体５５、色材受容層５３および透明シート５２が順次積層された構造の記録物７３が得られる。この記録物７３においては、透明シート５２が最上層に位置し、その下層側に位置する色材受容層５３に記録された反転画像７２を保護している。なお、プライマー層を用いる場合は、画像支持体５５は、プライマー層を介して色材受容層５３に十分に密着固定される。
【０２９１】
基材シートを剥離する際、転写材が熱時剥離である場合は加熱圧着後、温度が下がらないうちに直ちに剥離を行うことが好ましい。このような熱時剥離タイプの場合は、図４２に示す分離爪８６による剥離機構や、図４３に示す剥離ロール８８による剥離が好ましく、転写工程における転写材の供給を「ロールｔｏロール」で行う場合に生産性の面で適している。
【０２９２】
一方、利用する第２の転写材が冷時剥離型の場合は、温度が下がっても剥離することができる。このような場合は、ロールやピール機構による剥離だけでなく、手動で剥離することも可能になるため、特にカットシート状に加工したものを用いる場合に、好適に使用できる。なお、「ロールｔｏロール」剥離を行う際の、剥離角度θはθが０〜１６５°であり、更に好ましくは０〜９０°である。この剥離角度θに設定することにより、プリンタ走行中に、プレカット処理部にて転写材のプレカット処理により分離されたパッチ部分が不用意に剥がれたり、めくれたりすることを防止することができる。図４３において剥離角度θは、図に示す角度であるが、これに限定されない。
【０２９３】
なお、加熱圧着、剥離工程においては、公知の２本ロールタイプ、および４本ロールタイプのラミネート機をしようしてもよい。４本ロールタイプは２本ロールタイプに比べて、加熱圧着時の熱が伝わりやすく、転写剥離工程が容易に行うことができるため、好ましく使用される。
【０２９４】
［９−６］両面同時剥離：
両面同時剥離ついては、前述した［２−２−３］で記載したものと同等のものを使用できる。なお、画像支持体の両面に同時に印字物を転写する場合は、図８に示すように、上面転写材９２と下面転写材９４のフィルム上の印字位置をずらすことが好ましい。
【０２９５】
［１１−１］第６の製造装置：
図４４は、本発明の記録物を製造する製造装置の第６の構成例（以下、「第６の製造装置」ともいう。）を模式的に示す側面図である。
【０２９６】
［１１−１−１］主要な構成：
第６の製造装置は、ロール状で且つ外表に巻かれた第２の転写材１を搬送経路へと送り出す供給部４と、プレカット処理を行うプレカット処理部５、搬送経路へと送り出した転写材１に、色材、水、不揮発性の有機溶媒などを含有する水系インクを直接吐出して、反転画像を記録する記録部６と、を備えている。
【０２９７】
また、第６の製造装置は、インクが付与された転写材１の中の水分を蒸発させて画像支持体１１との密着性を向上させるための乾燥部７と、蒸発した水分によって、機内の結露を防止するファン１０と、を備えている。
【０２９８】
更に、第６の製造装置は、画像支持体１１を加熱して転写材１との密着性を向上させるための予備加熱部１９と、反転画像が記録された色材受容層および透明シートを画像支持体１１に付着させる付着部２９と、付着後の画像支持体１１のカールを矯正するカール矯正部１５０、基材シートを剥離する剥離部１５１、両面印刷を行う際に画像支持体１１反転させる画像反転部１５２、反転画像が記録された画像支持体１１を排出して集積する排出部２６と、を備えている。
【０２９９】
［１１−１−２］動作：
供給部４は、色材受容層を外表に巻いたロール状の第２の転写材１を、図中の矢印に示す方向に回転させ、転写材１を記録部６へ送り出す。その際、転写材１はガイド板で案内されるとともに、グリップローラ３とニップローラ２で挟持され、平坦な状態で記録部６へと搬送される。
【０３００】
供給部４から第２の転写材１の搬送が開始されると、センサ部３１により、プレカット処理部５でプレカット処理された被検出部（貫通孔）の検出を行い、色材受容層にプレカット処理が施され、記録部６は、転写材１の色材受容層に反転画像を記録する。その後、転写材１は乾燥部７を通過する。乾燥部７は反転画像を形成するインク中の水などを蒸発させ、ファン１０は蒸発した水分を排気する。これにより、色材受容層に反転画像が記録された転写材１が得られる。このとき、マーキング印刷も合わせて行う。
【０３０１】
一方、画像支持体供給部１２は、予備加熱部１９に画像支持体１１を１枚ずつ供給する。
【０３０２】
予備加熱部１９は、第２の転写材１との密着性を向上させるため、画像支持体１１の加熱を行う。更に、レジストガイド１４が画像支持体１１と転写材１の位置合わせを行う。その後、画像支持体１１が転写材１の上に積層される。
【０３０３】
画像支持体１１と、第２の転写材１との積層体は付着部２９に搬送される。付着部２９は一対のヒートローラ２１、２２を備えている。前記積層体が一対のヒートローラ２１、２２の間を通過する際に画像支持体１１と第２の転写材１とが加熱圧着される。
【０３０４】
その後、画像支持体１１と第２の転写材１との積層体は、カール矯正部１５０に搬送され、カール矯正される。更に、転写材１を構成している基材シートおよび離型層が剥離部１５１で剥離され、巻取りロール２４に巻き取られる。また、両面印刷を行う際は、画像反転部１５２によって画像支持体を反転させ、この画像支持体をレジストガイド１４までバックフィードさせる。また同様にしてバックフィードさせた画像支持体に転写された色材受容層に裏面画像の印字を行い、その後、表面印刷と同様に付着部２９、カール矯正部１５０、剥離部１５１での工程を経て裏面の印字を行う。このような動作を経て、画像支持体１１に、第２の転写材１が加熱圧着された記録物を得ることができる。
【０３０５】
［１１−１−３］第６の製造装置とコントローラとの接続：
図４５に示すように、製造装置７００（画像形成記録装置）は、ネットワーク４７を経由してコントローラ４１に接続される。但し、この製造装置７００は、ネットワーク４７を介さずに、シリアル・ポート、パラレル・ポート、または、ＵＳＢポート等を介してコントローラ４１に接続することも可能である。製造装置７００は、先に説明したような、プレカット処理部、記録部、乾燥部、プレカット処理部、付着部、カール矯正部、剥離部、画像反転部などを備えるとともに、後述するＣＰＵが記録部に備えられ、プレカット処理部、記録部、乾燥部、プレカット処理部、予備加熱部、および付着部、カール矯正部、剥離部、画像反転部に接続されている。そして、ＣＰＵが、プレカット処理部、記録部、乾燥部、プレカット処理部、予備加熱部、付着部、カール矯正部、剥離部、画像反転部の動作を制御するように構成されている。
【０３０６】
ネットワーク４７は、インターネット、ローカルエリアネットワーク（ＬＡＮ）等のネットワークであり、有線、無線を問わない。コントローラ４１は、製造装置７００を制御するためのコンピュータである。コントローラ４１は、制御部４４、表示部４５、入出力部４６、記憶部４２、通信部４３がシステム・バス４８を介して互いに接続される。また、コントローラ４１にはデジタルカメラや、画像データ等を読み込むためのドライブ装置等が接続される場合もある。更に、コントローラ４１には製版装置等が接続されることもある。
【０３０７】
制御部４４は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有する。ＣＰＵは、記録部、ＲＯＭ等に格納されるプログラムをＲＡＭ上のワークメモリ領域に呼び出して実行し、演算処理、動作制御を行い、システム全体を制御する。ＲＯＭは、不揮発性メモリであり、プログラム、データ等を恒久的に保持する。また、ＲＡＭは、揮発性メモリであり、プログラム、データ等を一時的に保持する。
【０３０８】
表示部４５は、ＣＲＴモニタ、液晶パネル等のディスプレイ装置、ディスプレイ装置と連携してコンピュータのビデオ機能を実現するための論理回路等（ビデオアダプタ等）の表示装置等である。
【０３０９】
入出力部４６は、データの入出力を行う部分である。データの入力を行うものとしては、例えば、キーボード、マウス等のポインティングデバイス、テンキー等があり、これらの入出力部を介して、コントローラ４１に対して、操作指示、動作指示、データ入力、維持管理等を行うことができる。また、不図示のスキャナやドライブ装置等と接続され、これらの外部装置からの入力データを制御部４４に転送したり、データを外部装置に出力したりする。
【０３１０】
記憶部４２は、データを記憶する装置であり、磁気ディスク、メモリ、光ディスク装置等がある。記憶部４２には、制御部４４が実行するプログラム、プログラム実行に必要なデータ、ＯＳ（Ｏｐｅｒａｔｉｎｇ  Ｓｙｓｔｅｍ）等が格納される。また製造装置７００の記録部６で記録されるパターンを格納することもできる。通信部４３は、コントローラ４１とネットワーク４７間の通信を媒介する通信インターフェースであり、通信制御装置、通信ポート等を有する。なお、パーソナルコンピュータ等をコントローラ４１の代りに用いることも可能である。
【０３１１】
［１１−１−４］制御系：
図４６は、図４４に示す記録部６に設けられた制御系の構成を示すブロック図である。ホストＰＣ１２０から送信された記録データやコマンドはインターフェイスコントローラ１０２を介してＣＰＵ１００に受信される。ＣＰＵ１００は、記録部の記録データの受信、記録動作、ロ−ル紙Ｐのハンドリング等、全般的な制御を司る演算処理装置である。ＣＰＵ１００は、受信したコマンドを解析した後、記録データの各色成分のイメージデータをイメージメモリ１０６にビットマップ展開する。記録前の動作処理としては、出力ポート１１４、モータ駆動部１１６を介してキャッピングモータ１２２とヘッドアップダウンモータ１１８を駆動し、各々の記録ヘッド２２Ｋ、２２Ｃ、２２Ｍ、２２Ｙをキャッピング位置（待機位置）から離して記録位置（画像形成位置）に移動させる。
【０３１２】
続いて、一定速度で搬送される転写材にインクを吐出し始めるタイミング（記録タイミング）を決定するためのセンサ部３１（先端検出センサ）で転写材の位置を検出する。その後、転写材の搬送に同期して、ＣＰＵ１００はイメージメモリ１０６から対応する色の記録データを順次に読み出し、この読み出したデータを各々の記録ヘッド２２Ｋ、２２Ｃ、２２Ｍ、２２Ｙに記録ヘッド制御回路１１２を介して転送する。これにより、記録ヘッドの各ノズルに設けられた吐出エネルギー発生素子が記録データに従って駆動され、駆動された吐出エネルギー発生素子によってノズルからインク滴が吐出される。吐出されたインク滴は、記録ヘッドに対向する位置にある転写材の色材受容層（インク受容部）へと着弾し、ドットを形成する。このドットの集合によって所望の画像が形成される。
【０３１３】
なお、上記のようなＣＰＵ１００の動作は、プログラムＲＯＭ１０４に記憶された処理プログラムに基づいて実行される。プログラムＲＯＭ１０４には、制御フローに対応する処理プログラム及びテーブルなどが記憶されている。また、作業用のメモリとしてワークＲＡＭ１０８が使用される。
【０３１４】
［１１−１−５］第６の製造装置の動作フロー：
次に、図４４に示す第６の製造装置の動作フローを、図４７のフローチャートに従って説明する。このフローチャートは図４６に示すＣＰＵ１００により実行される。
【０３１５】
記録部のＣＰＵは、コントローラよりネットワークまたは各種ポートを介して記録データが送信されたか否かを判断し（Ｓ１０１）、記録データが送信されていると判断されると（Ｓ１０１のＹＥＳ）、供給部からの未記録の転写材の供給を開始させる（Ｓ１０２）。このときセンサー部がプレカット処理部でプレカット処理された被検出部（貫通孔）の検出を行い、センサ部が被検出部を検出していなければ（ＯＦＦであれば（Ｓ１０３のＹＥＳ））、転写材への記録部による記録動作を開始する（Ｓ１０４）。記録動作が終了すると（Ｓ１０５のＹＥＳ）、乾燥部は、記録部によって記録された転写材から余分な水分を蒸発させるための乾燥処理を行う（Ｓ１０６）。以上の動作は、いずれもセンサ部が被検出部を検出した時点を基準としており、互いに同期をとりながら行われる。なお、プレカット処理部で処理される被検出部は、予め記録媒体に形成しておいたものでもよい。
【０３１６】
一方、前述のようにＣＰＵに記録データが送信されると（Ｓ１０７のＹＥＳ）、画像支持体供給部から予備加熱部へと画像支持体が給送される（Ｓ１０８）。この後、記録部で記録された転写材の密着性を向上させるため、予備加熱部によるプレ加熱処理を行い（Ｓ１１０）、レジストガイドにおいて画像支持体と転写材との位置合わせを開始し（Ｓ１１１）、転写材との位置合わせが完了した時点で（Ｓ１１３）、先のステップへと進む。このとき、Ｓ１１２のステップはＹＥＳとなり、画像支持体は転写材上に載り、付着部によって転写材と画像支持体とを接着させる（Ｓ１１５）。この後、剥離部へと搬送されるに伴って、プレカット処理部でプレカットされた部分を基点に、転写材の基材が剥離し、記録物（最終記録物）を排出部に積載させる（Ｓ１１６）。記録物は、色材受容層を挟み込む形で透明シートが付着され、優れた画像品位を実現するとともに、強固な堅牢性を有する。
【０３１７】
［１１−１−６］第６の製造装置により実行される処理：
［１１−１−６−１］第２の転写材の位置検出およびプレカット処理：
図４４に示す被検出部では、記録媒体１と記録部６との同期をとるため、記録媒体１の位置を検出し、その検出結果に基づいて各部の制御を行なっている。マーキング検出には、反射型または透過型の光センサを用いている。
【０３１８】
［１１−１−６−２］プレカット処理：
本発明の第２の転写材を製造する際には、前記色材受容層を形成した後、前記色材受容層の側から、前記色材受容層と前記透明シートの一部に切り込みを入れるプレカット処理を行ってもよい。プレカット処理は、転写材に反転画像を記録して転写材とし、前記転写材と画像支持体とを接着した後に、前記切り込みを起点にして透明シートを綺麗に切断することができる。従って、均一な厚さの透明シートからなる強固な保護層を形成することができ、色材受容層に形成された反転画像に十分な耐久性が付与される。
【０３１９】
具体的には、第２の転写材には、必要に応じて、図４８に示すように色材受容層５３と透明シート５２の一部分に切込み５４を形成しておくプレカット処理が施されている。このため、画像支持体に転写材１を付着させた場合、プレカット処理により形成された切込み５４を境界にして、透明シート５２が切断され、画像記録された部分（画像記録領域）が透明シート５２によって覆われる。この透明シート５２は均一厚みを有する強固な保護層として機能するため、画像には十分な耐久性が付与されることとなる。また、図４９に示すように基材シートとともに、透明シート５２と色材受容層５３の一部を剥離する際に、プレカット処理により形成された切込み５４で、透明シート５２が綺麗に切断されるため、保護層を画像上に精度よく、簡単に転写することができる。
【０３２０】
ここで、図４８に示すように、プレカット処理により形成される切込み５４は、色材受容層５３と透明シート５２の一部分に行われているものであり、図５０に示すように、離型層５１を設けた場合における、離型層５１まで切込み５４を形成するカット処理とは異なるものである。
【０３２１】
また、離型層５１までカット処理を施してしまうと、インクジェット方式によって画像を記録する第６の製造装置では、カット部にインクが吐出された場合に、図５０に示すように離型層５１にインクが吸収されてしまい、記録画像の品質低下を招く。これに対し、図５１に示すように、色材受容層５３と透明シート５２の一部にプレカット処理を施した場合、切込み５４の部分に記録が行われても、インクは色材受容層５３に適切に吸収されるのみで、離型層５１には吸収されないため、良好な記録画像を得ることができる。このため、図４８に示すように、色材受容層５３と透明シート５２の一部、または、色材受容層とアンカー層（不図示）と透明シートの一部に切込みを形成するプレカット処理を行うことが好ましい。
【０３２２】
第６の製造装置においては、インクジェット方式による記録を行うため、色材受容層がインクを吸収する必要があり、吸収性を確保するために色材受容層の厚みを厚くする必要がある。特に色材受容層が空隙吸収型で形成され、色材受容層中に接着性を有する樹脂等が含有されていなかったり、その塗工量が２０ｇ／ｍ2以上となったりした場合には、色材受容層の厚みにより、画像形成領域が不用意に転写材から剥がれてしまうことがある。このため、画像形成領域の剥がれを防止するためにも、前記したプレカット処理を行うことが好ましい。
【０３２３】
前述した画像剥がれを防止するために、転写前のプリンタ内での転写材の搬送は曲率を持たずに平滑な状態で搬送されることが好ましい。これにより、プリンタ走行中に、画像形成部が不用意に転写材から剥がれることがなく、過酷な使用条件においても、転写画像の各種耐久性に優れたものを作製でき、透明シートを、精度よく、簡単に転写不良がなく、画像支持体上の画像上へ転写させることができる。
【０３２４】
［１１−１−６−３］記録処理：
記録処理ついては、前述した［７−１−６−６］で記載したものと同等のものを使用できる。
【０３２５】
図４４に示す第６の製造装置においては、転写材１は、グリップローラ３とニップローラ２とに挟持されつつ記録部６へと搬送される間に、ガイド板が存在し、転写材１はそのガイド板の上を通過し案内されて記録部６に入る。記録部６は、Ｋ、Ｃ、Ｍ、Ｙからなる４つの記録ヘッドを主な構成要素としている。４個の記録ヘッドは、画像データに応じてインクを吐出し、転写材１に設けた色材受容層にインク滴を吐出して画像を形成する。
【０３２６】
［１１−１−６−４］水分蒸発制御：
記録物を作製後、インクを含む受容層表面に、インクが残存すると画像支持体と密着不良となる。加熱処理により受容層表面層に残るインク成分やインクの急激な蒸発により密着性不足や受容層の部分的な気泡残りなどの不具合の可能性がある為、インクジェット記録後、搬送路に効果的な工夫を施した乾燥が必要な場合がある。ヒータ等の特別な乾燥手段を設けずに、十分な長さの搬送路を備える構成として自然乾燥を促しても良い。またその際に蒸発したインク成分による装置内部の気流制御や排気手段が必要な場合がある。図44に示すように、記録部６によって、第２の転写材上の色材受容層に記録した反転画像を、乾燥部とガイド板の間を通す際に、ハロゲンそれに順ずる熱源及び風、またはそれら二つの組み合わせによる蒸発機能を持つ乾燥部によって、受容層に記録した画像に含まれているインクの主成分である水や若干の揮発性溶剤成分を蒸発させ、蒸発した気体が機内において結露等するのを防ぐために、ファンによって気流及び排気の制御を行う。気流制御を併用することによって、色材受容層表面の飽和蒸気圧も改善されて乾燥が促進される場合もある。上記水分制御によって、付着工程時に色材受容層中のインクの水分量（色材を除く水と不揮発性溶媒等の総量）を、インクの総打ち込み量に対して７０％以下、更に好ましくは５０％以下に制御する。インクの水分量が７０％より多く残る場合には、色材受容層の厚みにも拠るが、色材受容層表面層に残るインク成分やインクの急激な蒸発により密着性不足や受容層の部分的な気泡残りなどの不具合の可能性があるため好ましくない。また、上記インクの総打ち込み量は、前記ヘッドの吐出量により異なるが、上記水分制御が適切に行われるように、予め画像形成時のドット数を間引くなどして、打ち込み量を制限するなどして、適正な打ち込み量に設定することができる。
【０３２７】
［１１−１−６−５］付着工程：
図４４に示すように、転写材１上の色材受容層に、記録部６にて画像が形成され、次にその転写材１がガイド板の上に案内されて、２本のヒートローラ２１、２２から構成される付着部２９に移動する。この付着部２９では、画像支持体１１が枚葉状のシートの形態で、画像支持体供給部１２に置かれて、レジストガイド１４で位置を補正され、転写材１の搬送に合わせて供給される。画像支持体供給部１２は、画像支持体１１の転写面へのゴミ付着やピックアップ時によるゴムロールからの汚染を防止するため、下方からの給紙とする。
【０３２８】
転写材１の画像形成された色材受容層と、画像支持体１１のプライマー層とが当接されるように転写材１と画像支持体１１を重ねてヒートローラ２１、２２間に搬送し、加熱することで、画像支持体１１と画像形成された転写材１とが接着する。その後、基材シートを転写材１から剥離する。これにより、画像支持体１１上に画像の形成された色材受容層と共に透明シートが付着した状態となる。つまり、画像支持体１１上には透明シートが保護膜として最上層に位置し、その保護膜の下に画像が形成される。
【０３２９】
また、転写時の温度は、転写時にインク中の水の急激な蒸発が発生すると密着不良や受容層の部分的な気泡残りが発生するため、転写時の温度をインクの蒸発温度以下の範囲で行うものとする。転写時における色材受容層への加熱は、プラスチックカードなどの厚めの画像支持体側からでなく、主として転写材の基材シート側からの熱伝達によって行われるが、付着工程時の色材受容層の最大到達温度がインクの主成分たる水の蒸発温度を超えないように制御すれば良い。つまり、転写材１と画像支持体１１とを接着させる際のヒートローラの表面温度は、水が蒸発して転写材１と画像支持体１１との間に気泡ができない温度であればよく、また搬送速度等が速く熱源による加熱時間が十分に取れない場合は熱源と受容部との温度差が生じる場合もあることから、ヒートローラの表面温度は、１００℃〜１８０℃など、通常の水の蒸発温度よりも高くなるように制御しても構わない。また、閉空間による加熱では、圧力上昇による沸点上昇もあるため、プライマー層と透明シート層とに挟まれた色材受容層では、水の蒸発温度は上昇するため、密着性・箔切れ性に考慮して更に高い温度となるように制御してもよい。
【０３３０】
［１１−１−６−６］プレ加熱：
プレ加熱ついては、前述した［７−１−６−３］で記載したものと同等のものを使用できる。
【０３３１】
［１１−１−６−７］カール矯正：
カール矯正は、前述した［７−１−６−５］で記載したものと同等のものを使用できる。カール矯正は、図４４に示すように、カール矯正部１５０でカールを矯正する。
【０３３２】
［１１−１−６−８］剥離処理：
図４４に示すように、付着部２９を通過した転写材１のうち、基材シートの部分は、プレカット処理により画像形成領域以外の領域が剥がされて、巻取りロール２４側に巻き取られ、また、画像形成された画像支持体１１は排出部２６に搬送されて一枚ずつ集積されていく。
【０３３３】
［１１−１−６−９］画像反転装置：
画像反転装置は、前述した［５−６−９］で記載したものと同等のものを使用できる。  図４４に示すように、画像反転部１５２で記録物は反転装置により反転され、裏面印字を行うために、反転された記録物は、レジストガイド１４までフィードバックされる。これと同時に転写材もフィードバックされ、フィードバック後、記録部、付着部、カール矯正部、剥離部で表面の印字と同様の処理を行い、裏面にも画像が形成される。
【０３３４】
図３０は、記録物７３の構成を示すもので、記録物７３は、図３０に示すように、画像支持体５５と透明シート５２の間に色材受容層５３を挟み込むように透明シート５２が付着されることにより、優れた画像品位と強い堅牢性を併せ持つ。
【０３３５】
［１１−２］第７の製造装置：
次に、本発明の記録物を製造するための製造装置の第７の構成例（以下、「第７の製造装置」ともいう。）を説明する。
【０３３６】
図５２は、第７の製造装置の全体構成を示す模式図である。この製造装置はロール状で且つ色材受容層が外表に巻かれた転写材１を搬送経路へと送り出す供給部４と、搬送経路へと送り出した転写材１に水系インクを直接吐出して記録する記録部６とを備える。更に、第７の製造装置は、転写材１に記録された反転画像に含まれる溶媒を蒸発させて画像支持体１１との密着性を向上させる乾燥部７と、蒸発した水分によって、機内の結露を防止するファン１０と、記録部によって記録された転写材１と画像支持体供給部１２とを有する。更に、第７の製造装置は、レジストガイド１４で位置合わせされた画像支持体１１を転写材１に接着させるためのプライマー層を転写する転写部１３を、転写材１の搬送経路上に備える。この構成が、先に説明した第６の製造装置との主な相違点である。第６の製造装置との共通部分は、第６の製造装置と同じ装置及び同じ制御系構成を有しているので説明は省略する。
【０３３７】
プライマー層の転写は、前述した［７−２］の第２の製造装置で記載したものと同等のものを使用できる。
【０３３８】
［１１−３］第８の製造装置：
第８の製造装置は、プリンタ部と転写部が分離独立したものである。第８の製造装置は転写材をロール状に加工し、その転写材を、ラインヘッドを搭載したプリンタに搭載して印字を行いロール状で巻取りを行う。その後、「ロールｔｏロール」の公知のラミネーターによって転写材を画像支持体に加熱圧着（転写）させる。この際、ロール上に印字を行う際にマーキング印刷も同時に行い、転写時にはロール上のマーキング処理をセンサーで読み取り、画像支持体との位置あわせを自動で行い、転写／剥離を行う。
【０３３９】
図５３は、転写材１に印字を行うプリンタ３０１であり、図５５及び図５４は、転写材を搬送する図５３に示した搬送機構３０２の模式図を示す。まず、図５５及び図５４に示す巻きだしロール３１３に、図１９に示すような色材受容層５３が外表になるように巻いた転写材１をセットする。転写材１は、搬送ベルト３１０によって印字ヘッド３１１に搬送され、反転画像の印字を行い、巻き取りロール３１４によって印字物として巻き取られる。
【０３４０】
次に、上記のようにして得た印字済み転写材ロールを、例えば、図２０に示したラミネート機の巻きだしロール２０１にセットする。画像支持体が供給部２０６より搬送されると、印字され、且つ、ロール状に加工された転写材は巻きだしロール２０１より転写部２０３へ搬送される。このとき、センサー２０８はマーキングを検知し、画像支持体との位置あわせを行い、転写材は転写ロール２０４と画像支持体の間に搬送され、転写ロール２０４により加熱圧着される。その後、剥離ロール２０７により基材シートを引き剥がすことにより、記録物を形成する。なお、図２１に示す転写材１のように、基材シート５０を外側にして、且つ、色材受容層を内側にした内巻きのロールを用いた場合には、図５５に示すような搬送パスで印字を行う。上述の内巻きのロールは色材受容層表面にゴミ付着を防止する効果がある。
【０３４１】
［１１−４］第９の製造装置：
第９の製造装置は、プリンタ部と転写部が分離独立したものである。第９の製造装置は転写材をロール状に加工し、転写材を、ラインヘッドを搭載したプリンタに搭載して搭載して印字を行い、シート状にカットを行う。その後、公知のラミネーターを用い、目視により、画像支持体に転写材を加熱圧着（転写）させる。この際、ロール状の転写材に印字を形成するのと同時に貼り合わせガイドを同時に印刷しておき、貼り合わせガイドに沿って画像支持体を目視で配置し、ラミネート機へ搬送を行い加熱圧着処理および基材シートの剥離処理を行うものである。この製造装置は、図５６に示すように、転写材１の印字後に、カット機構３１５を設けて転写材１をシート状にカットし、排出部３１６に排出するものである。その後、図５７に示すように、シート状の転写材１を画像支持体５５に手動で位置合わせを行った後、転写部２０３を構成する転写ロール２０４に搬送して加熱圧着後、排出部２０５に排出し、基材シートを手動で引き剥がして、記録物を得る。
【０３４２】
［１１−５］第１０の製造装置：
第１０の製造装置は、プリンタ部と転写部が分離独立したものである。第１０の製造装置は、転写材をカットシート状に加工し、転写材を、ラインヘッドを搭載したプリンタに搭載して印字を行い、その後、公知のラミネーターによって転写させるものである。この際、カットシートの色材転写体に印字を形成するのと同時に貼り合わせガイドを印刷しておき、貼り合わせガイドに沿って画像支持体を目視で配置し、ラミネート機へ搬送を行い、加熱圧着、基材シートの剥離処理を行う。
【０３４３】
図２３は転写材１に印字を行うプリンタ４０１であり、図２５は、転写材１を搬送する搬送機構を示す。まず、供給部に転写材１をセットする。転写材１は搬送ベルト４１０によって印字ヘッド３１１に搬送され、反転画像の印字が行われ、排出部４１４によって印字物として排出される。次に、印字済み転写材と画像支持体を、図２６に示したラミネート機より加熱圧着し、手動で基材シートを引き剥がすことにより、記録物を形成する。
【０３４４】
［１１−６］第１１の製造装置：
第１１の製造装置は、プリンタ部と転写部が分離独立したものである。第１１の製造装置は、転写材をカットシート状に加工し、転写材を、シリアルヘッドを搭載したプリンタに搭載して印字を行い、その後、公知のラミネーターによって転写させるものである。シリアル型インクジェットを用いる場合は、図５２に示す第６の製造装置のような一体型では、ヘッドは、プリンタ部と転写部の間に速度差を生じる場合があるため、速度差を吸収および調節するためのたるみ部を設ける必要がある。従って、プリンタ部と転写部が独立した分離型は、プリンタ部および転写部における処理を各々の最適な速度で行うことができるため、好ましく用いられる。なお、印字の際にはカットシートの転写材に印字するのと同時に貼り合わせガイドを印刷しておき、貼り合わせガイドに沿って画像支持体を目視で配置し、ラミネート機へ搬送を行い、転写材と画像支持体との加熱圧着、基材シートの剥離処理を行う。
【０３４５】
図２７は、転写材１に印字を行うシリアルプリンタ５０１であり、供給部５１３に転写材１をセットする。転写材１は搬送ロール５１０によって印字ヘッド５０２に搬送され、反転画像の印字を行い、印字物を排出する。このとき、印字ヘッド５０２を記録面に対して相対的に移動走査させつつ、順次、転写材１の搬送を行う。印字ヘッド５０２は、シャフト５０３に固定され、搬送される転写材１と直角の方向（図中のａ、ｂ）に走査させて、図２８に示すノズル５１１よりインクを吐出することにより画像記録を行う。次に、印字済み転写材と画像支持体を、図２６に示したラミネート機により加熱圧着させ、手動で基材シートを引き剥がすことにより、記録物を形成する。
【０３４６】
以上説明したように、上記第６〜第１１の製造装置によれば、第２の転写材が基材シートに少なくとも透明シートと色材受容層を有している態様の場合に、転写材を画像支持体に付着させる工程において、色材受容層のインク水分量の制御と付着時の温度制御とを行っている。これにより、転写材を構成する透明シートと、画像支持体との密着性が向上し、耐候性、耐水性、耐薬品性、耐ガス性などの各種耐久性に優れた記録物を提供することができる。
【実施例】
【０３４７】
以下、実施例および比較例により、本発明を更に具体的に説明する。但し、本発明は、下記の実施例の構成のみに限定されるものではない。なお、以下の記載における「部」、「％」は特に断らない限り質量基準である。
【０３４８】
（実施例１）
以下の方法により空隙吸収型の色材受容層を備えた転写材および記録物を製造した。
【０３４９】
［アルミナ水和物分散液の調製］
ベーマイト構造（擬ベーマイト構造）を有するアルミナ水和物Ａ（商品名「Ｄｉｓｐｅｒａｌ  ＨＰ１４」、サソール製）２０部を純水中に添加し、更に酢酸０．４部を添加して解膠処理を行うことによりアルミナ水和物分散液を得た。前記アルミナ水和物分散液におけるアルミナ水和物微粒子の平均粒子径は１４０ｎｍであった。次いで、前記分散液に対して、ホウ酸０．３部を添加し、ホウ酸添加アルミナ水和物分散液を得た。
【０３５０】
［ポリビニルアルコール水溶液の調製］
これとは別に、ポリビニルアルコール（商品名「ＰＶＡ２３５」、クラレ製）をイオン交換水に溶解し、固形分含量が８％のポリビニルアルコール水溶液を調製した。なお、前記ポリビニルアルコールは、重量平均重合度が３，５００、けん化度が８７〜８９ｍｏｌ％、ＳＰ値は９．４であった。
【０３５１】
［色材受容層形成用塗工液の調製］
前記ホウ酸添加アルミナ水和物分散液１００部に、前記ポリビニルアルコール水溶液２７．８部を加え、更にカチオン性樹脂としてポリアリルアミン３．０部を加え、スタティックミキサーにより混合し、色材受容層形成用の塗工液を得た。ポリアリルアミンとしては、融点８３．３℃、平均分子量が１，０００のポリアリルアミン（商品名「ＰＡＡ−０１」、日東紡製）を用いた。
【０３５２】
［第１の転写材の製造］
前記混合の直後に、前記塗工液を、基材シートの表面に塗工し、乾燥することにより、空隙吸収型の色材受容層を備えた、実施例１の転写材を製造した。前記塗工液の塗工は、ダイコーターを用い、５ｍ／分の塗工速度で、乾燥後の塗工量が１５ｇ／ｍ2となるように行った。乾燥温度は６０℃とした。転写材は、色材受容層を外側、基材シートを内側としてロール状に巻くことによりロール状転写材とした。なお、前記基材シートとしては、ＰＥＴ製で厚さ３０μｍのシート（商品名「テイジンテトロンフィルム」、帝人製）を使用した。前記色材受容層の厚さは１５μｍであった。このとき、転写材の基材シートのＳＰ値と色材受容層のＳＰ値の差ＳＰ１は１．３であった。
【０３５３】
上記のようにして得られた転写材に、上述した第１の製造装置（図１２に示す製造装置）を用いて、転写材を画像支持体に加熱圧着させ、その後、前記基材シートを剥離することにより、実施例１の色材受容層付き画像支持体を得た。画像支持体としては、塩化ビニル製のカード（商品名「Ｃ−４００２」、エボリス製）を用いた。加熱圧着は、温度１６０℃、圧力３．９Ｋｇ／ｃｍ、搬送速度５０ｍｍ／ｓｅｃの条件で行った。前記基材シートを剥離する際の引き剥がし角度は９０°とした。色材受容層のＳＰ値と画像支持体のＳＰ値の差ＳＰ２は０．２であった。
【０３５４】
上記のようにして得られた色材受容層付き画像支持体に、上述した第１の製造装置（図１２に示す製造装置）を用いて、顔料インクにより６０％ベタ印刷を行い、実施例１の記録物を得た。前記顔料インクの調製法については、後述する。図１２に示した製造装置の記録部６としては、ラインヘッドを搭載したプリントモジュール（商品名「ＰＭ−２００Ｚ」、キヤノンファインテック製）を用いた。
【０３５５】
［顔料インクの調製］
＜（メタ）アクリル酸エステル系共重合体の合成＞
（合成例１）
撹拌装置、滴下装置、温度センサ及び上部に窒素導入装置を有する還流装置を取り付けた反応容器にメチルエチルケトン１，０００部を仕込み、そのメチルエチルケトンを撹拌しながら反応容器内を窒素置換した。反応容器内を窒素雰囲気に保ちながら８０℃に昇温させた後、滴下装置よりメタクリル酸２−ヒドロキシエチル６３部、メタクリル酸１４１部、スチレン４１７部、メタクリル酸ベンジル１８８部、メタクリル酸グリシジル２５部、重合度調整剤（商品名「ブレンマーＴＧＬ」、日本油脂社製）３３部、及びペルオキシ−２−エチルヘキサン酸−ｔ−ブチル  ６７部を混合して得た混合液を４時間かけて滴下した。滴下終了後、更に同温度で１０時間反応を継続させて、酸価１１０ｍｇＫＯＨ／ｇ、ガラス転移点（Ｔｇ）８９℃、重量平均分子量８，０００の（メタ）アクリル酸エステル系共重合体（Ａ−１）の溶液（樹脂分：４５．４％）を得た。
【０３５６】
＜水性顔料分散体の調製１＞
冷却機能を備えた混合槽に、フタロシアニン系ブルー顔料１，０００部、合成例１で得た（メタ）アクリル酸エステル系共重合体（Ａ−１）の溶液、２５％水酸化カリウム水溶液、および水を仕込み、撹拌及び混合して混合液を得た。なお、（メタ）アクリル酸エステル系共重合体（Ａ−１）は、フタロシアニン系ブルー顔料に対して、不揮発分で４０％の比率となる量を用いた。また、２５％水酸化カリウム水溶液は、（メタ）アクリル酸エステル系共重合体（Ａ−１）が１００％中和される量を用いた。更に、水は、得られる混合液の不揮発分を２７％とする量を用いた。得られた混合液を直径０．３ｍｍのジルコニアビーズを充填した分散装置に通し、循環方式により４時間分散させた。なお、分散液の温度を４０℃以下に保持した。
【０３５７】
混合槽から分散液を抜き取った後、水１０，０００部で混合槽と分散装置の流路を洗浄し、洗浄液と分散液を混合して希釈分散液を得た。得られた希釈分散液を蒸留装置に入れ、メチルエチルケトンの全量と水の一部を留去して濃縮分散液を得た。室温まで放冷した濃縮分散液を撹拌しながら２％塩酸を滴下してｐＨ４．５に調整した後、ヌッチェ式濾過装置にて固形分を濾過して水洗した。得られた固形分（ケーキ）を容器に入れ、水を加えた後、分散撹拌機を使用して再分散させ、２５％水酸化カリウム水溶液にてｐＨ９．５に調整した。その後、遠心分離器を使用し、６０００Ｇで３０分間かけて粗大粒子を除去した後、不揮発分を調整して水性シアン顔料分散体（顔料分：１４％  酸価１１０）を得た。
【０３５８】
フタロシアニン系ブルー顔料を、カーボンブラック系ブラック顔料、キナクリドン系マゼンタ顔料またはジアゾ系イエロー顔料に変更したことを除いては、前記水性シアン顔料分散体と同様にして、水性ブラック顔料分散体、水性マゼンタ顔料分散体、または水性イエロー顔料分散体を得た。  
【０３５９】
＜インクの調製＞
表２に示す組成（合計：１００部）となるように、前記水性顔料分散体及び表２に示す各成分を容器に投入し、プロペラ撹拌機を使用して３０分以上撹拌した。その後、孔径０．２μｍのフィルター（日本ポール製）で濾過して顔料インクを調製した。なお、表２中の「ＡＥ−１００」は、アセチレングリコール１０モルエチレンオキサイド付加物（商品名「アセチレノールＥ１００」、川研ファインケミカル製）を示す。
【０３６０】
【表２】
2017030342.tif 000006
【０３６１】
（実施例２）
画像支持体をＰＥＴ−Ｇ製のカード（商品名「ＰＥＴ−Ｇカード」、太平化学製品製）に変更したことを除いては実施例１と同様にして、転写材、色材受容層付き画像支持体、更には記録物を得た。
【０３６２】
（実施例３）
画像支持体をアクリル樹脂製のカードに変更したことを除いては実施例１と同様にして、転写材、色材受容層付き画像支持体、更には記録物を得た。
【０３６３】
（実施例４）
色材受容層を形成する塗工液に加えるポリビニルアルコール水溶液の量を３５．７部としたことを除いては実施例１と同様にして、転写材、色材受容層付き画像支持体、更には記録物を得た。
【０３６４】
（実施例５）
色材受容層の調製に用いるカチオン性樹脂を、ジアリルアミン（商品名「ＰＡＳ−０１ジアリルアミン  融点−８０℃、平均分子量１６００」、日東紡製）に変更したことを除いては実施例１と同様にして、転写材、色材受容層付き画像支持体、更には記録物を得た。
【０３６５】
（実施例６）
色材受容層の調製に用いるカチオン性樹脂を、カチオン性ウレタン樹脂（商品名「ＣＰ−７０５０  カチオン性ウレタン樹脂  融点１９０℃」、ＤＩＣ製）に変更したことを除いては実施例１と同様にして、転写材、色材受容層付き画像支持体、更には記録物を得た。
【０３６６】
（実施例７）
色材受容層の調製に用いるカチオン性樹脂を、別のポリアリルアミン（商品名「ＰＡＡ−０５  平均分子量５０００」、日東紡製）に変更したことを除いては実施例１と同様にして、転写材、色材受容層付き画像支持体、更には記録物を得た。
【０３６７】
（実施例８）
色材受容層の調製に用いるカチオン性樹脂を、商品名「ＰＡＡ−０８  平均分子量８０００」（日東紡社製）、に変更したことを除いては実施例１と同様にして、転写材、色材受容層付き画像支持体、更には記録物を得た。
【０３６８】
（実施例９）
色材受容層の調製に用いるカチオン性樹脂を、別のポリアリルアミン（商品名「ＰＡＡ−１５  平均分子量１５０００」、日東紡製）に変更したことを除いては実施例１と同様にして、転写材、色材受容層付き画像支持体、更には記録物を得た。
【０３６９】
（実施例１０）
画像支持体に転写材を加熱圧着させる温度を１２０℃に変更したことを除いては実施例１と同様にして、転写材、色材受容層付き画像支持体、更には記録物を得た。
【０３７０】
（実施例１１）
画像支持体に転写材を加熱圧着させる温度を１８０℃に変更したことを除いては実施例１と同様にして、転写材、色材受容層付き画像支持体、更には記録物を得た。
【０３７１】
（実施例１２）
画像支持体に転写材を加熱圧着させる温度を１１０℃に変更したことを除いては実施例１と同様にして、転写材、色材受容層付き画像支持体、更には記録物を得た。
【０３７２】
（実施例１３）
画像支持体に転写材を加熱圧着させる温度を１９０℃に変更したことを除いては実施例１と同様にして、転写材、色材受容層付き画像支持体、更には記録物を得た。なお、画像支持体に加熱圧着された後の色材受容層の細孔容量は２８ｍｌ／ｍ2であった。
【０３７３】
（実施例１４）
転写材をカットシートに加工されたもの、色材を水性インク、記録物の製造装置を図２３および図２５に示す第４の製造装置に変更した以外は実施例１と同様にして、転写材、色材受容層付き画像支持体、更には記録物を得た。画像支持体と転写材の加熱圧着は、ラミネート機（商品名「ＬＰＤ３２２３  ＣＬＩＶＩＡ」、フジテックス製）を用いて行った。画像記録装置としては、ラインヘッド搭載カードプリンタ（商品名「ＣＸＧ−２４００」、キヤノンファインテック製）、染料インクとしては、商品名「ＢＪＩ＿Ｐ２１１（Ｂｋ、Ｃ、Ｍ、Ｙ）」（キヤノンファインテック製）を用いた。
【０３７４】
（実施例１５）
転写材をカットシート状とし、転写材の基材シートの厚さを１００μｍ、色材受容層の厚さを２０μｍとしたこと、記録物の製造装置を、図２３および図２５に示す第４の製造装置に変更したこと以外は実施例１と同様にして、転写材、色材受容層付き画像支持体、更には記録物を得た。画像支持体と転写材の加熱圧着は、ラミネート機（商品名「ＬＰＤ３２２３  ＣＬＩＶＩＡ」、フジテックス製）を用いて行った。また、画像記録装置としては、ラインヘッド搭載カードプリンタ（商品名「ＣＸＧ−２４００」、キヤノンファインテック社製）を用いて、実施例１で使用した顔料インクを搭載して行った。
【０３７５】
（実施例１６）
転写材１をロール状とし、基材シートの厚さを１５μｍ、色材受容層の厚さを１０μｍとしたこと、記録物を製造する際に、製造装置を図２０および図２３に示す第３の製造装置に変更したこと以外は実施例１と同様にして、転写材、色材受容層付き画像支持体、更には記録物を得た。画像支持体と転写材の加熱圧着は、ロール  ｔｏ  ロールで搬送できるＤＣ−１０  ラミネート機（ダイニック社製）を用いて行った。また、画像記録装置としては、ラインヘッド搭載カードプリンタ（商品名「ＣＸＧ−２４００（キヤノンファインテック社製）を用いて、実施例１で使用した顔料インクを搭載して行った。
【０３７６】
（実施例１７）
転写材１をカットシート状とし、基材シートの厚さを１２０μｍ、色材受容層の厚さを２０μｍとしたこと、記録物を製造する際は、図２６および図２７に示す製造装置を用いたこと以外は実施例１と同様にして、転写材、色材受容層付き画像支持体、更には記録物を得た。画像支持体と転写材の加熱圧着は、ラミネート機（ＬＰＤ３２２３  ＣＬＩＶＩＡ  フジテックス社製）を用いて行った。また、画像記録装置としては、キヤノン社製の（ＰＩＸＵＳ  Ｐｒｏ９５００）を用いて行った。
【０３７７】
（実施例１８）
転写材１をロール状とし、転写材の基材シートの厚さを１０μｍ、色材受容層の厚さを１０μｍとしたこと、記録物を製造する際は、図２０および図２３に示す第４の製造装置を用いたこと以外は実施例１と同様にして、転写材、色材受容層付き画像支持体、更には記録物を得た。画像支持体と転写材の加熱圧着は、ロール  ｔｏ  ロールで搬送できるＤＣ−１０  ラミネート機（ダイニック社製）を用いて行った。また、画像記録装置としては、ラインヘッド搭載カードプリンタ（商品名「ＣＸＧ−２４００（キヤノンファインテック社製）を用いて行い、実施例１で使用した顔料インクを搭載して行った。
【０３７８】
（実施例１９）
図１８に示す製造装置を用い、画像を印字後に転写材の表面をウレタン系プライマー樹脂で処理し、更に画像支持体の材質をＰＥＴ「商品名  白ペットカード  Ｃ−０００２」（合同技研社製）したことを除いては実施例１と同様にして、転写材、色材受容層付き画像支持体、更には記録物を得た。
【０３７９】
（実施例２０）
図１８に示す製造装置を用いて画像を印字後に転写材の表面をウレタン系プライマー樹脂で処理し、更に画像支持体の材質をＰＯＭとしたことを除いては実施例１と同様にして、転写材、色材受容層付き画像支持体、更には記録物を得た。
【０３８０】
（比較例１）
色材受容層の調製に用いるカチオン性樹脂を添加しなかったことを除いては実施例１と同様にして、転写材、色材受容層付き画像支持体、更には記録物を得た。
【０３８１】
（比較例２）
画像支持体をＰＥＴ製カード（商品名「白ペットカード  Ｃ−０００２」、合同技研製）に変更したことを除いては実施例１と同様にして、転写材、色材受容層付き画像支持体、更には記録物を得た。
【０３８２】
（比較例３）
画像支持体をＰＯＭ製カードに変更したことを除いては実施例１と同様にして、転写材、色材受容層付き画像支持体、更には記録物を得た。
【０３８３】
（実施例２１）
［第２の転写材の製造］
前記混合の直後に、前記塗工液を、積層シート（基材シートと透明シートの積層シート）における透明シートの表面に塗工し、乾燥することにより、空隙吸収型の色材受容層を備えた、実施例２１の転写材を製造した。前記塗工液の塗工は、ダイコーターを用い、５ｍ／分の塗工速度で、乾燥後の塗工量が１５ｇ／ｍ2となるように行った。乾燥温度は６０℃とした。転写材は、色材受容層を外側、基材シートを内側としてロール状に巻くことによりロール状転写材とした。なお、前記積層シートとしては、厚さ３０μｍの基材シートと、透明シートとの積層シート（商品名「ＤＣＲ−３２０」、ダイニック製）を使用した。前記色材受容層の厚さは１５μｍであった。このとき、転写材の基材シートのＳＰ値と透明シートのＳＰ値の差ＳＰ１は１．４であった。
【０３８４】
上記のようにして得られた転写材に、上述した第６の製造装置（図に示す製造装置７００）を用いて、顔料インクにより６０％ベタ印刷を行い、その転写材を画像支持体に加熱圧着させ、その後、前記基材シートを剥離することにより、実施例２１の記録物を得た。前記顔料インクは実施例１と同様のものを使用した。図４４に示した製造装置を用い、その記録部６としては、ラインヘッドを搭載したプリントモジュール（商品名「ＰＭ−２００Ｚ」、キヤノンファインテック製）を、画像支持体としては、塩化ビニル製のカード（商品名「Ｃ−４００２」、エボリス製）を用いた。加熱圧着は、温度１６０℃、圧力３．９Ｋｇ／ｃｍ、搬送速度５０ｍｍ／ｓｅｃの条件で行った。前記基材シートを剥離する際の引き剥がし角度は９０°とした。色材受容層のＳＰ値と画像支持体のＳＰ値の差ＳＰ２は０．１であった。
【０３８５】
（実施例２２）
画像支持体をＰＥＴ−Ｇ製のカード（商品名「ＰＥＴ−Ｇカード」、太平化学製品製）に変更したことを除いては実施例２１と同様にして、転写材、更には記録物を得た。
【０３８６】
（実施例２３）
画像支持体をアクリル樹脂製のカードに変更したことを除いては実施例２１と同様にして、転写材、更には記録物を得た。
【０３８７】
（実施例２４）
色材受容層の調製に用いるカチオン性樹脂を、ジアリルアミン（商品名「ＰＡＳ−０１ジアリルアミン  融点−８０℃、平均分子量１６００」、日東紡製）に変更したことを除いては実施例２１と同様にして、転写材、更には記録物を得た。
【０３８８】
（実施例２５）
色材受容層の調製に用いるカチオン性樹脂を、カチオン性ウレタン樹脂（商品名「ＣＰ−７０５０  カチオン性ウレタン樹脂  融点１９０℃」、ＤＩＣ製）に変更したことを除いては実施例２１と同様にして、転写材、更には記録物を得た。
【０３８９】
（実施例２６）
色材受容層の調製に用いるカチオン性樹脂を、別のポリアリルアミン（商品名「ＰＡＡ−０５  平均分子量５０００」、日東紡製）に変更したことを除いては実施例２１と同様にして、転写材、更には記録物を得た。
【０３９０】
（実施例２７）
色材受容層の調製に用いるカチオン性樹脂を、商品名「ＰＡＡ−０８平均分子量８０００」（日東紡社製）、に変更したことを除いては実施例２１と同様にして、転写材、更には記録物を得た。
【０３９１】
（実施例２８）
色材受容層の調製に用いるカチオン性樹脂を、別のポリアリルアミン（商品名「ＰＡＡ−１５  平均分子量１５０００」、日東紡製）に変更したことを除いては実施例２１と同様にして、転写材、更には記録物を得た。
【０３９２】
（実施例２９）
画像支持体に転写材を加熱圧着させる温度を１２０℃に変更したことを除いては実施例２１と同様にして、転写材、更には記録物を得た。
【０３９３】
（実施例３０）
画像支持体に転写材を加熱圧着させる温度を１８０℃に変更したことを除いては実施例２１と同様にして、転写材、更には記録物を得た。
【０３９４】
（実施例３１）
画像支持体に転写材を加熱圧着させる温度を１１０℃に変更したことを除いては実施例２１と同様にして、転写材、更には記録物を得た。
【０３９５】
（実施例３２）
画像支持体に転写材を加熱圧着させる温度を１９０℃に変更したことを除いては実施例２１と同様にして、転写材、更には記録物を得た。
【０３９６】
（実施例３３）
転写材をカットシートに加工されたもの、色材を水性インク、記録物の製造装置を図２５および図２３に示す第１０の製造装置に変更した以外は実施例２１と同様にして、転写材、更には記録物を得た。画像記録装置としては、ラインヘッド搭載カードプリンタ（商品名「ＣＸＧ−２４００」、キヤノンファインテック製）、染料インクとしては、商品名「ＢＪＩ＿Ｐ２１１（Ｂｋ、Ｃ、Ｍ、Ｙ）」（キヤノンファインテック製）を用いた。画像支持体と転写材の加熱圧着は、ラミネート機（商品名「ＬＰＤ３２２３  ＣＬＩＶＩＡ」、フジテックス製）を用いて行った。
【０３９７】
（実施例３４）
転写材をカットシート状とし、転写材の基材シートの厚さを１００μｍ、色材受容層の厚さを２０μｍとしたこと、記録物の製造装置を、図２５および図２３に示す第１０の製造装置に変更したこと以外は実施例２１と同様にして、転写材、更には記録物を得た。なお、転写材への印字は、ラインヘッド搭載カードプリンタ（商品名「ＣＸＧ−２４００」、キヤノンファインテック社製）を用いて、実施例１で使用した顔料インクを搭載して行い、画像支持体と転写材の加熱圧着は、ラミネート機（商品名「ＬＰＤ３２２３  ＣＬＩＶＩＡ」、フジテックス製）を用いて行った。
【０３９８】
（実施例３５）
転写材１をロール状とし、基材シートの厚さを１５μｍ、色材受容層の厚さを１０μｍとしたこと、記録物を製造する際に、製造装置を図５３および図５６に示す第９の製造装置に変更したこと以外は実施例２１と同様にして、転写材、更には記録物を得た。なお、転写材への印字はラインヘッド搭載ラベルプリンタ（商品名「ＬＸＰ−５５００」、キヤノンファインテック社製）を用いて行い、印字後の転写材をシート状にカットし、画像支持体への転写装置としては、ラミネート機（ＬＰＤ３２２３  ＣＬＩＶＩＡ  フジテックス社製）を用いて行った。
【０３９９】
（実施例３６）
転写材１をカットシート状とし、基材シートの厚さを１２０μｍ、色材受容層の厚さを２０μｍとしたこと、記録物を製造する際は、図２６および図２７に示すプリンタ部と転写部が分離独立した第１１の製造装置を用いたこと以外は実施例２１と同様にして、転写材、更には記録物を得た。なお、転写材への印字はキヤノン社製の（ＰＩＸＵＳ  Ｐｒｏ９５００）を用いて行い、画像支持体への転写装置としては、ラミネート機  （ＬＰＤ３２２３  ＣＬＩＶＩＡ  フジテックス社製）を用いて行った。
【０４００】
（実施例３７）
転写材１をロール状とし、転写材の基材シートの厚さを１０μｍ、色材受容層の厚さを１０μｍとしたこと、記録物を製造する際は、図５３および図２０に示す第８の製造装置を用いたこと以外は実施例２１と同様にして、転写材、更には記録物を得た。なお、転写材への印字はラインヘッド搭載ラベルプリンタ（商品名「ＬＸＰ−５５００」、キヤノンファインテック社製）を用いて行い、画像支持体への転写装置としては、ロールｔｏロールで搬送できる転写装置（商品名「ＤＣ−１０」、ダイニック製）を用いて行った。
【０４０１】
（実施例３８）
図５２に示す第７の製造装置を用い、画像を印字後に転写材の表面を、ウレタン系プライマー樹脂で処理し、更に画像支持体の材質をＰＥＴ「商品名  白ペットカード  Ｃ−０００２」（合同技研社製）したことを除いては実施例２１と同様にして、転写材、更には記録物を得た。
【０４０２】
（実施例３９）
図５２に示す第７の製造装置を用いて画像を印字後に転写材の表面を、ウレタン系プライマー樹脂で処理し、更に画像支持体の材質をＰＯＭとしたことを除いては実施例２１と同様にして、転写材、更には記録物を得た。
【０４０３】
（比較例４）
色材受容層の調製に用いるカチオン性樹脂を添加しなかったことを除いては実施例２１と同様にして、転写材、更には記録物を得た。
【０４０４】
（比較例５）
画像支持体をＰＥＴ製カード（商品名「白ペットカード  Ｃ−０００２」、合同技研製）に変更したことを除いては実施例２１と同様にして、転写材、更には記録物を得た。
【０４０５】
（比較例６）
画像支持体をＰＯＭ製カードに変更したことを除いては実施例２１と同様にして、転写材、更には記録物を得た。
【０４０６】
［評価＜吸収性＞］
実施例または比較例の色材受容層付き画像支持体に画像を記録した際の、記録面（色材受容層）におけるインクのビーディング（溢れの状態）により、色材受容層の色材（インク）の吸収性を評価した。評価は目視観察により行い、下記の基準で評価した。その結果を表３乃至表５にまとめて示した。
【０４０７】
○：色材受容層が良好に色材を吸収している
△：色材受容層の色材の吸収は若干悪いが、ビーディングはしていない
×：画像支持体に対し、色材受容層が転写されない
【０４０８】
［評価＜転写・剥離性＞］
実施例または比較例の転写材を用いて画像支持体に色材受容層を転写した際の、色材受容層の転写および基材シートの剥離の度合いを評価した。評価は目視観察により行い、下記の基準で評価した。その結果を表３乃至表８にまとめて示した。
【０４０９】
○：画像支持体に対し、色材受容層が良好に転写されていて、基材シートも良好に剥離する（箔切れがよい）
△：画像支持体に対し、色材受容層が転写されない部分があるか、基材シートが剥離しない（箔切れがわるい）部分がある
×：画像支持体に対し、色材受容層が転写されない
【０４１０】
［評価＜搬送性＞］
実施例または比較例の転写材の搬送性を評価した。評価は、実施例または比較例の記録物を作製する各々の画像記録装置または記録物の製造装置において転写材を搬送した際の転写材の状態を目視することによって行い、下記の基準で評価した。その結果を表３乃至表８にまとめて示した。
【０４１１】
○：画像記録装置または記録物の製造装置において転写材が良好に搬送される
△：画像記録装置または記録物の製造装置において転写材を搬送する際に、転写材に一部しわが入る
×：画像記録装置または記録物の製造装置において転写材がまったく搬送できない
【０４１２】
［評価＜耐光性＞］
実施例または比較例の記録物について、耐光性試験を行った。記録物をアトラスフェードオメーター（条件：波長３４０ｎｍにおける照射強度０．３９Ｗ／ｍ2、温度４５℃、湿度５０％）に投入し、１００時間後にＢｋインク画像の光学濃度を、光学反射濃度計（商品名「ＲＤ−９１８」、グレタマクベス製）を用いて測定し、下記式（Ａ）より残存ＯＤ率を算出し、下記の基準で評価した。その結果を表３乃至表８にまとめて示した。
【０４１３】
残存ＯＤ率＝（試験後のＯＤ／試験前のＯＤ）×１００％・・・式（Ａ）
○：残ＯＤ率が９０％以上
△：残ＯＤ率が６０％以上９０％未満
×：残ＯＤ率が６０％未満
【０４１４】
【表３】
2017030342.tif 000007
【０４１５】
【表４】
2017030342.tif 000008
【０４１６】
【表５】
2017030342.tif 000009
【０４１７】
【表６】
2017030342.tif 000010
【０４１８】
【表７】
2017030342.tif 000011
【０４１９】
【表８】
2017030342.tif 000012
【符号の説明】
【０４２０】
１  転写材
２  ニップローラ
３  グリップローラ
４  供給部
５  プレカット処理部
６  記録部
７  乾燥部
１０  ファン
１１  画像支持体
１２  画像支持体供給部
１３  転写部
１４  レジストガイド
１５  供給ロール
１６  ガイドロール
１７  巻上げロール
１９  予備加熱部
２１  ヒートローラ
２２  ヒートローラ
２２Ｋ、２２Ｃ、２２Ｍ、２２Ｙ  記録ヘッド
２４  巻き取りロール
２６  排出部
２７  ガイド板
２９  付着部
３０  サーマルヘッド
３１  センサ部
３２  センサー
４１  コントローラ
４２  記憶部
４３  通信部
４４  制御部
４５  表示部
４６  入出力部
４７  ネットワーク
４８  システム・バス
５０  基材シート
５１  離型層
５２  透明シート
５３  色材受容層
５４  切込み
５５  画像支持体
５６  プライマー層
５８  ホログラム層
５９  アンカー層
６２  溶媒成分
６３  顔料成分
６４  色材受容層
６５  無機微粒子
６６  色材受容層
６７  色材受容層
６８  染料成分
６９  染料成分
７２  反転画像
７３  記録物
８４  積層体
８８  剥離ロール
９０  ピール部
９２  上面転写材
９４  下面転写材
１００  ＣＰＵ
１０２  インターフェイスコントローラ
１０４  プログラムＲＯＭ
１０６  イメージメモリ
１０８  ワークＲＡＭ
１１２  記録ヘッド制御回路
１１４  出力ポート
１１６  モータ駆動部
１１８  ヘッドアップダウンモータ
１２０  ホストＰＣ
１２２  キャッピングモータ
１５０  カール矯正部
１５１  剥離部
１５２  画像反転部
１６０  印字領域
１６１  画像形成領域
１６２  マーキング
１６３  貼り合わせガイド
２０１  巻き出しロール
２０２  巻取りロール
２０３  転写部
２０４  転写ロール
２０５  排出部
２０６  供給部
２０７  剥離ロール
２０８  センサー
３０１  プリンタ
３０２  搬送機構
３１０  搬送ベルト
３１１  印字ヘッド
３１３  巻き出しロール
３１４  巻き取りロール
３１５  カット機構
３１６  排出部
４０１  プリンタ
４０２  搬送機構
４１０  搬送ベルト
４１４  排出部
５０１  シリアルプリンタ
５０２  印字ヘッド
５０３  シャフト
５１０  搬送ロール
５１１  ノズル
５１３  供給部
７００  製造装置
【図１】
2017030342.tif 000013
【図２】
2017030342.tif 000014
【図３】
2017030342.tif 000015
【図４】
2017030342.tif 000016
【図５】
2017030342.tif 000017
【図６】
2017030342.tif 000018
【図７】
2017030342.tif 000019
【図８】
2017030342.tif 000020
【図９】
2017030342.tif 000021
【図１０】
2017030342.tif 000022
【図１１】
2017030342.tif 000023
【図１２】
2017030342.tif 000024
【図１３】
2017030342.tif 000025
【図１４】
2017030342.tif 000026
【図１５】
2017030342.tif 000027
【図１６】
2017030342.tif 000028
【図１７】
2017030342.tif 000029
【図１８】
2017030342.tif 000030
【図１９】
2017030342.tif 000031
【図２０】
2017030342.tif 000032
【図２１】
2017030342.tif 000033
【図２２】
2017030342.tif 000034
【図２３】
2017030342.tif 000035
【図２４】
2017030342.tif 000036
【図２５】
2017030342.tif 000037
【図２６】
2017030342.tif 000038
【図２７】
2017030342.tif 000039
【図２８】
2017030342.tif 000040
【図２９】
2017030342.tif 000041
【図３０】
2017030342.tif 000042
【図３１】
2017030342.tif 000043
【図３２】
2017030342.tif 000044
【図３３】
2017030342.tif 000045
【図３４】
2017030342.tif 000046
【図４５】
2017030342.tif 000047
【図４６】
2017030342.tif 000048
【図４７】
2017030342.tif 000049
【図４８】
2017030342.tif 000050
【図４９】
2017030342.tif 000051
【図５０】
2017030342.tif 000052
【図５１】
2017030342.tif 000053
【図５２】
2017030342.tif 000054
【図５３】
2017030342.tif 000055
【図５４】
2017030342.tif 000056
【図５５】
2017030342.tif 000057
【図５６】
2017030342.tif 000058
【図５７】
2017030342.tif 000059
【図５８】
2017030342.tif 000060
【図３５】
2017030342.tif 000061
【図３６】
2017030342.tif 000062
【図３７】
2017030342.tif 000063
【図３８】
2017030342.tif 000064
【図３９】
2017030342.tif 000065
【図４０】
2017030342.tif 000066
【図４１】
2017030342.tif 000067
【図４２】
2017030342.tif 000068
【図４３】
2017030342.tif 000069
【図４４】
2017030342.tif 000070
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
色材受容層と、離型層と、基材シートと、を備え、且つ、前記基材シート、離型層、および前記色材受容層が順次積層された積層構造を有する転写材において、
前記色材受容層が、少なくとも、無機微粒子、水溶性樹脂、および重量平均分子量が１，０００以上１５，０００以下であるカチオン性樹脂を含有することを特徴とする転写材。
【請求項２】
前記カチオン性樹脂の融点が、６０℃以上１６０℃以下である請求項１に記載の転写材。
【請求項３】
前記カチオン性樹脂の重量平均分子量が、１，０００以上５，０００以下である請求項１に記載の転写材。
【請求項４】
前記カチオン性樹脂が、ポリアリルアミン系樹脂である請求項１に記載の転写材。
【請求項５】
前記色材受容層中の前記水溶性樹脂の含有量が、無機微粒子１００質量部に対し、３．３質量部以上２０質量部以下である請求項１から４のいずれか一項に記載の転写材。
【請求項６】
画像支持体と、少なくとも、無機微粒子、水溶性樹脂および重量平均分子量が１，０００以上１５，０００以下であるカチオン性樹脂を含有した色材受容層と、を備えた色材受容層付き画像支持体の製造方法であって、
前記画像支持体に、請求項１から５のいずれか一項に記載の転写材を構成する色材受容層を加熱圧着して積層する工程である工程１と、
工程１の後に、前記転写材から基材シートおよび前記離型層を剥離する工程である工程２と、を備えることを特徴とする色材受容層付き画像支持体の製造方法。
【請求項７】
基材シートと、離型層と、色材受容層とを備えた請求項１から５のいずれか一項に記載の転写材を搬送経路に送り出す供給部と、
画像支持体を搬送経路に送り出す画像支持体供給部と、
前記搬送経路に送り出された前記画像支持体に、前記転写材を構成する前記色材受容層を付着させる付着部と、
前記転写材から前記基材シートおよび前記離型層を剥離する剥離部と、を備えることを特徴とする色材受容層付き画像支持体の製造装置。
【請求項８】
画像支持体と、少なくとも、無機微粒子、水溶性樹脂、および重量平均分子量が１，０００以上１５，０００以下であるカチオン性樹脂を含有し、且つ、画像が記録された色材受容層と、を備えた記録物の製造方法であって、
前記画像支持体に、基材シート、離型層、および前記色材受容層が順次積層された積層構造を有する請求項１から５のいずれか一項に記載の転写材の前記色材受容層を加熱圧着して積層する工程１と、
前記工程１の後に、前記転写材から前記基材シートおよび前記離型層を剥離する工程２と、
前記色材受容層に画像を記録する工程である工程４と、を備えることを特徴とする記録物の製造方法。
【請求項９】
基材シートと、離型層と、色材受容層とを備えた請求項１から５のいずれか一項に記載の転写材を搬送経路に送り出す供給部と、
画像支持体を前記搬送経路に送り出す画像支持体供給部と、
前記搬送経路に送り出された前記画像支持体に、前記転写材を構成する前記色材受容層を付着させる付着部と、
前記転写材から前記基材シートおよび前記離型層を剥離する剥離部と、
前記色材受容層に色材を付与して画像を記録する記録部と、を備えることを特徴とする記録物の製造装置。
【請求項１０】
基材シートと、離型層と、色材受容層と、更に透明シートとを備え、且つ、前記基材シート、前記離型層、前記透明シート、および前記色材受容層が順次積層された積層構造を有する請求項１から５のいずれか一項に記載の転写材。
【請求項１１】
画像が支持された画像支持体と、画像が記録された記録媒体と、を備え、
前記記録媒体が、基材シートと、離型層と、色材受容層と、更に透明シートとを備える請求項１０に記載の転写材を構成する色材受容層に画像が記録され、且つ、前記基材シートおよび前記離型層が剥離された構成のものであり、
前記画像支持体、前記色材受容層、および前記透明シートが順次積層された積層構造を有することを特徴とする記録物。
【請求項１２】
前記画像が、顔料インクにより形成されたものである請求項１１に記載の記録物。
【請求項１３】
画像支持体と、画像が記録された記録媒体と、を備えた記録物の製造方法であって、
基材シートと、離型層と、色材受容層と、更に透明シートとを備える請求項１０に記載の転写材を構成する色材受容層に画像を記録する工程である工程５と、
前記画像支持体に、前記転写材を構成する色材受容層と透明シートとを加熱圧着して積層する工程である工程６と、
前記転写材から前記基材シートおよび前記離型層を剥離する工程である工程７と、を備えることを特徴とする記録物の製造方法。
【請求項１４】
基材シートと、離型層と、色材受容層と、更に透明シートとを備えた請求項１０に記載の転写材を搬送経路に送り出す供給部と、
前記搬送経路に送り出された前記転写材を構成する色材受容層に、色材を付与して画像を記録する記録部と、を備えることを特徴とする画像記録装置。
【請求項１５】
請求項１４に記載の画像記録装置を有する、記録物の製造装置であって、
画像支持体を搬送経路に送り出すための画像支持体供給部と、
前記搬送経路に送り出された前記画像支持体に、転写材を付着させる付着部と、
付着させた転写材から基材シートおよび離型層を剥離する剥離部と、を備えることを特徴とする記録物の製造装置。